(57)【特許請求の範囲】
【請求項１】
多数の使用者端末機によって占有され、多数のチャネル化コードで拡散されて使用者データを伝送する共通チャネル、及び前記使用者端末機が前記共通チャネル信号を受信することを可能にするために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記使用者端末機が前記多数の制御チャネルセットのうち特定の制御チャネルセットをモニタリングするように前記制御チャネルセットを割り当てる通信システムで、制御チャネルセット情報を伝送する方法において、
前記使用者端末機に割り当てられている制御チャネルセット情報を予め決定された時点で新しい制御チャネルセットに変更する予定を立てる過程と、
前記制御チャネルセットが変更される予定であることを示すインジケータ及び前記変更される制御チャネルセット情報を、順方向リンクを通して前記使用者端末機に伝送する過程と、
を含むことを特徴とする方法。
【請求項２】
前記予め決定された時点は、現在伝送時区間の次の伝送時区間であることを特徴とする請求項１記載の方法。
【請求項３】
多数の使用者端末機によって占有され、多数のチャネル化コードで拡散されて使用者データを伝送する共通チャネル、及び前記使用者端末機が前記共通チャネル信号を受信することを可能にするために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記使用者端末機が前記多数の制御チャネルセットのうち特定の制御チャネルセットをモニタリングするように前記制御チャネルセットを割り当てる通信システムで、制御チャネルセット情報を伝送する装置において、
前記使用者端末機のうち１つの使用者端末機に割り当てられる制御チャネルセットを変更すべきであることを感知すると、前記使用者端末機に割り当てられている制御チャネルセットを予め決定された時点で新しい制御チャネルセットに変更する予定を立てる制御器と、
前記制御器の制御によって、前記制御チャネルセットが変更される予定であることを示すインジケータ及び前記変更される制御チャネルセット情報を順方向リンクを通して前記使用者端末機に伝送する送信器と、
を含むことを特徴とする装置。
【請求項４】
前記予め決定された時点は、現在伝送時区間の次の伝送時区間であることを特徴とする請求項３記載の装置。
【請求項５】
多数の使用者端末機によって占有され、多数のチャネル化コードで拡散されて使用者データを伝送する共通チャネル、及び前記使用者端末機が前記共通チャネル信号を受信することを可能にするために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記使用者端末機が前記多数の制御チャネルセットのうち特定の制御チャネルセットをモニタリングするように前記制御チャネルセットを割り当てる通信システムで、制御チャネルセット情報を受信する方法において、
順方向リンクを通して現在割り当てられている制御チャネルセット情報が新しい制御チャネルセット情報に変更されることを示すインジケータ、及び前記新しい制御チャネルセット情報を含む制御チャネルセット情報を受信する過程と、
前記新しい制御チャネル情報に変更される前の前記制御チャネルセット情報が検出された時点の後の予め決定された時点で、前記新しい制御チャネルセット情報を適用することによって制御チャネルセットをモニタリングする過程と、
を含むことを特徴とする方法。
【請求項６】
多数の使用者端末機によって占有され、多数のチャネル化コードで拡散されて使用者データを伝送する共通チャネル、及び前記使用者端末機が前記共通チャネル信号を受信することを可能にするために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記使用者端末機が前記多数の制御チャネルセットのうち特定の制御チャネルセットをモニタリングするように前記制御チャネルセットを割り当てる通信システムで、制御チャネルセット情報を受信する装置において、
順方向リンクを通して、現在割り当てられている制御チャネルセット情報が新しい制御チャネルセット情報に変更されることを示すインジケータ、及び前記新しい制御チャネルセット情報を含む制御チャネルセット情報を受信する受信器と、
前記新しい制御チャネル情報に変更される前の前記制御チャネルセット情報が検出された時点の後の予め決定された時点で、前記新しい制御チャネルセット情報を適用することによって制御チャネルセットをモニタリングする制御器と、
を含むことを特徴とする装置。
【請求項７】
多数の使用者端末機によって占有され、多数のチャネル化コードで拡散されて使用者データを伝送する共通チャネル、及び前記使用者端末機が前記共通チャネル信号を受信することを可能にするために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記使用者端末機が前記多数の制御チャネルセットのうち特定の制御チャネルセットをモニタリングするように前記制御チャネルセットを割り当てる通信システムで、制御チャネルセット情報を伝送する方法において、
前記使用者端末機に割り当てられている制御チャネルセットを予め決定された時点で新しい制御チャネルセットに変更する予定を立てる過程と、
前記制御チャネルセットが変更される予定であることを示すインジケータ及び前記変更される制御チャネルセット情報を、前記使用者端末機に現在割り当てられている制御チャネルセット内の特定の制御チャネルを通して伝送する過程と、
を含むことを特徴とする方法。
【請求項８】
前記制御チャネルは、前記チャネル化コード情報を含む第１フィールド、及び伝送ブロックサイズ及び再伝送関連制御情報を含む第２フィールドを含み、前記インジケータは、前記第１フィールドを通して伝送され、前記変更される制御チャネルセット情報は、前記第２フィールドを通して伝送されることを特徴とする請求項７記載の方法。
【請求項９】
前記インジケータは、前記チャネル化コード情報を表現するために割り当てられる多数の論理的識別子のうち現在使用されていない論理的識別子によって表現されることを特徴とする請求項８記載の方法。
【請求項１０】
多数の使用者端末機によって占有され、多数のチャネル化コードで拡散されて使用者データを伝送する共通チャネル、及び前記使用者端末機が前記共通チャネル信号を受信することを可能にするために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記使用者端末機が前記多数の制御チャネルセットのうち特定の制御チャネルセットをモニタリングするように前記制御チャネルセットを割り当てる通信システムで、制御チャネルセット情報を伝送する装置において、
前記使用者端末機のうち１つの使用者端末機に割り当てられる制御チャネルセットを変更すべきであることを感知すると、前記使用者端末機に割り当てられている制御チャネルセットを予め決定された時点で新しい制御チャネルセットに変更する予定を立てる制御器と、
前記制御チャネルセットの変更を決定した後、前記制御チャネルセットが変更される予定であることを示すインジケータ、及び前記変更される制御チャネルセット情報を、現在割り当てられている制御チャネルセット内の特定の制御チャネルを通して前記使用者端末機に伝送する制御チャネル送信器と、
を含むことを特徴とする装置。
【請求項１１】
前記制御チャネルは、前記チャネル化コード情報を含む第１フィールド、及び伝送ブロックサイズ及び再伝送関連制御情報を含む第２フィールドを含み、前記制御チャネル送信器は、前記第１フィールドを通して伝送し、前記変更される制御チャネルセット情報は、前記第２フィールドを通して伝送することを特徴とする請求項１０記載の装置。
【請求項１２】
前記インジケータは、前記チャネル化コード情報を表現するために割り当てられる多数の論理的識別子のうち現在使用されていない論理的識別子によって表現されることを特徴とする請求項１１記載の装置。
【請求項１３】
多数の使用者端末機によって占有され、多数のチャネル化コードで拡散されて使用者データを伝送する共通チャネル、及び前記使用者端末機が前記共通チャネル信号を受信することを可能にするために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記使用者端末機が前記多数の制御チャネルセットのうち特定の制御チャネルセットをモニタリングするように前記制御チャネルセットを割り当てる通信システムで、制御チャネルセット情報を受信する方法において、
現在割り当てられている制御チャネルセットの特定の制御チャネルを通して、現在割り当てられている制御チャネルセット情報が新しい制御チャネルセット情報に変更されることを示すインジケータ、及び前記新しい制御チャネルセット情報を含む制御チャネルセット情報を受信する過程と、
前記新しい制御チャネル情報に変更される前の前記制御チャネルセット情報が検出された時点の後の予め決定された時点で前記新しい制御チャネルセット情報を適用することによって制御チャネルセットをモニタリングする過程と、
を含むことを特徴とする方法。
【請求項１４】
前記制御チャネルは、前記チャネル化コード情報を含む第１フィールド及び伝送ブロックサイズ及び再伝送関連制御情報を含む第２フィールドを含み、前記インジケータは、前記第１フィールドを通して伝送され、前記変更される制御チャネルセット情報は、前記第２フィールドを通して伝送されることを特徴とする請求項１３記載の方法。
【請求項１５】
前記インジケータは、前記チャネル化コード情報を表現するために割り当てられる多数の論理的識別子のうち現在使用されていない論理的識別子によって表現されることを特徴とする請求項１４記載の方法。
【請求項１６】
多数の使用者端末機によって占有され、多数のチャネル化コードで拡散されて使用者データを伝送する共通チャネル、及び前記使用者端末機が前記共通チャネル信号を受信することを可能にするために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記使用者端末機が前記多数の制御チャネルセットのうち特定の制御チャネルセットをモニタリングするように前記制御チャネルセットを割り当てる通信システムで、制御チャネルセット情報を受信する装置において、
現在割り当てられている制御チャネルセットの特定の制御チャネルを通して、現在割り当てられている制御チャネルセット情報が新しい制御チャネルセット情報に変更されることを示すインジケータ、及び前記新しい制御チャネルセット情報を含む制御チャネルセット情報を受信する受信器と、
前記新しい制御チャネル情報に変更される前の前記制御チャネルセット情報が検出された時点の後の予め決定された時点で前記新しい制御チャネルセット情報を適用することによって制御チャネルセットをモニタリングする制御器と、
を含むことを特徴とする装置。
【請求項１７】
前記制御チャネルは、前記チャネル化コード情報を含む第１フィールド及び伝送ブロックサイズ及び再伝送関連制御情報を含む第２フィールドを含み、前記インジケータは、前記第１フィールドを通して伝送され、前記変更される制御チャネルセット情報は、前記第２フィールドを通して伝送されることを特徴とする請求項１６記載の装置。
【請求項１８】
前記インジケータは、前記チャネル化コード情報を表現するための割り当てられる多数の論理的識別子のうち現在使用されていない論理的識別子によって表現されることを特徴とする請求項１７記載の装置。
【請求項１９】
使用者データを使用者端末機に高速伝送または再伝送するための高速媒体接続制御(ＭＡＣｈｓ:Medium Access Control-high speed)階層エンティティを有し、
多数の使用者端末機によって占有され、多数のチャネル化コードで拡散されて使用者データを伝送する共通チャネル、及び前記使用者端末機が前記共通チャネル信号を受信することを可能にするために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記使用者端末機が前記多数の制御チャネルセットのうち特定の制御チャネルセットをモニタリングするように前記制御チャネルセットを割り当てる通信システムで、制御チャネルセット情報を伝送する方法において、
前記使用者端末機に割り当てられている制御チャネルセットが予め決定された時点で新しい制御チャネルセットに変更される予定を立てる過程と、
前記制御チャネルセットが変更される予定であることを示すインジケータ、及び前記変更される制御チャネルセット情報を含むＭＡＣ−ｈｓ制御メッセージを、前記使用者端末機のＭＡＣ−ｈｓ階層エンティティに伝送する過程と、
を含むことを特徴とする方法。
【請求項２０】
前記ＭＡＣ−ｈｓ制御メッセージは、前記インジケータを含むヘッダ及び前記制御チャネルセット情報を含む制御ペイロードを含むことを特徴とする請求項１９記載の方法。
【請求項２１】
前記生成されている多数の制御チャネルセットの情報を変更すべきであることを感知すると、それぞれの前記使用者端末機に割り当てられているそれぞれの制御チャネルセットを予め決定された時点で新しい制御チャネルセットに変更する予定を立てる過程と、
前記制御チャネルセットの変更を決定した後、前記制御チャネルセットが変更される予定であることを示すインジケータ、前記新しい制御チャネルセット情報、及び前記変更される多数の制御チャネルセット情報を含むＭＡＣ−ｈｓ制御メッセージを、前記使用者端末機のＭＡＣ−ｈｓ階層エンティティに伝送する過程と、をさらに含むことを特徴とする請求項１９記載の方法。
【請求項２２】
前記ＭＡＣ−ｈｓ制御メッセージは、前記インジケータを含むヘッダ、前記新しい制御チャネルセット情報、及び前記変更される多数の制御チャネルセット情報を含む制御ペイロードを含むことを特徴とする請求項２１記載の方法。
【請求項２３】
使用者データを使用者端末機に高速伝送または再伝送するための高速媒体接続制御(ＭＡＣｈｓ:Medium Access Control-high speed)階層エンティティを有し、
多数の使用者端末機によって占有され、多数のチャネル化コードで拡散されて使用者データを伝送する共通チャネル、及び前記使用者端末機が前記共通チャネル信号を受信することを可能にするために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記使用者端末機が前記多数の制御チャネルセットのうち特定の制御チャネルセットをモニタリングするように前記制御チャネルセットを割り当てる通信システムで、制御チャネルセット情報を伝送する装置において、
前記使用者端末機のうち特定の使用者端末機に割り当てる制御チャネルセットを変更すべきであることを感知すると、前記使用者端末機に割り当てられている制御チャネルセットを予め決定された時点で新しい制御チャネルセットに変更する予定を立てる制御器と、
前記制御器の制御によって、前記制御チャネルセットが変更される予定であることを示すインジケータ、及び前記変更される制御チャネルセット情報を含むＭＡＣ−ｈｓ制御メッセージを前記使用者端末機に送信する送信器と、
を含むことを特徴とする装置。
【請求項２４】
前記ＭＡＣ−ｈｓ制御メッセージは、前記インジケータを含むヘッダ及び前記制御チャネルセット情報を含む制御ペイロードを含むことを特徴とする請求項２３記載の装置。
【請求項２５】
前記制御器は、前記生成されている多数の制御チャネルセットの情報を変更すべきであることを感知すると、それぞれの前記使用者端末機に割り当てられているそれぞれの制御チャネルセットを予め決定された時点で新しい制御チャネルセットに変更する予定を立て、前記制御チャネルセットが変更される予定であることを示すインジケータ、前記新しい制御チャネルセット情報、及び前記変更される多数の制御チャネルセット情報を含むＭＡＣ−ｈｓ制御メッセージを、ＭＡＣｈｓ階層エンティティに送信することを特徴とする請求項２３記載の装置。
【請求項２６】
前記ＭＡＣ−ｈｓ制御メッセージは、前記インジケータを含むヘッダ、前記新しい制御チャネルセット情報、及び前記変更される多数の制御チャネルセット情報を含む制御ペイロードを含むことを特徴とする請求項２５記載の装置。
【請求項２７】
使用者データを使用者端末機に高速伝送または再伝送するための高速媒体接続制御(ＭＡＣｈｓ:Medium Access Control-high speed)階層エンティティを有し、
多数の使用者端末機によって占有され、多数のチャネル化コードで拡散されて使用者データを伝送する共通チャネル、及び前記使用者端末機が前記共通チャネル信号を受信することを可能にするために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記使用者端末機が前記多数の制御チャネルセットのうち特定の制御チャネルセットをモニタリングするように前記制御チャネルセットを割り当てる通信システムで、制御チャネルセット情報を受信する方法において、
現在割り当てられている制御チャネルセットの特定の制御チャネルを通して、現在割り当てられている制御チャネルセット情報が新しい制御チャネルセット情報に変更されることを示すインジケータ、及び前記新しい制御チャネルセット情報を含むＭＡＣ−ｈｓ制御メッセージを受信する過程と、
前記新しい制御チャネル情報に変更される前の前記制御チャネルセット情報が検出された時点の後の予め決定された時点で、前記新しい制御チャネルセット情報を適用することによって制御チャネルセットをモニタリングする過程と、
を含むことを特徴とする方法。
【請求項２８】
前記ＭＡＣ−ｈｓ制御メッセージは、前記インジケータを含むヘッダ及び前記制御チャネルセット情報を含む制御ペイロードを含むことを特徴とする請求項２７記載の方法。
【請求項２９】
使用者データを使用者端末機に高速伝送または再伝送するための高速媒体接続制御(ＭＡＣｈｓ:Medium Access Control-high speed)階層エンティティを有し、
多数の使用者端末機によって占有され、多数のチャネル化コードで拡散されて使用者データを伝送する共通チャネル、及び前記使用者端末機が前記共通チャネル信号を受信することを可能にするために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記使用者端末機が前記多数の制御チャネルセットのうち特定の制御チャネルセットをモニタリングするように前記制御チャネルセットを割り当てる通信システムで、制御チャネルセット情報を受信する装置において、
現在割り当てられている制御チャネルセットの特定の制御チャネルを通して、現在割り当てられている制御チャネルセット情報が新しい制御チャネルセット情報に変更されることを示すインジケータ、及び前記新しい制御チャネルセット情報を含むＭＡＣ−ｈｓ制御メッセージを受信する受信器と、
前記新しい制御チャネル情報に変更される前の前記制御チャネルセット情報が検出された時点の後の予め決定された時点で、前記新しい制御チャネルセット情報を適用することによって制御チャネルセットをモニタリングする制御器と、
を含むことを特徴とする装置。
【請求項３０】
前記ＭＡＣ−ｈｓ制御メッセージは、前記インジケータを含むヘッダ及び前記制御チャネルセット情報を含む制御ペイロードを含むことを特徴とする請求項２９記載の装置。
【発明の詳細な説明】
【０００１】
【発明の属する技術分野】
本発明は、移動通信システムに関し、特に、高速順方向パケット接続方式を使用する移動通信システムにおいてサービング高速共通制御チャネルセット情報を送受信する装置及び方法に関する。
【０００２】
【従来の技術】
図１は、一般的な移動通信システムの構造を概略的に示す図である。前記移動通信システムは、ＵＭＴＳ(Universal Mobile Terrestrial System)移動通信システムであり、コアネットワーク(Core Network: 以下、ＣＮと称する)１００、複数の無線ネットワークサブシステム(Radio Network Subsystem: 以下、ＲＮＳと称する)１１０、１２０、及び使用者端末機(User Equipment: 以下、ＵＥと称する)１３０から構成される。前記ＲＮＳ１１０及びＲＮＳ１２０は、無線ネットワーク制御器(Radio Network Controller: 以下、ＲＮＣと称する)及び複数のノードＢ(Node B)から構成される。例えば、前記ＲＮＳ１１０は、前記ＲＮＣ１１１、ノードＢ１１３及びノードＢ１１５から構成され、前記ＲＮＳ１２０は、前記ＲＮＣ１１２、ノードＢ１１４及びノードＢ１１６から構成される。さらに、前記ＲＮＣは、その動作によって、ＳＲＮＣ (Serving RNC: 以下、ＳＲＮＣと称する)、ＤＲＮＣ(Drift RNC: 以下、と称する)及びＣＲＮＣ(Controlling RNC: 以下、ＣＲＮＣと称する)に分類される。前記ＳＲＮＣは、各ＵＥの情報を管理し、前記ＣＮ１００とのデータ伝送を担当するＲＮＣであり、前記ＤＲＮＣは、ＵＥのデータが前記ＳＲＮＣでない他のＲＮＣを経てＳＲＮＣに送受信される場合、前記他のＲＮＣを示す。前記ＣＲＮＣは、それぞれのノードＢを制御するＲＮＣである。図１において、前記ＵＥ１３０の情報がＲＮＣ１１１によって管理される場合、前記ＲＮＣ１１１が前記ＵＥ１３０に対するＳＲＮＣとして動作し、前記ＵＥ１３０が移動するにつれて前記ＵＥ１３０のデータが前記ＲＮＣ１１２を通して送受信される場合、前記ＲＮＣ１１２が前記ＵＥ１３０に対するＤＲＮＣになる。さらに、前記ＵＥ１３０と通信しているノードＢ１１３を制御するＲＮＣ１１１が前記ノードＢ１１３のＣＲＮＣになる。
【０００３】
以上、図１を参照してＵＭＴＳ移動通信システムの概略的な構造を説明した。次に、高速順方向パケット接続(High Speed Downlink Packet Access: 以下、ＨＳＤＰＡと称する)方式(scheme)を使用する移動通信システムに関して説明する。
【０００４】
一般的に、前記ＨＳＤＰＡ方式は、ＵＭＴＳ通信システムにおいて順方向高速パケットデータ伝送を支援するための順方向データ チャネルである高速順方向共通チャネル(High Speed - Downlink Shared Channel: 以下、ＨＳ−ＤＳＣＨと称する)、及びこれに関連した制御チャネルを含むデータ伝送方式を称する。
前記ＨＳＤＰＡ方式を支援するために、適応的変調方式及びコーディング(Adaptive Modulation and Coding: 以下、ＡＭＣと称する)及び複合再伝送(Hybrid Automatic Retransmission Request: 以下、ＨＡＲＱと称する)が提案された。一般的に、前記ＨＳＤＰＡ方式を使用する通信システムにおいて、１つのＵＥに割り当てできる直交可変拡散係数(Orthogonal Variable Spreading Factor: 以下、ＯＶＳＦと称する)コード(code)の最大個数が１５個であり、前記変調方式は、チャネル状況によってＱＰＳＫ(Quadrature Phase Shift Keying)、１６ＱＡＭ(Quadrature Amplitude Modulation)、６４ＱＡＭが適応的に選択される。ここで、前記ＨＳＤＰＡ移動通信システムは、エラーが発生したデータに対してＵＥとノードＢとの間で再伝送を遂行し、前記再伝送されたデータをソフトコンバイン(soft combining)することによって、全体的な通信効率を向上させる。つまり、前記エラーが発生したデータに対して前記再伝送されたデータをソフトコンバインする方式が前記ＨＡＲＱ方式である。ここでは、例えば、ｎ−ｃｈａｎｎｅｌ ＳＡＷ(Stop And Wait)ＨＡＲＱ方式に関して説明する。
【０００５】
一般的な再伝送(Automatic Retransmission Request: 以下、ＡＲＱと称する)方式においては、ＵＥとＲＮＣとの間で認知(Acknowledgement: 以下、ＡＣＫと称する)信号及び再伝送パケットデータの交換が行われる。しかしながら、前記ＨＡＲＱ方式は、前記ＡＲＱ方式の伝送効率を増加させるために、下記のような２つの方案を提案する。第１に、前記ＨＡＲＱ方式は、ＵＥとノードＢとの間で再伝送要求及び応答を遂行する。第２に、前記ＨＡＲＱ方式は、前記エラーが発生したデータを一時的に貯蔵した後、対応するデータの再伝送データとコンバイン(Combining)して伝送する。さらに、前記ＨＳＤＰＡ方式において、前記ＵＥとノードＢのＭＡＣ(medium access control)ＨＳ−ＤＳＣＨとの間でＡＣＫ信号及び再伝送パケットデータが交換される。また、前記ＨＳＤＰＡ方式は、ｎ個の論理的なチャネルを構成して、ＡＣＫ信号が受信されなくても多数のパケットデータが伝送できる前記ｎ−ｃｈａｎｎｅｌ ＳＡＷ ＨＡＲＱ方式を導入した。既存のＳＡＷ ＡＲＱ方式は、以前のパケットデータに対するＡＣＫ信号を受信せずに次のパケットデータを伝送することができない。
【０００６】
しかしながら、前記ＳＡＷ ＡＲＱ方式は、以前パケットデータに対するＡＣＫ信号を受信した後のみに次にパケットデータを伝送するので、次のパケットデータを現在伝送することができても、ＡＣＫ信号を待機しなければならない。前記ｎ−ｃｈａｎｎｅｌ ＳＡＷ ＨＡＲＱ方式は、前記以前パケットデータに対するＡＣＫ信号を受信する前に多数のパケットデータを連続的に伝送することによって、チャネルの使用効率を向上させることができる。つまり、ＵＥとノードＢとの間でｎ個の論理的チャネルを設定し、特定時間またはチャネル番号によって前記ｎ個の論理的チャネルを識別することができる場合、パケットデータを受信する前記ＵＥは、任意の時点で受信されたパケットデータが伝送されるチャネルを確認することができ、受信される順によって前記受信されたパケットデータブロックを再構成するか、対応するパケットデータをソフトコンバインすることができる。
【０００７】
前記ｎ−ｃｈａｎｎｅｌ ＳＡＷ ＨＡＲＱ方式は、ＳＡＷ ＨＡＲＱ方式に比べてその効率を増加させるために、下記のような２つの方式を導入した。
【０００８】
第１方式は、受信側が、エラーが発生したデータを一時的に貯蔵した後、対応するデータの再伝送データとソフトコンバインすることによって、エラー発生の確率を低減する方式である。前記ソフトコンバイン方式は、チェース接合(Chase Combining: 以下、ＣＣと称する)方式と重複分増加(Incremental Redundancy:以下、ＩＲと称する)方式の２つの方式がある。前記ＣＣ方式において、送信側は、最初伝送(initial transmission)及び再伝送(re-transmission)の時に同一のフォーマット(format)を使用する。最初伝送時にｍ個のシンボル(symbol)が１つの符号化ブロック(coded block)に伝送された場合、再伝送時にも同一のｍ個のシンボルが１つの符号化ブロックに伝送される。つまり最初伝送及び再伝送時に同一の符号化率(coding rate)が適用されてデータが伝送される。従って、受信側は、最初伝送された符号化ブロックと再伝送された符号化ブロックをコンバインし、前記コンバインされた符号化ブロックを利用してＣＲＣ(Cyclic Redundancy Check)演算してエラーが発生しているか否かを確認する。
【０００９】
次に、前記ＩＲ方式は、最初伝送及び再伝送時に異なるフォーマットを使用する。例えば、ｎビット(bit)の使用者データ(user data)がチャネルコーディング(channel coding)を通してｍ個のシンボルに生成された場合、送信側は、最初伝送時に前記ｍ個のシンボルのうち一部のシンボルのみを伝送し、再伝送時に順次に残りのシンボルを伝送する。つまり、データ伝送において、最初伝送時の符号化率と再伝送時の符号化率が異なる。従って、受信側は、最初伝送された符号化ブロックの残りの部分に再伝送された符号化ブロックを付加することによって、高い符号化率を有する符号化ブロックを構成した後、エラー訂正(error correction)を実行する。前記ＩＲ方式において、前記最初伝送された符号化ブロック及び再伝送された符号化ブロックは、リダンダンシーバージョン(Redundancy Version: 以下、ＲＶと称する)によって区分される。例えば、最初伝送された符号化ブロックがＲＶ＃１によって、次の再伝送された符号化ブロックがＲＶ＃２によって、その次の再伝送された符号化ブロックがＲＶ＃３によって区分され、受信側は、前記ＲＶ情報を利用して最初伝送された符号化ブロックと再伝送された符号化ブロックを正しくコンバインすることができる。
【００１０】
一般的なＳＡＷ ＡＲＱ方式の効率を向上させるために導入された第２方式は、下記のようである。一般的なＳＡＷ ＡＲＱ方式は、以前パケットのＡＣＫ信号を受信した後のみに次のパケットを伝送することができるが、ｎ−ｃｈａｎｎｅｌ ＳＡＷ ＨＡＲＱ方式は、ＡＣＫ信号を受信する前にも多数のパケットを連続的に伝送することによって、無線リンクの使用効率を向上させることができる。前記ｎ−ｃｈａｎｎｅｌ ＳＡＷ ＨＡＲＱ方式は、ＵＥとノードＢとの間にｎ個の論理的チャネルを設定し、明示的なチャネル番号によって前記論理的チャネルを識別する場合、受信側であるＵＥは、任意の時点で受信されたパケットが属するチャネルを確認することができ、受信順序によってパケットを再構成するか、対応するパケットをソフトコンバインすることができる。
【００１１】
以下、図１を参照してｎ−ｃｈａｎｎｅｌ ＳＡＷ ＨＡＲＱ方式の動作を具体的に説明する。ＵＥ１３０とノードＢ１１５との間に４−ｃｈａｎｎｅｌ ＳＡＷ ＨＡＲＱ方式が遂行され、それぞれのチャネルには＃１乃至＃４の論理的識別子が割り当てられたと仮定する。さらに、前記ＵＥ１３０及びノードＢ１１５の物理階層は、それぞれのチャネルに対応するＨＡＲＱプロセッサ(HARQ processor)を有する。前記ノードＢ１１５は、最初伝送する符号化ブロックにチャネル識別子＃１を割り当てて前記ＵＥ１３０に伝送する。前記“符号化ブロック(coded block)”は、１つの伝送時区間(Transmission Time Interval: ＴＴＩ)の間に伝送される使用者データを意味する。対応する符号化ブロックにエラーが発生すると、前記ＵＥ１３０は、チャネル識別子に基づいてチャネル＃１に対応されるＨＡＲＱプロセッサ＃１に符号化ブロックを伝達し、チャネル＃１に対する否定的認知(ＮＡＣＫ)信号を前記ノードＢ１１５に伝送する。そうすると、前記ノードＢ１１５は、チャネル＃１の符号化ブロックに対するＡＣＫ信号の到着に関係なく、次の符号化ブロックをチャネル＃２を通して伝送することができる。前記次の符号化ブロックにもエラーが発生された場合、前記ＵＥ１３０は、前記符号化ブロックも対応するＨＡＲＱプロセッサに伝達する。ノードＢ１１５は、チャネル＃１の符号化ブロックに対するＮＡＣＫ信号を前記ＵＥ１３０から受信すると、チャネル＃１を通して前記対応する符号化ブロックを再伝送し、前記ＵＥ１３０は、前記符号化ブロックのチャネル識別子に基づいて前記ＨＡＲＱプロセッサ＃１に前記符号化ブロックを伝達する。ＨＡＲＱプロセッサ＃１は、以前に貯蔵されていた符号化ブロックと前記再伝送された符号化ブロックをソフトコンバインする。このように、前記ｎ−ｃｈａｎｎｅｌ ＳＡＷ ＨＡＲＱ方式は、ＡＣＫ信号が受信されるまで、使用者データ伝送を遅延させずに最初伝送符号化ブロックと再伝送された符号化ブロックを適切に対応させるために、チャネル識別子とＨＡＲＱプロセッサを一対一対応させる方式である。
【００１２】
さらに、前記ＨＳＤＰＡ通信システムにおいて、使用できる複数のＯＶＳＦコードを特定時間に多数のＵＥが同時に使用することができる。つまり、前記ＨＳＤＰＡ通信システム内で、特定の時間に多数のＵＥ間にＯＶＳＦコード多重化が遂行されることができる。前記ＯＶＳＦコード多重化に関して図２を参照して説明する。
【００１３】
図２は、一般的なＨＳＤＰＡ通信システムにおいてＯＶＳＦコードを割り当てる方法の例を示す。図２のＯＶＳＦコード割り当て方法は、拡散係数(Spreading Factor: 以下、ＳＦと称する)が１６である場合(ＳＦ＝１６)を例にして説明する。
【００１４】
図２を参照すると、ＯＶＳＦコードは、コードツリー(code tree)の位置によってＣ(ｉ,ｊ)に表される。前記Ｃ(ｉ,ｊ)において、前記変数ｉは、前記ＳＦ値を示し、前記変数ｊは、前記ＯＶＳＦコードツリーの最左側からのＯＶＳＦコードの位置を示す。例えば、前記Ｃ(１６,０)は、前記ＳＦが１６であり、ＯＶＳＦコードツリーの最左側から第１位置に存在する。図２は、前記ＳＦが１６である場合、前記ＯＶＳＦコードツリーにおいて０番目のから１５番目のまで、つまり、Ｃ(１６,０)から(１６,１５)までの１６個のＯＶＳＦコードを前記ＨＳＤＰＡ通信システムに割り当てる方法を示す。前記１６個のＯＶＳＦコードは、例えば、表１に示すように多数のＵＥに多重化されることができる。
【００１５】
【表１】
0003872438.tif 000002
【００１６】
表１において、前記Ａ、Ｂ、Ｃは、前記ＨＳＤＰＡ通信システムを使用する使用者またはＵＥである。表１に示すように、任意の時点ｔ０、ｔ１、ｔ２で、前記使用者Ａ、Ｂ、Ｃは、前記ＨＳＤＰＡ通信システムに割り当てられたＯＶＳＦコードを利用してコード多重化される。前記ＵＥに割り当てるＯＶＳＦコードの個数及びＯＶＳＦコードツリー上の前記ＯＶＳＦコードの位置は、前記ノードＢに貯蔵されているそれぞれのＵＥの使用者データの量及び前記ノードＢとＵＥとの間に設定されているチャネル状況を考慮してノードＢによって決定される。
【００１７】
つまり、前記ＨＳＤＰＡ通信システムにおいて、ＵＥとノードＢとの間に送受信される制御情報は、任意のＵＥによって使用されるＯＶＳＦコードの個数、コードツリー上の位置を指定するコード情報(code information)、変調方式をチャネル状況に適応的に決定するために必要なチャネル品質情報、変調方式情報(MCS level)、ｎ−ｃｈａｎｎｅｌ ＳＡＷ ＨＡＲＱ方式を支援するために必要なチャネル番号情報、及びＡＣＫ／ＮＡＣＫ情報などがある。ここで、前記ＨＳＤＰＡ通信システムにおいて送受信される制御情報、及び実際使用者データを伝送するために使用されるチャネルに関して説明する。
【００１８】
まず、前記ＨＳＤＰＡ通信システムにおいて使用されるチャネルは、下記のように、順方向(ＤＬ: DownLink)チャネルと逆方向(ＵＬ: UpLink)チャネルに区分される。前記順方向チャネル(DownLink channel)は、高速共通制御チャネル(High Speed-Shared Control Channel: 以下、ＨＳ−ＳＣＣＨと称する)、連関専用物理チャネル(associated DPCH(Dedicated Physical Channel): 以下、associated DPCH称する)、及び高速順方向物理共通チャネル(High Speed-Physical Downlink Shared Channel: 以下、ＨＳ−ＰＤＳＣＨと称する)があり、前記逆方向チャネルは、 第２専用物理チャネル(Secondary DPCH: 以下、Secondary DPCHと称する)がある。
【００１９】
前記順方向チャネルと逆方向チャネルの関係を図３を参照して説明する。
図３は、一般的なＨＳＤＰＡ方式を使用する通信システムにおいて順方向及び逆方向チャネルを示す図である。
【００２０】
図３を参照すると、ＵＥは、第１共通パイロットチャネル(Primary Common Pilot Channel: 以下、ＰＣＰＩＣＨと称する)(図示せず)信号を利用してＵＥ自体とノードＢとの間のチャネル品質(channel quality)を測定し、前記測定されたチャネル品質をチャネル品質報告(Channel Quality Report: 以下、ＣＱＲと称する)を通して前記ノードＢに通報する。前記ＣＱＲは、Secondary DPCHを通して伝送される。前記ＵＥからノードＢにＣＱＲを伝送する方法は、本発明と直接的な連関性がないので、その詳細な説明を省略する。
【００２１】
前記ＵＥからＣＱＲを受信すると、前記ノードＢは、前記受信されたＣＱＲに基づいてスケジューリング(scheduling)を遂行する。前記“スケジューリング”は、多数のＵＥのうち次のＴＴＩで実際データを受信すると予想されるＵＥを選択した後、データの伝送のために使用される変調方式及び前記ＵＥに割り当てられるコードの個数などを決定する動作を意味する。前記ノードＢは、前記スケジューリングを通して次のＴＴＩでデータを伝送すると予想されるＵＥを決定すると、前記選択されたＵＥと前記ノードＢとの間に設定されているassociated DPCHを通して高速順方向共通チャネルインジケータ(ＨＳ−ＤＳＣＨ Indicator: 以下、ＨＩと称する)を伝送する。前記ＨＩは、ＨＳ−ＰＤＳＣＨを通して伝送されるデータがどのＵＥに伝送されるかを示し、前記データの受信のために必要な実際制御情報を伝送するためのＨＳ−ＳＣＣＨを示す識別子(identifier)を含む。例えば、ノードＢに４つのＨＳ−ＳＣＣＨが設定されており、前記ＨＩが２ビットから構成される場合、００、０１、１０、１１のＨＩによって４つのＨＳ−ＳＣＣＨが指示される。前記ＨＩを通して何の情報も伝送されない場合、次のＴＴＩで対応するＵＥにデータが伝送されないことを意味する。任意のＵＥに割り当てられたＨＳ−ＳＣＣＨの集合を“サービング高速共通制御チャネルセット(serving Hs-SCCH set: 以下、serving HS-SCCH setと称する)と定義する。前記serving HS-SCCH setは、それぞれのＵＥに対して個別的に設定されることができ、後で詳細に説明する。
【００２２】
前記ノードＢは、前記ＨＩを伝送する時、対応するＨＳ−ＳＣＣＨを通して対応するＵＥが対応するデータを受信するために必要な制御情報を伝送する。前記ＨＳ−ＳＣＣＨを通して伝送される制御情報を図４を参照して説明する。
【００２３】
図４は、一般的なＨＳＤＰＡ方式を使用する通信システムのＨＳ−ＳＣＣＨ構造を示す図である。
【００２４】
図４を参照すると、前記ＨＳ−ＳＣＣＨスロットフォーマット(slot format)は、Ｐａｒｔ＃１フィールド(field)４１１、ＣＲＣ＃１フィールド４１３、Ｐａｒｔ＃２フィールド４１５、及びＣＲＣ＃２フィールド４１７から構成される。さらに、前記ＨＳ−ＳＣＣＨを通して伝送される制御情報は、以下のようである。
１)ＨＳ−ＤＳＣＨチャネル化コード(channelization code)情報(以下、ｃｏｄｅ＿ｉｎｆｏと称する)
２)変調方式(Modulation scheme: 以下、ＭＳと称する)情報
３)伝送ブロックサイズ(Transport Block Size: 以下、ＴＢＳと称する)情報
４)伝送チャネルインジケータ(Transport Channel Identity: 以下、ＴｒＣＨＩＤと称する)情報
５)ＵＥ ｓｐｅｃｉｆｉｃ ＣＲＣ情報
６)ＨＡＲＱチャネル番号(HARQ channel number)情報
７)新規データインジケータ(New Data Indicator: ＮＤＩ)情報
８)ＲＶ情報
【００２５】
前記ＨＳ−ＳＣＣＨを通して伝送される制御情報のうち、前記ＭＳ情報、ＴＢＳ情報、及びｃｏｄｅ＿ｉｎｆｏ情報を“伝送フォーマット及び資源関連情報(Transport Format and Resource related Information: 以下、ＴＦＲＩと称する)”と称し、前記ＨＡＲＱチャネル番号情報、ＲＶ情報、及びＮＤＩ情報を“ＨＡＲＱ情報”と称する。さらに、それぞれの前記制御情報は、前記ＨＳ−ＳＣＣＨがＳＦが１２８であるＯＶＳＦコードを使用して伝送される場合、図４に示すように、前記ＭＳ情報のために１ビット、ｃｏｄｅ＿ｉｎｆｏのために７ビット、ＴＢＳ情報のために６ビット、ＮＤＩ情報のために１ビット、ＲＶ情報のために２ビット、ＨＡＲＱチャネル番号情報のために３ビットを割り当てる。
【００２６】
図４を参照すると、前記Ｐａｒｔ＃１フィールド４１１は、対応するＵＥによって使用されるコードツリー上のＯＶＳＦコードの位置及びコードの個数を示す前記ｃｏｄｅ＿ｉｎｆｏ及びＭＳ情報を含み、前記ＣＲＣ＃１フィールド４１３は、前記Ｐａｒｔ＃１フィールド４１１に含まれる情報及びＵＥ識別子(ＵＥ ＩＤ)に対するＣＲＣ演算結果を含む。前記ＵＥ識別子は、例えば、１０ビット(bit)が割り当てられると予想される。前記ＵＥ識別子は、実際は伝送されないが、送信側は、ＣＲＣ＃１を計算する時にＵＥ識別子も計算し、受信側も、ＣＲＣ＃１を計算する時にＵＥ識別子を共に計算する。このように、前記ＵＥ識別子を使用してＣＲＣ＃１を計算することによって、ＵＥは、特定のＨＳ−ＳＣＣＨに含まれる制御情報がＵＥ自体に対応する制御情報であるか否かを判断することができる。例えば、第１ＵＥにＨＳ−ＳＣＣＨを通して制御情報を伝送する場合、ノードＢは、前記Ｐａｒｔ＃１フィールド４１１に含まれた情報及び前記第１ＵＥのＵＥ識別子に基づいてＣＲＣ＃１を計算する。従って、前記第１ＵＥは、自体のserving HS-SCCH setに属するＨＳ−ＳＣＣＨのうち、自分のＵＥ識別子及びＰａｒｔ＃１フィールド４１１に含まれている情報を共に計算した時、ＣＲＣ＃１に対してエラーが発生しないＨＳ−ＳＣＣＨに含まれた制御情報が第１ＵＥ自分に対する制御情報であると判断する。さらに、前記Ｐａｒｔ＃２フィールド４１５は、ＨＳ−ＰＤＳＣＨを通して伝送されるデータのサイズを意味するＴＢＳ情報、ＨＡＲＱチャネル番号情報、ＨＳ−ＰＤＳＣＨを通して伝送されるデータが新しいデータであるか、再伝送されるデータであるかを示すＮＤＩ情報、及び対応するデータがＩＲ方式において何番目のバージョンであるかを示すＲＶ情報を含む。さらに、前記Ｐａｒｔ＃２フィールド４１５に含まれた情報に対するＣＲＣ演算結果が前記ＣＲＣ＃２フィールド４１７を通して伝送される。
【００２７】
前記ｃｏｄｅ＿ｉｎｆｏに関して図５を参照して説明する。
図５は、ＨＳＤＰＡ方式を使用する通信システムにおいてＨＳ−ＤＳＣＨのｃｏｄｅ＿ｉｎｆｏを論理的識別子にマッチングする方法を概略的に示す図である。
【００２８】
図５を参照すると、前述したように、ＨＳ−ＳＣＣＨ信号がＳＦ＝１２８のＯＶＳＦコードを使用して伝送される場合、ｃｏｄｅ＿ｉｎｆｏのためには７ビットが割り当てられる。従って、前記７ビットを先行する３ビットと残りの４ビットに区分することによって前記論理的識別子を割り当てる。例えば、前記ｃｏｄｅ＿ｉｎｆｏの先行する３ビットが６(１１０)であり、残りの４ビットが４(００１１)である論理的識別子は、[ｍ＝７, ＳＰ(Start Point)＝４]である。つまり、論理的識別子‘１１０ ００１１’は、ＯＶＳＦコードツリー上において４番目のＯＶＳＦコードから７個のＯＶＳＦコード、つまり、Ｃ(１６,３)乃至Ｃ(１６,９)のＯＶＳＦコードを意味する。図５に示すように、前記ｃｏｄｅ＿ｉｎｆｏに７ビットを割り当てる場合、論理的識別子のうち、“１１１ ００００”、“１１１ ００１１”、“１１１ ００１０”、“１１１ ００１１”、“１１１ ０１００”、“１１１ ０１０１”、“１１１ ０１１０”、“１１１ １１１１”の８個の論理的識別子は使用されない。
【００２９】
以下、前記ＨＳ−ＳＣＣＨを通して伝送される制御情報に基づいて実際ＵＥがデータを受信する過程を説明する。
【００３０】
ＵＥは、ＨＳ−ＳＣＣＨを通して受信された制御情報に基づいて、ＨＳ−ＰＤＳＣＨを通して伝送されるデータを受信して復調する。前記ＵＥは、前記ｃｏｄｅ＿ｉｎｆｏに基づいて、どのＯＶＳＦコードを使用してＨＳ−ＰＤＳＣＨを受信及び復調するかを決定し、ＭＳ情報に基づいて復調する方式を決定する。それから、前記ＵＥは、ＣＲＣ演算を通して、前記受信されたデータにエラー発生されているか否かを判断し、前記判断結果から、エラーが発生していない場合、ＡＣＫ信号を送信し、エラーが発生している場合は、ＮＡＣＫ信号を送信する。前記ＨＳ−ＰＤＳＣＨを通して伝送される実際使用者データを“高速媒体接続制御(Medium Access Control-high speed: 以下、ＭＡＣ−ｈｓと称する)プロトコルデータユニット(Protocol Data Unit: 以下、ＰＤＵと称する)”と定義する。
【００３１】
以下、前記ＭＡＣ−ｈｓ ＰＤＵ構造を図６を参照して説明する。
図６は、ＨＳ−ＰＤＳＣＨを通して伝送されるＭＡＣ−ｈｓ ＰＤＵの構造を示す図である。
【００３２】
図６を参照すると、前記ＭＡＣ−ｈｓ ＰＤＵは、ＭＡＣ−ｈｓヘッダ(header)フィールド６１１、ＭＡＣ−ｈｓサービスデータユニット(ＳＤＵ: Service Data Unit)フィールド６１３、及びＣＲＣフィールド６１５から構成される。前記ＭＡＣ−ｈｓヘッダ６１１は、下記のような情報を含む。
(１)優先順位(Priority): ＭＡＣ−ｈｓ ＳＤＵ６１３の優先順位キュウー(Priority Queue)の識別子であり、３ビットが割り当てられる。
(２)伝送シーケンス番号(Transmission Sequence Number: 以下、ＴＳＮと称する): 優先順位キュウーにおいてＭＡＣ−ｈｓ ＳＤＵ６１３が再整列(reorder)される時に使用される一連番号であり、５ビット乃至６ビットが割り当てられる。
(３)ＳＩＤ＿ｘ: ＭＡＣ−ｈｓ ＳＤＵ６１３を構成する専用媒体接続制御(MAC dedicated: 以下、ＭＡＣ−ｄと称する)ＰＤＵの集合のうちｘ番目のＭＡＣ−ｄ ＰＤＵ集合に属するＭＡＣ−ｄ ＰＤＵのサイズを示し、２ビット乃至３ビットが割り当てられる
(４)Ｎ＿ｘ: ｘ番目のＭＡＣ−ｄ ＰＤＵ集合に属するＭＡＣ−ｄ ＰＤＵの個数を示し、７ビットが割り当てられる。
(５)Ｆ(Ｆｌａｇ) : 前記Ｆ値が１に設定される場合、次のフィールドがＭＡＣ−ｈｓ ＳＤＵであることを示し、前記Ｆ値が０に設定される場合は、次のフィールドがＳＩＤであることを示す。１ビットが割り当てられる。
(６)ＭＡＣ−ｄ ＰＤＵ＿Ｎｘ: ｘ番目のＭＡＣ−ｄ ＰＤＵ集合を構成するＭＡＣ−ｄ ＰＤＵを示す。
【００３３】
図６に示すように、１つのＭＡＣ−ｈｓ ＳＤＵが多種のＭＡＣ−ｄ ＰＤＵから構成される。前記ＴＳＮ、優先順位キュウー、及びＭＡＣ−ｄ ＰＤＵに関する説明の前に、前記ＨＳＤＰＡ通信システムのプロトコルスタック(protocol stack)を図７を参照して説明する。
【００３４】
図７は、一般的なＨＳＤＰＡ方式を使用する通信システムのＭＡＣ階層構造を示す図である。
【００３５】
図７を参照すると、ＭＡＣ階層(layer)は、ＭＡＣ−ｄ階層、ＭＡＣ−ｈｓ階層から構成され、図示したように、ＵＥのＭＡＣ階層は、ＭＡＣ−ｄ階層７１１及びＭＡＣ−ｈｓ階層７１０を含み、ノードＢは、ＭＡＣ−ｈｓ階層７０７を含み、ＳＲＮＣはＭＡＣ−ｄ階層７０２を含む。前記ＭＡＣ−ｄ階層は、専用チャネル(dedicated channel)のためのＭＡＣエンティティ(Entity)であり、専用制御チャネル(Dedicated Control CHannel: 以下、ＤＣＣＨと称する)及び専用トラヒックチャネル(Dedicated Traffic CHannel: 以下、ＤＴＣＨと称する)のような専用論理チャネル(Dedicated Logical Channels)のためのＭＡＣ機能を遂行する。さらに、前記ＭＡＣ−ｈｓ階層は、ＨＳＤＰＡ方式を支援するために追加的に具現される階層であり、前記ＨＳＤＰＡ方式を支援するためにＨＳ−ＤＳＣＨ上のＨＡＲＱ方式を支援するための機能が主要機能である。
【００３６】
図７において、実際使用者データが上位階層７０１からＳＲＮＣのＭＡＣ−ｄ階層７０２に伝達される場合、前記ＭＡＣ−ｄ階層７０２は、前記上位階層７０１から伝達された使用者データをＭＡＣ−ｄ ＰＤＵに生成し、前記生成されたＭＡＣ−ｄ ＰＤＵをフレームプロトコル(Frame Protocol: 以下、ＦＰと称する)階層７０３に伝達する。前記ＭＡＣ−ｄ ＰＤＵは、上位階層７０１から伝達された使用者データにＭＡＣ−ｄヘッダが付加されたことを意味し、前記ＭＡＣ−ｄヘッダは、受信側がＭＡＣ−ｄ ＰＤＵをどの上位階層に伝達すべきであるかを指示するマルチプレキシング(multiplexing)関連情報を含む。前記ＦＰ階層７０３は、前記ＭＡＣ−ｄ階層７０２から伝達されたＭＡＣ−ｄ ＰＤＵをＦＰ ＰＤＵに生成した後、トランスポートベアラー(Transport Bearer)階層７０４に伝達する。前記ＦＰ階層７０３は、多数のＭＡＣ−ｄ ＰＤＵを１つのＦＰ ＰＤＵに連結し、前記ＦＰ ＰＤＵは、前記連結されたＭＡＣ−ｄ ＰＤＵの優先順位に関する情報を含む。前記トランスポートベアラー階層７０４は、前記ＦＰ階層７０３から伝達されたＦＰ ＰＤＵにトランスポートベアラーを割り当て、前記ＦＰ ＰＤＵを前記割り当てられたトランスポートベアラーを通して前記ノードＢのトランスポートベアラー階層７０５に伝送する。ここで、前記トランスポートベアラー７０４階層と前記ノードＢのトランスポートベアラー階層７０５との間はＳＲＮＣとノードＢとの間のインターフェースであるＩｕｂインターフェースを通してインターフェースする。さらに、前記トランスポートベアラー階層７０４は、ＳＲＮＣとノードＢとの間の実際データ伝送を担当する部分であり、ＡＡＬ２(Adaptive ATM Layer 2)／ＡＴＭ(Asynchronous Transfer Mode)から構成できる。
【００３７】
前記ノードＢのトランスポートベアラー階層７０５は、前記ＳＲＮＣトランスポートベアラー階層７０４から前記ＦＰ ＰＤＵを受信すると、前記受信されたＦＰ ＰＤＵをＦＰ階層７０６に伝達し、前記ＦＰ階層７０６は、前記トランスポートベアラー階層７０５から伝達されたＦＰ ＰＤＵをＭＡＣ−ｈｓ階層７０７に伝達する。前記ＭＡＣ−ｈｓ階層７０７は、前記ＦＰ階層７０６から伝達されたＦＰ ＰＤＵに含まれた優先順位に関する情報を参照して、前記受信されたＭＡＣ−ｄ ＰＤＵを対応する優先順位キュウーに貯蔵する。
【００３８】
ここで、ノードＢ ＭＡＣ−ｈｓ階層の構造を図８を参照して説明する。
図８は、一般的なＨＳＤＰＡ方式を使用する通信システムにおいてノードＢ側のＭＡＣ−ｈｓ階層の構造を示す図である。
【００３９】
図８を参照すると、ノードＢのＭＡＣ−ｈｓ階層７０７は、ＨＳ−ＤＳＣＨを通したデータブロックを処理する機能を有し、前記ＨＳＤＰＡデータのための物理チャネル資源を管理する。つまり、前記ＭＡＣ−ｈｓ階層７０７は、スケジューリング(scheduling)／優先順位処理部(priority handling)部８０５、ＨＡＲＱ処理部(HARQ process part)８０３、及びＴＦＲＣ選択部(TFRC selection part)８０４から構成される。前記スケジューリング／優先順位処理部８０５は、ＨＳ−ＤＳＣＨに対するスケジューリング及び優先順位管理機能を遂行し、前記ＨＡＲＱ処理部８０３は、受信されるデータブロックに対する複合再伝送機能を遂行し、前記ＴＦＲＣ選択部８０４は、共通伝送チャネルのための伝送フォーマット 資源組み合せを選択する。前記ＴＦＲＣ選択部８０４は、ＵＥによってSecondary DPCHを通して伝送されたチャネル品質を参照して、適した変調方式を選択し、前記選択された変調方式情報を物理階層７０８に伝達する。前記スケジューリング／優先順位処理部８０５は、１つのＭＡＣ−ｄフロー当たりに１つの優先順位キュウー分配器(Priority Queue distribution)８０１及び前記優先順位キュウー分配器によって分配される多数の優先順位キュウー８０２を有する。
【００４０】
前記優先順位分配器８０１は、ＦＰ階層７０６から伝達されたＦＰ ＰＤＵの優先順位関連情報に基づいて、上位階層から伝達されたＭＡＣ−ｄ ＰＤＵを対応する優先順位キュウー８０２に伝達する。ＵＥとＳＲＮＣとの間には１つ以上のＭＡＣ−ｄマルチプレクサが存在することができ、ＭＡＣ−ｄフローは、ＭＡＣ−ｄマルチプレクサ当たりに生成される。前記ＭＡＣ−ｄマルチプレクサに関する説明は、図１０を参照して後で説明する。前記優先順位キュウー８０２に貯蔵されているＭＡＣ−ｄ ＰＤＵは、前記スケジューリング／優先順位処理部８０５の指示応答してＨＡＲＱ処理部８０３に伝達される。前記ＨＡＲＱ処理部８０３は、前記優先順位キュウー８０２から伝達されたＭＡＣ−ｄ ＰＤＵを連結し、前記連結されたＭＡＣ−ｄ ＰＤＵに図６において説明したＭＡＣ−ｈｓヘッダ６１１及びＣＲＣ６１５を挿入してＭＡＣ−ｈｓ ＰＤＵを生成し、前記生成されたＭＡＣ−ｈｓ ＰＤＵに対するｎ−ｃｈａｎｎｅｌ ＳＡＷ ＨＡＲＱ動作を遂行し、前記ＭＡＣ−ｈｓ ＰＤＵを物理階層７０８に伝達する。さらに、前記ノードＢのＭＡＣ−ｈｓ階層７０７は、物理階層７０８と直接連結され、物理階層７０８を通してＵＥと前記ＨＳＤＰＡ関連制御情報を送受信するassociatedアップリング／ダウンリンクシグナリング(uplink/Downlink Signaling)の無線制御チャネルを有する。
【００４１】
以上、前記ノードＢのＭＡＣ−ｈｓ階層７０７の構造に関して説明した。次に、図９を参照してＵＥ側ＭＡＣ−ｈｓ階層７１０の構造を説明する。
図９は、一般的なＨＳＤＰＡ方式を使用する通信システムにおいてＵＥ側ＭＡＣ−ｈｓ階層の構造を示す図である。
【００４２】
図９を参照すると、ＵＥのＭＡＣ−ｈｓ階層７１０も、前記ＨＳＤＰＡ方式を支援するためにＨＳ−ＤＳＣＨ上のＨＡＲＱ方式を支援するための機能が主要機能である。前記ＭＡＣ−ｈｓ階層７１０は、ノードＢ物理階層(ＰＨＹ)７０８、つまり無線チャネルから受信されたデータブロックのエラーを検査する。前記検査結果から、前記受信されたデータブロックまたは受信されたパケットデータに対するエラー発生が検出されない場合、前記ＭＡＣ−ｈｓ階層７１０は、前記ノードＢ物理階層(ＰＨＹ)７０８にＡＣＫ信号を伝送し、前記データブロックに対するエラー発生が検出されると、前記ノードＢ物理階層(ＰＨＹ)７０８に前記エラーが発生したデータブロックに対する再伝送を要求するＮＡＣＫ信号を生成して伝送する。さらに、前記ＭＡＣ−ｈｓ階層７１０は、ＵＴＲＡＮ(UMTS Terrestrial Radio Access Network)とＨＳＤＰＡ関連制御情報を送受信するために、associatedアップリング／ダウンリンクシグナリングの無線制御チャネルを有する。
【００４３】
図９に示すように、前記ＭＡＣ−ｈｓ階層７１０は、ＨＡＲＱ処理部９０１、再整列キュウー分配器(Reordering queue distribution)９０２、再整列キュウー(Reordering Queue)９０３、及び分割器(de-assembler)９０４から構成される。前記ＭＡＣ−ｈｓ階層７１０は、ＨＳ−ＳＣＣＨのＨＡＲＱ関連情報を利用して物理階層(ＰＨＹ)７０９の動作を制御することができ、ＭＡＣ−ｈｓ ＰＤＵは、前記再整列キュウー分配器９０２から適した再整列キュウー９０３に伝達される。前記再整列キュウー分配器９０２は、前記受信されたＭＡＣ−ｈｓ ＰＤＵのＭＡＣ−ｈｓヘッダの優先順位(Priority)フィールドに含まれた優先順位を利用する。前記再整列キュウー９０３は、前記ＭＡＣ−ｈｓ ＰＤＵヘッダのＴＳＮフィールドに含まれた値を利用して前記受信されたＭＡＣ−ｈｓ ＳＤＵの順序を再整列し、前記再整列されたＭＡＣ−ｈｓ ＳＤＵを前記分割器９０４に伝達する。前記分割器９０４は、前記ＭＡＣ−ｈｓヘッダのＳＩＤ＿ｘフィールド及びＮ＿ｘフィールドを利用してＭＡＣ−ｈｓ ＳＤＵをＭＡＣ−ｈｓ ＰＤＵに分割し、前記分割されたＭＡＣ−ｈｓ ＰＤＵを上位階層７１２に伝達する。
【００４４】
次に、前述したＭＡＣ−ｄマルチプレクサの構造を図１０を参照して説明する。
図１０は、一般的なＨＳＤＰＡ方式を使用する通信システムにおいてＭＡＣ−ｄマルチプレクサの構造を概略的に示す図である。
【００４５】
図１０を参照すると、上位階層７０１から伝達される多数の論理チャネル(logical channel)は、１つのＭＡＣ−ｄマルチプレクサによって多重化される。前記論理チャネルは、ＭＡＣ階層の上位階層である無線リンク制御器(Radio Link Control: ＲＬＣ)階層と前記ＭＡＣ階層との間に構成されたチャネルを意味し、前記ＲＬＣ階層エンティティ当たりに１つまたは２つの論理チャネルが構成されることができる。前記ＲＬＣ階層エンティティは、上位階層から伝達されたデータを予め決定されたサイズに整合し、前記予め決定されたサイズに整合されたデータに一連番号を含むヘッダを加える。前記ＲＬＣ階層エンティティは、本発明と直接的な連関性がないので、その詳細な説明を省略する。
【００４６】
図１０において、前記ＭＡＣ−ｄ階層７０２は３つのＭＡＣ−ｄマルチプレクサ１００３、１００４、１００５を含み、ＭＡＣ−ｈｓ階層７０７は１つのＭＡＣ−ｈｓマルチプレクサ１００６を含むと仮定して示す。説明の便宜のために、ＭＡＣ−ｄマルチプレクサ１００３、１００４、１００５のうちＭＡＣ−ｄマルチプレクサ１００３の動作を説明する。前記ＭＡＣ−ｄマルチプレクサ１００３は、多数の論理チャネルを、ＭＡＣ−ｄヘッダのＣ／Ｔフィールド(図示せず)に論理チャネルの識別子を挿入する方式で多重化する。前記Ｃ／Ｔフィールドは、ＭＡＣ−ｄ ＰＤＵのヘッダに挿入される情報であり、１つのＭＡＣ−ｄに多重化される論理チャネルを区分するために使用される。例えば、論理チャネル１００１の識別子が０であり、論理チャネル１００２の識別子が１であると仮定する場合、ＭＡＣ−ｄマルチプレクサ１００３が対応論理チャネルによって伝達されるＭＡＣ−ｄ ＰＤＵのＣ／Ｔフィールドに０及び１を挿入することによって、受信側は、前記ＭＡＣ−ｄ ＰＤＵを対応する論理チャネルに伝達することができる。
【００４７】
図１０を参照して説明したように、前記ＭＡＣ−ｄマルチプレクサは多数個が存在するので、相違なるＭＡＣ−ｄマルチプレクサに対応される同一の識別子を有する論理チャネルは、論理チャネル識別子が同一であっても、相違なる論理チャネルである。例えば、ＭＡＣ−ｄマルチプレクサ１００３と連結されており、論理チャネル識別子０を有する論理チャネルと、前記ＭＡＣ−ｄマルチプレクサ１００４と連結されており、論理チャネル識別子０を有する論理チャネルは、同一の論理チャネル識別子０を有しても、異なるＭＡＣ−ｄマルチプレクサに連結されているので、相違なる論理チャネルである。一方、同一のＭＡＣ−ｄマルチプレクサによって多重化されたＭＡＣ−ｄ ＰＤＵは、１つのＭＡＣ−ｄフローを構成し、前記ＭＡＣ−ｄフローは、Ｉｕｂインターフェースを通してＭＡＣ−ｈｓ階層７０７に伝達される。
【００４８】
以下、前記serving HS-SCCH setに関して詳細に説明する。
前記serving HS-SCCH setは、前述したように、任意のＵＥによって継続して監視されるべきであり、前記ＨＳＤＰＡ通信システムにおいて、前記serving HS-SCCH setは、最大４つのＨＳ−ＳＣＣＨから構成されることができる。つまり、１つのノードＢには多数のＨＳ−ＳＣＣＨが設定され、任意のＵＥのserving HS-SCCH setは、前記多数のＨＳ−ＳＣＣＨのうち一部から構成される。例えば、ノードＢ＃１においてＣ(１２８,０)〜Ｃ(１２８,７)の８つのＯＶＳＦコードがＨＳ−ＳＣＣＨに割り当てられた場合、前記ノードＢ＃１においてＨＳＤＰＡサービスを受けるＵＥは、前記ＨＳ−ＳＣＣＨのうち一部を自分のserving HS-SCCH setとして割り当てを受ける。前記serving HS-SCCH setをＵＥに知らせるために現在考慮されている信号フロー(signaling flow)を、図１１を参照して説明する。
【００４９】
図１１は、一般的なＨＳＤＰＡ方式を使用する通信システムにおいてserving HS-SCCH set伝送過程を示す信号のフローチャートである。
【００５０】
図１１は、ＵＥ、ノードＢ、ＲＮＣ、及びＣＮ間のＨＳＤＰＡ呼を設定するための信号フローを示す。図１１において、楕円の部分は、メッセージ(message)を送受信するプロトコルエンティティを意味する。前記メッセージに含まれているべき情報の種類は、表２のようである。説明の便宜のため、表２は、前記ＨＳＤＰＡのために新しく追加または修正されるべき情報エレメント(Information Element: 以下、ＩＥと称する)のみを示す。さらに、表２のReference 領域は、ＩＥに対応する全体リストを得ることのできる参考文献を示す。
【００５１】
【表２】
0003872438.tif 000003
【００５２】
図１１及び表２を参照して、前記ＵＥによって、ＨＳＤＰＡ呼を設定した後、前記serving HS-SCCH setを伝送する過程を説明する。
【００５３】
ＵＥは、任意のセル(cell)、つまりノードＢに 進入すると、セル選択過程を通して必要なシステム情報(System Information: ＳＩ)を獲得した後、無線資源制御連結要求(Radio Resource Control(RRC) CONNECTION REQUEST: 以下、RRC CONNECTION REQUESTと称する)メッセージをＲＮＣに伝送する(段階１１０１)。前記セル選択過程は、共通パイロットチャネル(Common PIlot CHannel: 以下、ＣＰＩＣＨと称する)及び第１制御チャネル(Primary Common Control CHannel: 以下、ＰＣＣＰＣＨと称する)を利用して対応するセルと同期を合せ、ランダムアクセスチャネル(Random Access CHannel: 以下、ＲＡＣＨと称する)情報を獲得する過程を意味する。前記RRC CONNECTION REQUESTメッセージは、前記ＲＮＣが対応するＵＥにＲＲＣ連結(connection)が設定されているか否かを判断することができるように、UE identity IEが挿入される。前記ＲＲＣ連結は、前記ＵＥが最初にシステムに接続してネットワークに必要な情報を伝送することのできる信号連結(signaling connection)を意味する。しかしながら、場合によって、使用者データを伝送する専用チャネル(Dedicated Channel: ＤＣＨ)がＲＲＣ連結に含まれることもある。図１１においては、前記RRC CONNECTION REQUESTメッセージが信号連結設定のみを要求すると仮定する。
【００５４】
前記RRC CONNECTION REQUESTメッセージを受信すると、前記ＲＮＣは、UE identity IEを利用して対応するＵＥにＲＲＣ連結が認可されているか否かを決定した後、ＲＲＣ連結が認可される場合は、ＲＲＣ連結に関連した多数のＩＥを有するＲＲＣ連結セットアップ(RRC CONNECTION SETUPと称する)メッセージを前記ＵＥに伝送する(段階１１０２)。前記RRC CONNECTION SETUPメッセージは、前記ＵＥがＲＡＣＨ、順方向アクセルチャネル(Forward Access Channel: ＦＡＣＨ)のような共通チャネル(common channel)において使用するＵＥ識別子を含む。前記RRC CONNECTION SETUPメッセージを受信すると、前記ＵＥは、ＲＲＣ連結セットアップ完了(RRC CONNECTION SETUP COMPLETEと称する)メッセージをUE radio access capability IEと共にＲＮＣに伝送する(段階１１０３)。一般的に、前記UE radio access capability IEは、物理チャネル性能(Physical channel capability)ＩＥ及びターボコーディング(turbo coding)を支援するか否かを示す物理チャネル性能ＩＥを含む。本発明において、前記UE radio access capability IEは、対応するＵＥがＨＳ−ＰＤＳＣＨ受信を支援するか否かを示す情報を含む。さらに、前記RRC CONNECTION SETUP COMPLETEメッセージは、前記ＵＥが異なる周波数間のハンドオーバー、つまり“inter frequency handover(HO)”を支援するか否を示す情報も含む。前記RRC CONNECTION SETUP COMPLETEメッセージを受信すると、前記ＲＮＣは、前記ＵＥ関連情報を貯蔵する。
【００５５】
前述したように、ＲＲＣ連結を設定した後、前記ＵＥは、必要である時、前記ＲＮＣに新しい呼設定を要求する最初伝送(INITIAL DIRECT TRANSFER)メッセージを伝送する(段階１１０４)。前記ＣＮに新しい呼設定を要求するために前記ＵＥによって使用されるINITIAL DIRECT TRANSFERメッセージは、ＲＲＣメッセージのＮＡＳ(Non Access Stratum)メッセージＩＥに含まれて伝送される。前記ＮＡＳメッセージは、前記ＣＮによって対応する呼を処理するために必要な情報、例えば、呼の品質関連情報を含むことができる。従って、前記ＵＥがINITIAL DIRECT TRANSFERメッセージをＲＮＣに伝送することによって、前記ＲＮＣは、前記INITIAL DIRECT TRANSFERメッセージを“初期ＵＥ(INITIAL UE)メッセージ”というＲＡＮＡＰメッセージに変更して前記ＣＮに伝達する(段階１１０５)。前記INITIAL UEメッセージを受信すると、前記ＣＮは、前記受信されたINITIAL UEメッセージに含まれているＮＡＳ message IEの品質関連情報に基づいて無線 接続ベアラー(Radio Access Bearer: 以下、ＲＡＢと称する)パラメータを決定する。前記ＲＡＢパラメータは、対応する呼の最大伝送速度(Maximum bit rate)、認可伝送速度(Guaranteed bit rate)、呼の種類を示すトラヒック等級(traffic class)などを含む。前記トラヒック等級は、カンヴァセーショナル等級(conversational class)、ストリーミング等級(streaming class)、インタラクティブ等級(interactive class)、バックグラウンド等級(background class)などがあり、カンヴァセーショナル等級及びストリーミング等級は、実時間性を有し、音声通信を含む多重マルチメディアサービスに主に該当され、インタラクティブ等級及びバックグラウンド等級は、非実時間性を有し、データサービスに主に該当される。従って、段階１１０４及び段階１１０５で前記ＵＥによって要請された呼がデータサービスである場合、前記ＣＮは、ＲＡＢパラメータにインタラクティブまたはバックグラウンド等級を適用し、前記呼が音声サービスである場合、前記ＣＮは、カンヴァセーショナル等級を適用する。前記ＲＡＢパラメータを決定した後、前記ＣＮは、ＲＡＢ割り当て要求(RAB ASSIGNMENT REQUEST)メッセージを前記ＲＮＣに伝送する(段階１１０６)。前記ＲＮＣは、前記RAB ASSIGNMENT REQUESTメッセージに含まれているＲＡＢパラメータに基づいて対応するＵＥに設定されるチャネルを決定する。前記ＲＡＢパラメータが設定使用とする呼が高速データサービスであることを指示する場合、つまり、前記ＲＡＢパラメータのトラヒック等級がインタラクティブまたはバックグラウンド等級で、最大の伝送速度(maximum bit rate)を有する場合、前記ＲＮＣは、前記呼をＨＳＤＰＡ呼に設定することができる。
【００５６】
前記RAB ASSIGNMENT REQUESTメッセージを受信すると、前記ＲＮＣは、対応するセルを管理するノードＢに無線リンクセットアップ要求(RADIO LINK SETUP REQUEST)メッセージを伝送する(段階１１０７)。本発明において、前記RADIO LINK SETUP REQUESTメッセージは、ＨＳ−ＤＳＣＨ ｉｎｆｏ ＩＥを新しく定義し、前記ＨＳ−ＤＳＣＨ ｉｎｆｏ ＩＥは、ＵＥ識別子及びその他のＵＥ関連情報を含む。さらに、前記RADIO LINK SETUP REQUESTメッセージは、前記associated DPCH及びSecondary DPCH関連情報も含むべきである。前記ＤＰＣＨ関連情報は、ＯＶＳＦコードがなることができ、前記ＤＰＣＨが活性化される時期を示す活性化時点関連情報も含むことができる。前記RADIO LINK SETUP REQUESTメッセージを受信すると、前記ノードＢは、前記RADIO LINK SETUP REQUESTメッセージに含まれているＵＥの識別子を貯蔵し、対応するＵＥをサービスするバッファ(buffer)を割り当て、ＭＡＣ−ｈｓエンティティを構成する。さらに、前記ノードＢは、対応するＵＥのserving HS-SCCH setを決定する。前記ＤＰＣＨの構成を完了すると、前記ノードＢは、無線リンクセットアップ応答(RADIO LINK SETUP RESPONSE)メッセージを前記ＲＮＣに伝送する(段階１１０８)。前記RADIO LINK SETUP RESPONSEメッセージを受信すると、前記ＲＮＣは、前記ＵＥに無線ベアラーセットアップ(RADIO BEARER SETUP)メッセージを送信する(1109段階)。前記RADIO BEARER SETUPメッセージは、前記ＤＰＣＨ関連情報及びＨＳＤＰＡに関連してＵＥが認知すべく情報、つまり、ＨＡＲＱプロセッサの個数及びserving HS-SCCH set関連情報を含む。前記RADIO BEARER SETUPメッセージを受信すると、前記ＵＥは、ＤＰＣＨを構成した後、無線ベアラーセットアップ完了(RADIO BEARER SETUP COMPLETE)メッセージを前記ＲＮＣに伝送して、ＨＳ−ＰＤＳＣＨを受信する準備が完了したことを通報する(段階１１１０)。前記ＲＮＣは、ＲＡＢ割り当て応答(RAB ASSIGNMENT RESPONSE)メッセージをＣＮに送信して、呼設定が完了したことを通報する(段階１１１１)。
【００５７】
前記serving HS-SCCH setは、ノードＢによってＨＳＤＰＡサービスを受信するＵＥの状況によって適応的に設定されることができる。例えは、１つのノードＢ内でＨＳＤＰＡサービスを受けるＵＥの数が増加すると、新しいＯＶＳＦコードをＨＳ−ＳＣＣＨに割り当てることができ、前記ＨＳ−ＳＣＣＨに新しいＯＶＳＦコードを割り当てることができることによって、前記ＵＥのserving HS-SCCH setが再設定される。しかしながら、前記serving HS-SCCH setは、それぞれのＵＥに対応する情報であり、ノードＢとＵＥとの間に共有される情報であるので、上位階層、つまりＳＲＮＣを通して前記serving HS-SCCH setを送受信することは非効率的である。従って、最初に設定されたＵＥに対するserving HS-SCCH setを再設定する方法が要求される。
【００５８】
【発明が解決しようとする課題】
従って、本発明の目的は、高速順方向パケット接続方式を使用する通信システムにおいて、サービング高速共通制御チャネルセット情報を効率的に伝送する装置及び方法を提供することにある。
【００５９】
本発明の他の目的は、高速順方向パケット接続方式を使用する通信システムにおいて、サービング高速共通制御チャネルセット情報をノードＢとＵＥとの間に直接送受信する装置及び方法を提供することにある。
【００６０】
本発明のまた他の目的は、高速順方向パケット接続方式を使用する通信システムにおいて、サービング高速共通制御チャネルセット情報を再設定する装置及び方法を提供することにある。
【００６１】
本発明のまた他の目的は、高速順方向パケット接続方式を使用する通信システムにおいて、サービング高速共通制御チャネルセット情報をノードＢとＵＥとの間に直接再設定する装置及び方法を提供することにある。
【００６２】
本発明のまた他の目的は、高速順方向パケット接続方式を使用する通信システムにおいて、高速共通制御チャネルに割り当てられるチャネル化コード資源を効率的に管理するサービング高速共通制御チャネルセット情報を再設定する装置及び方法を提供することにある。
【００６３】
本発明のまた他の目的は、高速順方向パケット接続方式を使用する通信システムにおいて、高速媒体接続制御メッセージを利用して初期伝送及び再伝送に使用されるバッファ状態を効率的に管理する装置及び方法を提供することにある。
【００６４】
【課題を解決するための手段】
このような目的を達成するための本発明は、多数の使用者端末機(ＵＥ)によって占有され、多数のチャネル化コードで拡散されて使用者データを伝送する共通チャネル、及び前記ＵＥが前記共通チャネル信号を受信することを可能するために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記ＵＥが前記多数の制御チャネルセットのうち特定の制御チャネルセットをモニタリングするように前記制御チャネルセットを割り当てる通信システムで、制御チャネルセット情報を伝送する方法を提供する。前記伝送方法は、前記ＵＥのうち任意のＵＥに割り当てられる制御チャネルセットを変更する必要がある場合、前記ＵＥに割り当てられている制御チャネルセットを予め決定された時点で新しい制御チャネルセットに変更することを決定する過程と、前記制御チャネルセットが変更される予定であることを示すインジケータ及び前記変更される制御チャネルセット情報を、順方向リンクを通して前記ＵＥに伝送する過程と、を含む。
【００６５】
このような目的を達成するための本発明は、多数のＵＥによって占有され、多数のチャネル化コードで拡散されて使用者データを伝送する共通チャネル、及び前記ＵＥが前記共通チャネル信号を受信することを可能するために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記ＵＥが前記多数の制御チャネルセットのうち特定の制御チャネルセットをモニタリングするように前記制御チャネルセットを割り当てる通信システムで、制御チャネルセット情報を伝送する装置を提供する。前記伝送装置は、前記ＵＥのうち１つのＵＥに割り当てられる制御チャネルセットを変更すべきであることを感知すると、前記ＵＥに割り当てられている制御チャネルセットを予め決定された時点で新しい制御チャネルセットに変更することを決定する制御器と、前記制御器の制御によって、前記制御チャネルセットが変更される予定であることを示すインジケータ及び前記変更される制御チャネルセット情報を順方向リンクを通して前記ＵＥに伝送する送信器と、を含む。
【００６６】
このような目的を達成するための本発明は、多数のＵＥによって占有され、多数のチャネル化コードで拡散されて使用者データを伝送する共通チャネル、及び前記ＵＥが前記共通チャネル信号を受信することを可能するために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記ＵＥが前記多数の制御チャネルセットのうち特定の制御チャネルセットをモニタリングするように前記制御チャネルセットを割り当てる通信システムで、制御チャネルセット情報を受信する方法を提供する。前記受信方法は、順方向リンクを通して現在割り当てられている制御チャネルセット情報が新しい制御チャネルセット情報に変更されることを示すインジケータ、及び前記新しい制御チャネルセット情報を含む制御チャネルセット情報を受信する過程と、前記制御チャネルセット情報が検出された時点の後の予め決定された時点で前記新しい制御チャネルセット情報を適用することによって制御チャネルセットをモニタリングする過程と、を含む。
【００６７】
このような目的を達成するための本発明は、多数のＵＥによって占有され、多数のチャネル化コードで拡散されて使用者データを伝送する共通チャネル、及び前記ＵＥが前記共通チャネル信号を受信することを可能するために前記共通チャネルと関連した制御情報を伝送する多数の制御チャネルを有し、前記多数の制御チャネルを予め決定された個数の制御チャネルに分類することによって多数の制御チャネルセットを生成し、それぞれの前記ＵＥが前記多数の制御チャネルセットのうち特定の制御チャネルセットをモニタリングするように前記制御チャネルセットを割り当てる通信システムで、制御チャネルセット情報を受信する装置を提供する。前記受信装置は、順方向リンクを通して、現在割り当てられている制御チャネルセット情報が新しい制御チャネルセット情報に変更されることを示すインジケータ、及び前記新しい制御チャネルセット情報を含む制御チャネルセット情報を受信する受信器と、前記制御チャネルセット情報が検出された時点の後の予め決定された時点で前記新しい制御チャネルセット情報を適用することによって制御チャネルセットをモニタリングする制御器と、を含む。
【００６８】
【発明の実施の形態】
以下、本発明に従う好適な実施形態について添付図を参照しつつ詳細に説明する。下記の説明において、本発明の要旨のみを明確にする目的で、関連した公知機能または構成に関する具体的な説明は省略する。
【００６９】
本発明は、サービング高速共通制御チャネルセット(serving HS-SCCH set)を再設定する時、基地局(ノードＢ)と使用者端末機(User Equipment: 以下、ＵＥと称する)との間に直接前記serving HS-SCCH setを送受信する方式を提案する。前記serving HS-SCCH setをノードＢとＵＥとの間に直接送受信する方式は、高速共通制御チャネル(High Speed-Shared Control Channel: 以下、ＨＳ−ＳＣＣＨと称する)スロットフォーマット(slot format)のうち現在使用されていないフィールド(field)を使用して前記serving HS-SCCH setを再設定する第１実施形態、及び高速媒体接続制御(Medium Access Control-high speed: 以下、ＭＡＣ−ｈｓと称する)プロトコルデータユニット(Protocol Data Unit: 以下、ＰＤＵと称する)を使用して前記serving HS-SCCH setを再設定する第２実施形態の２つの方式がある。
【００７０】
以下、第１実施形態に関して説明する。
１．第１実施形態
まず、前記serving HS-SCCH setの構成を説明する。
前記serving HS-SCCH set情報は、直交可変拡散係数(Orthogonal Variable Spreading Factor: 以下、ＯＶＳＦと称する)コード(code)と論理的識別子(logical identifier)を対応させる方式によって生成されると仮定する。例えば、任意のＵＥのserving HS-SCCH setに[Ｃ(１２８,１２４)、Ｃ(１２８,１２５)、Ｃ(１２８,１２６)、Ｃ(１２８,１２７)]が割り当てられた場合、[Ｃ(１２８,１２４)＝０、Ｃ(１２８,１２５)＝１、Ｃ(１２８,１２６)＝２、Ｃ(１２８,１２７)＝３]のように論理的識別子と一対一の対応関係を予め設定することができる。
一般的に、高速順方向パケット接続(High Speed Downlink Packet Access: 以下、ＨＳＤＰＡと称する)方式(scheme)を使用する通信システムにおいて、１つのノードＢに最大４つのＨＳ−ＳＣＣＨが設定され、ＵＥは、前記ノードＢに設定されている４つのＨＳ−ＳＣＣＨに対して持続的な監視をする。従って、図３において説明したように、前記serving HS-SCCH setには、４つのＨＳ−ＳＣＣＨに対応する４つのＯＶＳＦコード、及び前記４つのＨＳ−ＳＣＣＨを区別するための４つの論理的識別子が割り当てられる。前記４つのＨＳ−ＳＣＣＨ、論理的識別子、及びＯＶＳＦコード間に対応される論理的関係は、図１１において説明したように、前記ノードＢによって対応するＵＥに対して決定された後、前記ノードＢから無線リンクセットアップ応答(RADIO LINK SETUP RESPONSE)メッセージを利用してサービング無線ネットワーク制御器(Serving Radio Network Controller: 以下、ＳＲＮＣと称する)に伝達され、前記ＳＲＮＣから無線ベアラー セットアップ(以下、RADIO BEARER SETUPと称する)メッセージを利用してＵＥに伝達される。従って、前記serving HS-SCCH set情報を受信したＵＥは、連関専用物理チャネル(associated DPCH(Dedicated Physical CHannel: 以下、ＤＰＣＨと称する): 以下、associated DPCH称する)及び高速順方向共通チャネルインジケータ(HS−DSCH Indicator: 以下、ＨＩと称する)を通して伝送されるＨＳ−ＳＣＣＨの論理的識別子が指示するＯＶＳＦコードを決定することができる。
【００７１】
さらに、前記ＳＲＮＣは、前記serving HS-SCCH set情報として対応するＵＥによって使用されるserving HS-SCCH set情報のみを伝達せず、任意のノードＢ、つまりセル(cell)に構成されている全てのＨＳ−ＳＣＣＨセット情報のリスト(list)を伝達することができ、前記全てのＨＳ−ＳＣＣＨセット情報のリストのうち特定のserving HS-SCCH set情報をＵＥのserving HS-SCCH setとして指定することができる。この場合、前記RADIO BEARER SETUPメッセージを通して伝送されるＨＳ−ＳＣＣＨ関連情報は、全てのＨＳ−ＳＣＣＨセット及びserving HS-SCCH setになることができる。例えば、任意のノードＢに３つのＨＳ−ＳＣＣＨセットが構成されており、ＨＳ−ＳＣＣＨセット＃２が任意のＵＥに対するserving HS-SCCH setであると仮定する場合、前記RADIO BEARER SETUPメッセージは、以下のような情報を含む。
ＨＳ−ＳＣＣＨ関連情報＝[ＨＳ−ＳＣＣＨセット１＝[Ｃ(１２８,１２４)＝０、Ｃ(１２８,１２５)＝１、Ｃ(１２８,１２６)＝２、Ｃ(１２８,１２７)＝３]、
ＨＳ−ＳＣＣＨセット２＝[Ｃ(１２８,０)＝０、Ｃ(１２８,１)＝１、Ｃ(１２８,２)＝２、Ｃ(１２８,３)＝３]、
ＨＳ−ＳＣＣＨセット３＝[Ｃ(１２８,４)＝０、Ｃ(１２８,５)＝１、Ｃ(１２８,６)＝２、Ｃ(１２８,７)＝３]
serving HS-SCCH set＝ＨＳ−ＳＣＣＨセット２]
【００７２】
前記RADIO BEARER SETUPメッセージを受信したＵＥは、serving HS-SCCH setが変更されるまで、ＨＳ−ＳＣＣＨセット＃２に属するＯＶＳＦコードを継続して監視する。
【００７３】
本発明の第１実施形態において、任意のＵＥに対するserving HS-SCCH set情報を変更するために、ノードＢは、ＨＳ−ＳＣＣＨのパート＃１フィールドを通して伝送されるコード情報(以下、ｃｏｄｅ＿ｉｎｆｏと称する)を示す論理的識別子のうち使用されない論理的識別子を利用して、前記serving HS-SCCH set情報が変更されるにつれて伝送されるサービング高速共通制御チャネルセット修正(SERVING HS-SCCH SET MODIFY)メッセージが伝送されることを示し(indication)、前記ＨＳ−ＳＣＣＨのパート＃２フィールドの所定の４ビットを利用して前記SERVING HS-SCCH SET MODIFYメッセージを伝送する。前記SERVING HS-SCCH SET MODIFYメッセージは、前記変更されたserving HS-SCCH setに対する情報を含むメッセージであり、前記変更されたserving HS-SCCH setに関する情報は、前記変更されたserving HS-SCCH set ID、前記変更されたserving HS-SCCH set IDに対するＯＶＳＦコード、または、前記ノードＢにおいてＨＳ−ＳＣＣＨセットが全般的に再設定された時、前記ＨＳ−ＳＣＣＨセットに含まれるserving HS-SCCH setのＩＤ及び対応するＯＶＳＦコードのリスト(list)のような情報になることができる。前記ＯＶＳＦコードのリストを前記SERVING HS-SCCH SET MODIFYメッセージを通して伝送する場合、対応するＵＥだけでなく前記ＵＥに連結されているＳＲＮＣにも前記SERVING HS-SCCH SET MODIFYメッセージを通してＯＶＳＦコードリストを伝送する必要がある。本発明の第１実施形態において、前記SERVING HS-SCCH SET MODIFYメッセージとともに新しく設定されたserving HS-SCCH set IDを伝送すると仮定して説明する。さらに、前記SERVING HS-SCCH SET MODIFYメッセージが伝送されることを示すインディケーションレート(indication)、つまり、ｃｏｄｅ＿ｉｎｆｏフィールドを通して伝送される論理的識別子を、“SERVING HS-SCCH SET MODIFYメッセージインジケータ(indicator)”と定義する。
【００７４】
図５において説明したように、ｃｏｄｅ＿ｉｎｆｏを伝送するために使用される論理的識別子は、７ビットから構成される。先行する３ビットは、使用されるＯＶＳＦコードの個数を示し、残りの４ビットは、ＯＶＳＦコードツリー上で開始点(Start Pint: ＳＰ)を示す。しかしながら、現在前記ｃｏｄｅ＿ｉｎｆｏを伝送するために使用される７ビットの論理的識別子のうち、８つの論理的識別子、つまり、図５において説明したような“１１１ ００００”、“１１１ ０００１”、“１１１ ００１０”、“１１１ ００１１”、“１１１ ０１００”、“１１１ ０１０１”、“１１１ ０１１０”、“１１１ １１１１”のような論理的識別子は使用されない。
【００７５】
従って、本発明の第１実施形態において、前記ｃｏｄｅ＿ｉｎｆｏを示すために使用される７ビットの論理的識別子のうち、現在使用されていない８つの論理的識別子を、ノードＢからＵＥにSERVING HS-SCCH SET MODIFYメッセージが伝送されることを示すSERVING HS-SCCH SET MODIFYメッセージインジケータとして使用されるように設定する。第１実施形態において、例えば、８つの使用されないｃｏｄｅ＿ｉｎｆｏ論理的識別子のうち、“１１１ ００００”を前記SERVING HS-SCCH SET MODIFYメッセージインジケータとして使用する。つまり、前記“１１１ ００００”が前記SERVING HS-SCCH SET MODIFYメッセージが伝送されることをＵＥに知らせるために使用される。前記SERVING HS-SCCH SET MODIFYメッセージインジケータは、表３に示すようである。
【００７６】
【表３】
0003872438.tif 000004
【００７７】
次に、前記SERVING HS-SCCH SET MODIFYメッセージの構造を図１２を参照して説明する。
図１２は、本発明の第１実施形態によるＨＳＤＰＡ方式を使用する通信システムにおいてSERVING HS-SCCH SET MODIFYメッセージを伝送するＨＳ−ＳＣＣＨ 構造を示す図である。
【００７８】
図１２を参照すると、前記ＨＳ−ＳＣＣＨスロットフォーマット(slot format)は、Ｐａｒｔ＃１フィールド１２１１、ＣＲＣ(Cyclic Redundancy Check: 以下、ＣＲＣと称する)＃１フィールド１２１３、Ｐａｒｔ＃２フィールド１２１５、及びＣＲＣ＃２フィールド１２１７から構成される。図４において説明したように、前記ＨＳ−ＳＣＣＨを通して伝送される制御情報のうち、変調方式(Modulation scheme: 以下、ＭＳと称する)情報、ＨＳ−ＤＳＣＨチャネル化コード情報(以下、ｃｏｄｅ＿ｉｎｆｏと称する)、伝送ブロックサイズ(Transport Block Size: 以下、ＴＢＳと称する)情報を、“伝送フォーマット及び資源関連情報(Transport Format and Resource related Information: 以下、ＴＦＲＩと称する)”と称し、前記ＨＡＲＱチャネル番号(HARQ channel number)情報、リダンダンシーバージョン(Redundancy version: 以下、ＲＶと称する)情報、及び新規データ インジケータ(New Data Indicator: 以下、ＮＤＩと称する)情報を、“ＨＡＲＱ情報”と称する。さらに、前記ＨＳ−ＳＣＣＨが拡散係数(Spreading Factor: 以下、ＳＦと称する)が１２８であるＯＶＳＦコードを使用して伝送される場合、図１２に示すように、前記Ｐａｒｔ＃１フィールド１２１１に８ビットが、前記ＣＲＣ＃１フィールド１２１３に１２ビットが、Ｐａｒｔ＃２フィールド１２１５に１２ビットが、ＣＲＣ＃２フィールド１２１７に８ビットが割り当てられる。前記ｃｏｄｅ＿ｉｎｆｏは、前記Ｐａｒｔ＃１フィールド１２１１を通して伝送され、前記ｃｏｄｅ＿ｉｎｆｏが前記“１１１ ００００を示す場合は、前記ｃｏｄｅ＿ｉｎｆｏがSERVING HS-SCCH SET MODIFYメッセージインジケータを意味する。対応するＵＥが次の伝送時区間(Transmission Time Interval: 以下、ＴＴＩと称する)から自分のserving HS-SCCH setとして監視すべきであるＨＳ−ＳＣＣＨセット示すＨＳ−ＳＣＣＨセットID、つまり、SERVING HS-SCCH SET MODIFYメッセージは、前記Ｐａｒｔ＃２フィールド１２１５の１２ビットのうち先行する４ビットによって示される。前記SERVING HS-SCCH SET MODIFYメッセージを伝送することは、serving HS-SCCH setを再設定することを意味するので、前記Ｐａｒｔ＃１フィールド１２１１のＭＳ部分及び前記Ｐａｒｔ＃２フィールド１２１５の残りの８ビットは使用されない。しかしながら、前記ＣＲＣ＃１及びＣＲＣ＃２演算のために、予め設定されたデータ、例えば、ダミービット(dummy bit)で設定されるべきである。勿論、前記ダミービットを使用しない場合、実際伝送されるデータを反復(repetition)または穿孔(puncturing)してＣＲＣ演算をすることもできる。さらに、図１２のＨＳ−ＳＣＣＨスロットフォーマットが前記Ｐａｒｔ＃１フィールド１２１１において前記ｃｏｄｅ＿ｉｎｆｏ部分より前記ＭＳ部分が先行することを示しているが、前記ＭＳ部分よりｃｏｄｅ＿ｉｎｆｏ部分が先行することもできる。
【００７９】
次に、ＭＡＣ−ｈｓ制御器の構造を図１３を参照して説明する。
図１３は、本発明の第１実施形態によるノードＢ側 ＭＡＣ−ｈｓ制御器の構造を示す図である。
【００８０】
図１３は、ノードＢ ＭＡＣ−ｈｓ階層のＭＡＣ−ｈｓ制御器の構造を示す図である。ＨＳＤＰＡ通信システムにおいて、ＵＥ、ノードＢ及びＳＲＮＣのＭＡＣ階層は、図７において説明したような構造を有する。前記ＭＡＣ−ｈｓ制御器１３３０は、ＨＡＲＱ制御器／優先順位キュウー制御器(Priority queue controller)(以下、ＨＰＣと称する)１３４０、スケジューラ(Scheduler)／優先順位処理器(Priority Handler)(以下、ＳＰＨと称する)１３５０、及び構成制御器(Configuration Controller: 以下、ＣＣと称する)１３６０から構成される。
【００８１】
前記ＨＰＣ１３４０は、ＵＥによって伝送される第２専用物理チャネル(Secondary DPCH)の認知／否定的認知(ＡＣＫ／ＮＡＣＫ)信号１３０１を受信すると、ＨＡＲＱ再伝送バッファ(HARQ retransmission buffer)(図示せず)に貯蔵されている符号化ブロック(coded block)の除去を命令する。つまり、前記ＨＰＣ１３４０は、特定のチャネルｘに対するＡＣＫ信号を受信すると、前記チャネルｘのＨＡＲＱ再伝送バッファに貯蔵されている全ての符号化ブロックを除去することを命令する(１３１６)。しかしながら、前記ＨＰＣ１３４０は、前記チャネルｘに対するＮＡＣＫ信号を受信すると、前記チャネルｘを通して伝送された符号化ブロックに対する再伝送が必要であることを示す情報を前記ＳＰＨ１３５０に提供する(１３１４)。さらに、前記ＨＰＣ１３４０は、前記ＳＰＨ１３５０からの指示(１３１５)に従って、前記ＨＡＲＱ再伝送バッファまたは優先順位キュウー(priority queue)に対応する使用者データ(user data)を伝送伝送することを命令し(１３１６及び１３１７)、前記再伝送される使用者データに対応するＨＡＲＱチャネル番号情報、ＲＶ情報 及びＮＤＩ情報をＨＳ−ＳＣＣＨ送信器(図示せず)に伝達する(１３１８)。
【００８２】
前記ＳＰＨ１３５０は、前記Secondary DPCHを通して受信されるチャネル品質報告(Channel Quality Report: 以下、ＣＱＲと称する)１３０２及び優先順位キュウーからのバッファ状態(buffer status)を受信し(１３０３)、前記ＨＰＣ１３４０からの対応する使用者データが再伝送されるか否かを示す情報に基づいて次のＴＴＩにＨＳ−ＰＤＳＣＨを通してデータを伝送する優先順位キュウーを決定する。さらに、前記ＳＰＨ１３５０は、前記ＨＳ−ＰＤＳＣＨの伝送のために使用されるＭＳ、前記ＨＳ−ＰＤＳＣＨの伝送のために使用されｒｃｏｄｅ＿ｉｎｆｏ、前記ＨＳ−ＰＤＳＣＨを通して伝送されるデータの量、つまりＴＢＳ、及びＨＳ−ＳＣＣＨセットのうち１つを、前記制御情報、つまり、前記ＨＳ−ＰＤＳＣＨの伝送ために使用されるＭＳ、前記ＨＳ−ＰＤＳＣＨの伝送に使用されるｃｏｄｅ＿ｉｎｆｏ、前記ＨＳ−ＰＤＳＣＨを通して伝送されるＴＢＳのような制御情報を伝送するＨＳ−ＳＣＣＨのＨＳ−ＳＣＣＨセットとして決定する。前記ＳＰＨ１３５０は、前記決定されたＭＳ情報、ＴＢＳ情報、ｃｏｄｅ＿ｉｎｆｏ、ＨＳ−ＳＣＣＨの論理的識別子、つまり、ＨＳ−ＳＣＣＨ ＩＤをＨＳ−ＳＣＣＨ送信器に伝達する(１３０８、１３０９、１３１０、１３２０)。さらに、前記ＳＰＨ１３５０は、前記決定されたＭＳ情報、ＴＢＳ情報、及びｃｏｄｅ＿ｉｎｆｏをＨＳ−ＰＤＳＣＨ送信器(図示せず)に伝達する(１３０５、１３０６、１３０７)。さらに、前記ＳＰＨ１３５０は、データを伝送する優先順位キュウーまたはＨＡＲＱ再伝送バッファの識別子、及びＴＢＳを前記ＨＰＣ１３４０に伝達する(１３１５)。
【００８３】
次に、前記ＣＣ１３６０は、ＮＢＡＰ(Node B Application Part: 以下、ＮＢＡＰと称する)(図示せず)から構成(configuration)情報を受信(１３１２)することによって、ＭＡＣ−ｈｓ階層及び物理階層(physical layer)を構成する。前記“構成情報”は、ＨＡＲＱプロセッサの設定、ＨＡＲＱ再伝送バッファの割り当て、優先順位キュウー構成のために必要な情報、及び前記serving HS-SCCH setの設定のために情報である。前記ＣＣ１３６０は、前記ＨＳ−ＳＣＣＨセット関連情報及びserving HS-SCCH setの識別子(ＩＤ)を決定し、前記決定されたserving HS-SCCH set IDを前記ＮＢＡＰに伝達し(１３１９)、ＨＳ−ＳＣＣＨ送信器に伝達する(１３１１)。さらに、前記ＣＣ１３６０は、前記ＮＢＡＰから受信される前記構成情報のうちＵＥ識別子をＨＳ−ＳＣＣＨ送信器に伝達する(１３１１)。
【００８４】
一方、前記ノードＢが任意のＵＥに対するserving HS-SCCH setを再設定することを決定した場合、前記ＣＣ１３６０は、貯蔵されていたＨＳ−ＳＣＣＨセットのうち１つをＵＥに対する新しいserving HS-SCCH setとして決定し、前記決定された新しいserving HS-SCCH set IDをＨＳ−ＳＣＣＨ送信器に伝達する(１３１１)。さらに、前記ＣＣ１３６０は、前記ＵＥに対するserving HS-SCCH set再設定により、前記ＳＰＨ１３５０にSERVING HS-SCCH SET MODIFYメッセージインジケータ及びSERVING HS-SCCH SET MODIFYメッセージ、つまり、新しいserving HS-SCCH set IDを伝達する(１３１３)。
【００８５】
そうすると、前記ＳＰＨ１３５０は、伝送すべき緊急のデータが存在しない時点で、前記SERVING HS-SCCH SET MODIFYメッセージインジケータ、及び対応するSERVING HS-SCCH SET MODIFYメッセージ、つまり、serving HS-SCCH set IDを、対応するＵＥに伝送し、前記対応するＵＥに前記SERVING HS-SCCH SET MODIFYメッセージインジケータ及びSERVING HS-SCCH SET MODIFYメッセージを伝送したことを前記ＣＣ１３６０に通報する(１３２１)。記ＳＰＨ１３５０は、前記SERVING HS-SCCH SET MODIFYメッセージインジケータを伝送するために、ｃｏｄｅ＿ｉｎｆｏとして論理的識別子‘１１１ ００００’を(１３２０)、前記ＭＳとしては、伝送するデータが存在しないので、予め設定された値、例えば、１または０を(１３０８)、前記ＴＢＳとしては、SERVING HS-SCCH SET MODIFYメッセージ、つまり、‘サービングＨＳ−ＳＣＣＨ ＩＤ’＋０００‘サービングＨＳ−ＳＣＣＨ ＩＤ’＋１１１のうち予め設定された値を(１３０９)前記ＨＳ−ＳＣＣＨ送信器に伝送する。前記“０００”または“１１１”は、前記ＴＢＳに伝送されるデータが存在しないので、前記サービングＨＳ−ＳＣＣＨ ＩＤと共に伝送される一種のダミー(dummy)ビットになる。この時、前記ＨＰＣ１３４０は、前記ＨＳ−ＳＣＣＨ送信器に、‘０００００’及び‘１１１１１’のうち予め設定された値を伝達する(１３１８)。さらに、前記ＣＣ１３６０は、前記ＳＰＨ１３５０からSERVING HS-SCCH SET MODIFYメッセージインジケータ及びSERVING HS-SCCH SET MODIFYメッセージの伝送が完了したことを受信すると、前記ＨＳ−ＳＣＣＨ送信器に新しいserving HS-SCCH set IDに対するserving HS-SCCH setを適用することを指示する(１３１１)。
【００８６】
ここで、ノードＢ側ＣＣ１３６０によって実際serving HS-SCCH set情報を変更する具体的な動作を説明する。前記ノードＢ側ＣＣ１３６０の前記serving HS-SCCH set情報を変更する動作は、下記の本発明の第２実施形態によるノードＢ側ＣＣ２１６０にも同一に適用される。
【００８７】
前記ＣＣ１３６０は、任意のＵＥに対するserving HS-SCCH setを変更することができる。つまり、前記ＣＣ１３６０は、１つのノードＢ内でＨＳＤＰＡサービスを受けるＵＥの数が状況によって変換し、serving HS-SCCH setにＵＥが均等に分布しない場合、つまり、前記ノードＢのＯＶＳＦコード資源の効率性が低下する場合、前記serving HS-SCCH setを変更する。前記ＣＣ１３６０は、前記ＵＥに対するserving HS-SCCH setの変更を決定するために、表４のようなserving HS-SCCH set状態(status)を管理することができる。
【００８８】
【表４】
0003872438.tif 000005
【００８９】
表４において、前記ＨＳ−ＳＣＣＨセット状態は、任意のＵＥがＨＳＤＰＡサービスを受け始める時、つまり、無線リンクセットアップ要求(RADIO LINK SETUP REQUEST)メッセージをノードＢが受信する時、前記ＣＣ１３６０が、前記RADIO LINK SETUP REQUESTメッセージに対するＵＥのＩＤをserving HS-SCCH set ID項目のＵＥ ＩＤ項目に追加する。同様に、前記ＵＥがＨＳＤＰＡサービスを終了した時、つまり、無線リンク解除要求(RADIO LINK DELETION REQUEST)メッセージをノードＢが受信した時、前記ＣＣ１３６０は、対応するＵＥに対するＵＥＩＤ項目を前記ＨＳ−ＳＣＣＨセット状態から除去する。つまり、前記ＣＣ１３６０は、任意の時点で特定のserving HS-SCCH setが残りの他のserving HS-SCCH setに比べて相対的に過度または過小の数のＵＥによって使用される場合、資源の効率性を考慮して対応するＵＥに対してserving HS-SCCH setを変更することができる。例えば、ＵＥ＃２５、ＵＥ＃２６、ＵＥ＃２７がそれ以上ＨＳＤＰＡサービスを受けない場合、serving HS-SCCH set＃ｎは、１つのＵＥのみに割り当てられるので、他のserving HS-SCCH setを利用しているＵＥのserving HS-SCCH setを前記serving HS-SCCH set＃ｎに変更することによって、資源効率性を増加させる。
【００９０】
ここで、図２８を参照して前記ＣＣ１３６０の動作過程を説明する。
図２８は、図１３のＣＣ１３６０の動作過程を示す信号のフローチャートである。
【００９１】
図２８を参照すると、前記ＣＣ１３６０は、serving HS-SCCH set状態を参照して、ノードＢ内でＨＳＤＰＡサービスを受けるＵＥのうち任意のＵＥに対するserving HS-SCCH setの変更を決定する(段階３００１)。その後、前記ＣＣ１３６０は、前記ＳＰＨ１３５０にSERVING HS-SCCH SET MODIFYメッセージインジケータ及びSERVING HS-SCCH SET MODIFYメッセージを伝送する必要があるとのことを通報する(段階３００２)。さらに、前記ＣＣ１３６０は、前記ＳＰＨ１３５０に、SERVING HS-SCCH SET MODIFYメッセージインジケータ及びSERVING HS-SCCH SET MODIFYメッセージ、つまり、新しいserving HS-SCCH set IDを伝達する(段階３００３)。それから、前記ＣＣ１３６０は、図１４において説明するコード選択部１４２４に新しいserving HS-SCCH set IDを伝達することによって、ＨＳ−ＳＣＣＨを通してデータ送信する時に再設定されたコードでデータを拡散して送信することが可能になる(段階３００４)。それぞれのＨＳ−ＳＣＣＨセットＩＤにマッピングされるコードの情報は、ＣＣ１３６０を含むＭＡＣ−ｈｓ制御器１４０１だけでなくコード選択部１４２４も知っているべきである。つまり、ＭＡＣ−ｈｓ制御器１４０１は、再設定されたＨＳ−ＳＣＣＨセットＩＤに対応するコードを選択し、前記選択されたコードでデータを拡散することができる。前記ＨＳ−ＳＣＣＨ送信器は、RADIO BEARER SETUP過程を通してＨＳ−ＳＣＣＨセットに対応するＯＶＳＦコードを認知する。前記ＣＣ１３６０が前記ＳＰＨ１３５０にSERVING HS-SCCH SET MODIFYメッセージインジケータ及びSERVING HS-SCCH SET MODIFYメッセージを伝送するにつれて、前記ＳＰＨ１３５０は、前記ＣＣ１３６０から受信されたSERVING HS-SCCH SET MODIFYメッセージインジケータ及びSERVING HS-SCCH SET MODIFYメッセージをＨＳ−ＳＣＣＨ送信器に伝達し、次に、前記ＨＳ−ＳＣＣＨ送信器は、前記SERVING HS-SCCH SET MODIFYメッセージインジケータ及びSERVING HS-SCCH SET MODIFYメッセージを対応するＵＥに伝送する。本発明の第１実施形態の説明において、前記SERVING HS-SCCH SET MODIFYメッセージインジケータは、ｃｏｄｅ＿ｉｎｆｏが伝送されるフィールドを通して伝送され、前記SERVING HS-SCCH SET MODIFYメッセージは、Ｐａｒｔ＃２フィールド１２１５の４ビットを通して伝送される。このように、前記SERVING HS-SCCH SET MODIFYメッセージインジケータ及びSERVING HS-SCCH SET MODIFYメッセージをＨＳ−ＳＣＣＨを通して対応するＵＥに伝送する場合、前記ＳＰＨ１３５０は、前記ＣＣ１３６０に前記SERVING HS-SCCH SET MODIFYメッセージインジケータ及びSERVING HS-SCCH SET MODIFYメッセージの伝送完了を通報し、それから、前記ＣＣ１３６０は、前記SERVING HS-SCCH SET MODIFYメッセージの伝送完了を認知する(段階３００５)。次に、前記ＣＣ１３６０は、前記ＨＳ−ＳＣＣＨ送信器に前記変更された新しいserving HS-SCCH setを適用することを指示し(段階３００６)、前記管理しているserving HS-SCCH set状態を更新(update)することによって、前記serving HS-SCCH set変更過程を終了する(３００７段階)。
【００９２】
次に、ＨＳ−ＳＣＣＨ送信器の構造を図１４を参照して説明する。
図１４は、本発明の第１実施形態によるＨＳ−ＳＣＣＨ送信器の構造を示す図である。
【００９３】
図１４を参照すると、ＭＡＣ−ｈｓ制御器１４０１(図１３のＭＡＣ−ｈｓ制御器１３３０と同一の構成)は、ＵＥ識別子(ＵＥ ＩＤ)をＵＥ ＩＤ貯蔵部１４０２に、ＨＳ−ＳＣＣＨの伝送のために使用されるＭＳ情報をＭＳ情報伝達部１４０３に、ＨＳ−ＳＣＣＨに対するｃｏｄｅ＿ｉｎｆｏをコード情報伝達部１４０４に提供する。特に、本発明の第１実施形態において、前記ＭＡＣ−ｈｓ制御器１４０１は、serving HS-SCCH setを再設定する時、前記コード情報伝達部１４０４に前記serving HS-SCCH setの再設定によるSERVING HS-SCCH SET MODIFYメッセージの存在を示すSERVING HS-SCCH SET MODIFYメッセージインジケータをｃｏｄｅ＿ｉｎｆｏ、つまり“１１１ ００００”として提供する。さらに、本発明の第１実施形態において、前記ＭＡＣ−ｈｓ制御器１４０１は、SERVING HS-SCCH SET MODIFYメッセージインジケータ及びSERVING HS-SCCH SET MODIFYメッセージを伝送するために、チャネル番号伝達部１４０５、ＮＤＩ伝達部１４０６、ＲＶ伝達部１４０７及びＴＢＳ伝達部１４０８に対応する情報を伝送する。前記対応する情報は、前述したように、SERVING HS-SCCH SET MODIFYメッセージインジケータ及びSERVING HS-SCCH SET MODIFYメッセージを伝送するための情報であり、前記SERVING HS-SCCH SET MODIFYメッセージを４ビットら構成する場合、前記チャネル番号伝達部１４０５及びＮＤＩ伝達部１４０６に前記４ビット報を伝送し、前記ＲＶ伝達部１４０７及びＴＢＳ伝達部１４０８に予め決定されたパディング(PADDING)ビットを伝送する。勿論、前記SERVING HS-SCCH SET MODIFYメッセージを４ビット以上から構成することもできる。さらに、前記ＭＡＣ−ｈｓ制御器１４０１は、伝送しようとするＨＳ−ＳＣＣＨ ＩＤをコード選択部１４２４に提供し、ＨＡＲＱチャネル番号情報をチャネル番号伝達部１４０５に、ＮＤＩ情報をＮＤＩ伝達部１４０６に、ＲＶ情報をＲＶ伝達部１４０７に、ＴＢＳ情報をＴＢＳ伝達部１４０８に伝達する。
【００９４】
前記コード選択部１４２４は、前記ＭＡＣ−ｈｓ制御器１４０１から受信して予め貯蔵しているserving HS-SCCH set ID及びＨＳ−ＳＣＣＨセット関連情報を利用して、前記ＨＳ−ＳＣＣＨ識別子を実際ＯＶＳＦコードに変換して拡散器(spreader)１４１８に出力する。前述したように、前記ＭＡＣ−ｈｓ制御器１４０１及び前記コード選択部１４２４は、ＨＳ−ＳＣＣＨセットＩＤ及びコードのマッピングテーブル(mapping table)を含むべきである。前記コード選択部１４２４が前記ＨＳ−ＳＣＣＨ ＩＤを実際ＯＶＳＦコードに変換する過程を一例として説明する。
【００９５】
前記コード選択部１４２４に貯蔵されているＨＳ−ＳＣＣＨセット関連情報を下記のように仮定すると、
ＨＳ−ＳＣＣＨ関連情報＝[ＨＳ−ＳＣＣＨセット１＝[Ｃ(１２８,１２４)＝０、Ｃ(１２８,１２５)＝１、Ｃ(１２８,１２６)＝２、Ｃ(１２８,１２７)＝３]、
ＨＳ−ＳＣＣＨセット２＝[Ｃ(１２８,０)＝０、Ｃ(１２８,１)＝１、Ｃ(２,１２６)＝２、Ｃ(３,１２７)＝３]、
ＨＳ−ＳＣＣＨセット３＝[Ｃ(１２８,４)＝０、Ｃ(１２８,５)＝１、Ｃ(１２８,６)＝２、Ｃ(１２８,７)＝３]、
serving HS-SCCH set＝ ＨＳ−ＳＣＣＨセット２]のようである場合、前記ＭＡＣ−ｈｓ制御器１４０１から出力されたＨＳ−ＳＣＣＨ ＩＤが１である場合、前記ＨＳ−ＳＣＣＨの拡散のために使用される実際ＯＶＳＦコードはＣ(１２８,１)になる。
【００９６】
前記ＵＥ ＩＤ貯蔵部１４０２は、前記ＭＡＣ−ｈｓ制御器１４０１から出力されたＵＥ ＩＤを貯蔵し、前記ＨＳ−ＳＣＣＨのＣＲＣ＃１演算のために、任意のＵＥに対するＨＳ−ＳＣＣＨが伝送される度に前記任意のＵＥに対応するＵＥ ＩＤをＣＲＣ演算部１４０９に伝達する。前記ＭＳ情報伝達部１４０３は、前記ＭＡＣ−ｈｓ制御器１４０１から出力されたＨＳ−ＳＣＣＨ伝送に使用されるＭＳ情報を、前記ＣＲＣ演算部１４０９、ＣＲＣ演算部１４１０及び多重化器(ＭＵＸ)１４１１に出力する。以下、図１４の説明において、残りの伝達部、つまり、コード情報伝達部１４０４、チャネル番号伝達部１４０５、ＮＤＩ伝達部１４０６、ＲＶ伝達部１４０７、及びＴＢＳ伝達部１４０８は、前記ＭＡＣ−ｈｓ制御器１４０１から出力された情報をそれぞれ連結されている構成部に伝達する機能を有する。
【００９７】
前記コード情報伝達部１４０４は、ＭＡＣ−ｈｓ制御器１４０１から出力されたｃｏｄｅ＿ｉｎｆｏを、前記ＣＲＣ演算部１４０９、多重化器１４１１、及びＣＲＣ演算部１４１０に出力する。前記ＣＲＣ演算部１４０９は、前記ＵＥ ＩＤ貯蔵部１４０２、前記ＭＳ情報伝達部１４０３、及びコード情報伝達部１４０４から出力されたＭＳ情報及びｃｏｄｅ＿ｉｎｆｏに対してＣＲＣ演算を遂行し、前記ＣＲＣ演算結果を前記多重化器１４１１に出力する。前記ＣＲＣ演算部１４０９によって遂行されたＣＲＣ演算の結果は、図４において説明したＣＲＣ＃１フィールド４１３を通して伝送されるＣＲＣビットである。一方、前記多重化器１４１１は、前記ＣＲＣ演算部１４０９から出力されたＣＲＣ演算結果、つまり、ＣＲＣ＃１、前記ＭＳ情報伝達部１４０３から出力されたＭＳ情報、及びコード情報伝達部１４０４から出力されたｃｏｄｅ＿ｉｎｆｏを、前記ＨＳ−ＳＣＣＨのスロットフォーマットのＰａｒｔ＃１フィールド１２１１及びＣＲＣ＃１フィールド１２１３に相応するように多重化し、前記多重化された情報をチャネルコーディング部１４１３に出力する。
【００９８】
前記チャネルコーディング部１４１３は、前記多重化器１４１１から出力されたビットストリーム(bit stream)を予め設定されているチャネルコーディング(channel coding)方式によってチャネルコーディングした後、レートマッチング部１４１４に出力する。ここで、前記チャネルコーディング部１４１３は、チャネルコーディング方式としてコンボルーションコーディング(convolution coding)方式を使用すると仮定する。前記レートマッチング部１４１４は、前記チャネルコーディング部１４１３から出力された信号に対してレートマッチング(rate matching)を遂行した後、多重化器１４１７に出力する。前記レートマッチングは、前記チャネルコーディングされた符号化ブロックを実際物理チャネルを通して伝送できる情報の量にマッチングさせる過程を示す。例えば、前記チャネルコーディングを通して生成されたシンボル(symbol)の個数がＤ５でありｍ、最終的に前記物理チャネルを通して伝送されるシンボルの個数がＤ９である場合、前記レートマッチングを通して前記伝送されるシンボルの個数がマッチングされる。つまり、前記Ｄ５がＤ９より大きい場合は穿孔が遂行され、前記Ｄ９がＤ５より大きい場合は反復が遂行されることによって、前記Ｄ５とＤ９が一致される。
【００９９】
前記チャネル番号伝達部１４０５は、前記ＭＡＣ−ｈｓ制御器１４０１から出力されたＨＡＲＱチャネル番号を前記ＣＲＣ演算部１４１０及び多重化器１４１２に出力する。前記ＮＤＩ伝達部１４０６は、前記ＭＡＣ−ｈｓ制御器１４０１から出力されたＮＤＩ情報を前記ＣＲＣ演算部１４１０及び多重化器１４１２に出力する。前記ＲＶ伝達部１４０７は、前記ＭＡＣ−ｈｓ制御器１４０１から出力されたＲＶ情報を前記ＣＲＣ演算部１４１０及び多重化器１４１２に出力する。前記ＴＢＳ伝達部１４０８は、前記ＭＡＣ−ｈｓ制御器１４０１から出力されたＴＢＳ情報を前記ＣＲＣ演算部１４１０及び多重化器１４１２に出力する。前記ＣＲＣ演算部１４１０は、前記ＭＳ情報伝達部１４０３から出力されたＭＳ情報、前記コード情報伝達部１４０４から出力されたｃｏｄｅ＿ｉｎｆｏ、前記チャネル番号伝達部１４０５から出力されたＨＡＲＱチャネル番号、前記ＮＤＩ伝達部１４０６から出力されたＮＤＩ情報、前記ＲＶ伝達部１４０７から出力されたＲＶ情報、及び前記ＴＢＳ伝達部１４０８から出力されたＴＢＳ情報に対してＣＲＣ演算を遂行し、前記ＣＲＣ演算結果を前記多重化器１４１２に出力する。
前記ＣＲＣ演算部１４１０によって遂行されたＣＲＣ演算の結果は、図４において説明したＣＲＣ＃２フィールド４１７を通して伝送されるＣＲＣビットである。一方、前記多重化器１４１２は、前記ＣＲＣ演算部１４１０から出力されたＣＲＣ演算結果、つまり、ＣＲＣ＃２、前記チャネル番号伝達部１４０５から出力されたＨＡＲＱチャネル番号、ＮＤＩ伝達部１４０６から出力されたＮＤＩ情報、ＲＶ伝達部１４０７から出力されたＲＶ情報、及びＴＢＳ伝達部１４０８から出力されたＴＢＳ情報を、前記ＨＳ−ＳＣＣＨのスロットフォーマットのＰａｒｔ＃２フィールド１２１５及びＣＲＣ＃２フィールド１２１７に相応するように多重化し、前記多重化された情報をチャネルコーディング部１４１５に出力する。
【０１００】
前記チャネルコーディング部１４１５は、前記多重化器１４１２から出力されたビットストリーム(bit stream)を予め設定されているチャネルコーディング(channel coding)方式によってチャネルコーディングした後、レートマッチング部１４１６に出力する。ここで、前記チャネルコーディング部１４１５は、チャネルコーディング方式としてコンボルーションコーディング(convolution coding)方式を使用すると仮定する。前記レートマッチング部１４１６は、前記チャネルコーディング部１４１５から出力された信号に対してレートマッチングを遂行した後、前記多重化器１４１７に出力する。前記多重化器１４１７は、前記レートマッチング部１４１４及びレートマッチング部１４１６から出力された信号を、図４に示すＨＳ−ＳＣＣＨスロットフォーマットに相応するように多重化し、前記多重化された信号を前記拡散器１４１８に出力する。
【０１０１】
前記拡散器１４１８は、前記多重化器１４１７から出力された信号を前記コード選択部１４２４から出力されたＯＶＳＦコードで拡散(spreading)し、前記拡散された信号をスクランブラ(scrambler)１４１９に出力する。前記スクランブラ１４１９は、前記拡散器１４１８から出力された信号を予め設定されているスクランブリングコード(scrambling code)でスクランブル(scrambling)し、スクランブルされた信号を合計器１４２０に出力する。前記合計器１４２０は、前記スクランブラ１４１９から出力された信号を、ＨＳ−ＰＤＳＣＨ信号、associated DPCH信号のような他のチャネル(other channel)信号と合計して変調器１４２１に出力する。前記変調器１４２１は、前記合計器１４２０から出力された信号を予め設定されている変調方式によって変調した後、無線周波数(Radio Frequency: 以下、ＲＦと称する)処理部１４２２に出力する。前記ＲＦ処理部１４２２は、前記変調器１４２１から出力された信号をＲＦ帯域信号にＲＦ処理した後、アンテナ(antenna)１４２３を通してエア(air)上に伝送する。
【０１０２】
次に、ＨＳ−ＰＤＳＣＨ送信器の構造を図１５を参照して説明する。
図１５は、本発明の第１実施形態によるＨＳ−ＰＤＳＣＨ送信器の構造を示す図である。
【０１０３】
図１５を参照すると、ＭＡＣ−ｈｓ制御器１５００(図１３のＭＡＣ−ｈｓ制御器１３３０及び 図１４のＭＡＣ−ｈｓ制御器１４０１と一の構成)は、Secondary DPCHを通して受信されたＵＥのＣＱＲ、優先順位キュウー１５０１−１乃至１５０１−ｍに貯蔵されているデータの量、つまり、ＴＢＳ、及び再伝送すべきデータの量であるＨＡＲＱ再伝送バッファ１５０７−１乃至１５０７−ｎのサイズに基づいて、次のＴＴＩでデータを伝送する優先順位キュウーまたはＨＡＲＱ再伝送バッファを決定する。次のＴＴＩでデータを伝送する優先順位キュウーまたはＨＡＲＱ再伝送バッファを決定した後、前記ＭＡＣ−ｈｓ制御器１５００は、対応する優先順位キュウーまたはＨＡＲＱ再伝送バッファに、次のＴＴＩで伝送されるデータの量を通報する。図１５の説明において、前記ＭＡＣ−ｈｓ制御器１５００が次のＴＴＩで特定の優先順位キュウーに貯蔵されているデータを伝送すると決定したと仮定する。
【０１０４】
前記ＭＡＣ−ｈｓ制御器１５００によって次のＴＴＩで伝送されるデータの量の通報を受けた優先順位キュウー１５０１−１乃至１５０１−ｍは、前記伝送されるデータの量だけのＭＡＣ−ｄ ＰＤＵを、ＭＡＣ−ｈｓ ＳＤＵ組立部／ＭＡＣ−ｈｓヘッダ挿入部１５０２に出力する。前記優先順位キュウー１５０１−１乃至１５０１−ｍから前記ＭＡＣ−ｈｓ ＳＤＵ組立部／ＭＡＣ−ｈｓヘッダ挿入部１５０２に前記ＭＡＣ−ｄ ＰＤＵを出力する時、以下のように制御情報が共に出力される。
(１)優先順位キュウー識別子: 対応する優先順位キュウーの識別子
(２)伝送シーケンス番号(Transmission Sequence Number: 以下、ＴＳＮと称する): 対応する優先順位キュウーにおいて管理されるシーケンス番号、一回の伝送において１ずつ増加される。
【０１０５】
前記ＭＡＣ−ｄ ＰＤＵを生成する対応する優先順位キュウーは、異なるサイズを有するＭＡＣ−ｄ ＰＤＵを１つのＭＡＣ−ｈｓ ＳＤＵに連結する場合、同一のサイズを有するＭＡＣ−ｄ ＰＤＵ当たりに下記のような情報を前記ＭＡＣ−ｈｓ ＳＤＵ組立部／ＭＡＣ−ｈｓヘッダ挿入部１５０２に出力する。
(１)サイズインデックス(Size Index: 以下、ＳＩＤと称する): ＭＡＣ−ｄ ＰＤＵのサイズに対応する論理的識別子である。ＵＥとノードＢとの間にＨＳＤＰＡ呼が設定される時、伝送できるＭＡＣ−ｄ ＰＤＵのサイズは設定呼の種類によって制限され、前記サイズ及び種類に対応するＳＩＤが割り当てされる。
(２)Ｎ: ＭＡＣ−ｄ ＰＤＵの数
【０１０６】
前記ＭＡＣ−ｈｓ制御器１５００から優先順位キュウー識別子、ＴＳＮ、ＳＩＤ、及びＮ情報を受信したＭＡＣ−ｈｓ ＳＤＵ組立部／ＭＡＣ−ｈｓヘッダ挿入部１５０２は、図６において説明したように、ＭＡＣ−ｈｓ ＳＤＵにＭＡＣ−ｈｓヘッダを挿入した後、その出力をＣＲＣ演算部１５０３及び多重化器１５０４に出力する。前記ＣＲＣ演算部１５０３は、前記ＭＡＣ−ｈｓ ＳＤＵ組立部／ＭＡＣ−ｈｓヘッダ挿入部１５０２から出力された信号に対してＣＲＣ演算を遂行した後、前記ＣＲＣ演算結果を前記多重化器１５０４に出力する。前記多重化器１５０４は、前記ＣＲＣ演算部１５０３から出力されたＣＲＣ演算結果及び前記ＭＡＣ−ｈｓ ＳＤＵ組立部／ＭＡＣ−ｈｓヘッダ挿入部１５０２から出力されたＭＡＣ−ｈｓ ＳＤＵにＭＡＣ−ｈｓヘッダを挿入した信号を多重化することによってＭＡＣ−ｈｓ ＰＤＵを生成した後、前記生成されたＭＡＣ−ｈｓ ＰＤＵをターボエンコーダ(turbo encoder)１５０５に出力する。前記ターボエンコーダ１５０５は、前記多重化器１５０４から出力されたＭＡＣ−ｈｓ ＰＤＵをターボエンコーディング(turbo encoding)し、その出力をレートマッチング部１５０５に出力する。前記レートマッチング部１５０６は、前記ターボエンコーダ１５０５から出力された信号、つまり、符号化ブロックに対して、前記ＭＡＣ−ｈｓ制御器１５００から出力されたＴＢＳ情報に基づいてレートマッチングを遂行し、前記レートマッチングされた信号を前記ＭＡＣ−ｈｓ制御器１５００によって指示されたＨＡＲＱチャネル番号に対応するＨＡＲＱ再伝送バッファ及び拡散器１５０８に出力する。例えば、前記ＭＡＣ−ｈｓ制御器１５００によって指示されたＨＡＲＱチャネル番号が１である場合、前記レートマッチング部１５０６は、前記レートマッチングされた信号をＨＡＲＱ再伝送バッファ１５０7−１に出力する。
【０１０７】
前記拡散器１５０８は、前記レートマッチング部１５０６または対応するＨＡＲＱ再伝送バッファから出力される信号を前記ＭＡＣ−ｈｓ制御器１５００から出力されたｃｏｄｅ＿ｉｎｆｏを利用して拡散し、その出力をスクランブラ１５０９に出力する。前記ＭＡＣ−ｈｓ制御器１５００から出力されたｃｏｄｅ＿ｉｎｆｏが多数のＯＶＳＦコードを利用する場合、前記拡散器１５０８は、前記レートマッチング部１５０６及び対応するＡＲＱ再伝送バッファから出力された信号を１つのＯＶＳＦコード長さに対応するサイズに分割する機能をさらに遂行する。前記スクランブラ１５０９は、前記拡散器１５０８から出力された信号を予め設定されているスクランブリングコードでスクランブル、スクランブルされた信号を前記合計器１５１０に出力する。前記合計器１５１０は、前記スクランブラ１５０９から出力された信号を、ＨＳ−ＳＣＣＨ信号及びassociated DPCH信号のような他のチャネル(other channel)信号と合計して変調器１５１１に出力する。前記変調器１５１１は、前記合計器１５１０から出力された信号を予め設定されている変調方式によって変調した後、前記変調された信号をＲＦ処理部１５１２に出力する。前記ＲＦ処理部１５１２は、前記変調器１５１１から出力された信号をＲＦ帯域信号にＲＦ処理した後、前記ＲＦ信号をアンテナ１５１３を通してエア上に伝送する。
【０１０８】
図１５において、前記ＨＡＲＱ再伝送バッファ１５０７−１乃至１５０７−ｎに貯蔵されている符号化ブロックは、対応するＨＡＲＱチャネルに対するＡＣＫ信号が受信されると、前記ＭＡＣ−ｈｓ制御器１５００の指示に従って廃棄される。しかしながら、前記ＨＡＲＱ再伝送バッファ１５０７−１乃至１５０７−ｎに貯蔵されている符号化ブロックは、対応するＨＡＲＱチャネル対するＮＡＣＫ信号が受信されると、前記ＭＡＣ−ｈｓ制御器１５００の指示に従って再伝送される。前記再伝送される符号化ブロックは、優先順位キュウー１５０１−１乃至１５０１−ｎによって伝送される初期伝送と同一の過程を通してエア上に伝送される。
【０１０９】
次に、図１６を参照してＵＥ側ＭＡＣ−ｈｓ制御器の構造を説明する。
図１６は、本発明の第１実施形態によるＵＥ側 ＭＡＣ−ｈｓ制御器の構造を示す図である。
【０１１０】
図１６を参照すると、ＵＥ側ＭＡＣ−ｈｓ制御器１６３０は、ＨＡＲＱ制御器(HARQ controller: 以下、ＨＣと称する)１６４０、ＨＳ−ＰＤＳＣＨ制御器／ＨＳ−ＳＣＣＨ制御器(HS-PDSCH controller/HS-SCCH controller: 以下、ＤＳ／ＳＣと称する)１６５０、及び構成制御器(Configuration Controller: 以下、ＣＣと称する)１６６０から構成される。前記ＨＣ１６４０は、ノードＢから受信されたＨＡＲＱチャネル番号、ＲＶ情報、及びＮＤＩ情報に基づいてＨＡＲＱバッファ(ＨＡＲＱbuffer)動作を制御する。つまり、前記ＨＣ１６４０は、特定のＨＡＲＱバッファに貯蔵されている符号化ブロックを除去(refresh)またはソフトコンバイン(soft combining)する。ここで、前記ＮＤＩ情報及びＲＶ情報は、表５のようなフォーマットを有すると仮定する。
【０１１１】
【表５】
0003872438.tif 000006
【０１１２】
表５において、“バージョン(Version)”は、下記のような意味を有する。ｎ−ｃｈａｎｎｅｌ ＳＡＷ ＨＡＲＱ方式において重複分増加(Incremental Redundancy: 以下、ＩＲと称する)方式が使用される場合、図１５において説明したＨＳ−ＰＤＳＣＨ送信器は、ターボエンコーダ１５０５から出力される符号化ブロックを４つの符号化ブロックに分割した後、前記分割された４つのそれぞれの符号化ブロックに表５に示すような固有のバージョン番号(version number)を割り当てる。前記ＨＳ−ＰＤＳＣＨ送信器がｖｅｒｓｉｏｎ＃０を有する符号化ブロックを送信する場合、ｖｅｒｓｉｏｎ＃０を有する符号化ブロックの伝送においてエラーが発生すると、ＨＳ−ＰＤＳＣＨ受信器は、ｖｅｒｓｉｏｎ＃０を有する符号化ブロックを前記ＨＡＲＱバッファに貯蔵し、前記ＨＳ−ＰＤＳＣＨ送信器にＮＡＣＫを伝送する。次に、前記ＨＳ−ＰＤＳＣＨ送信器は、またｖｅｒｓｉｏｎ＃１を有する符号化ブロックを送信し、前記ＨＳ−ＰＤＳＣＨ受信器は、前記ｖｅｒｓｉｏｎ＃０を有する符号化ブロックと前記ｖｅｒｓｉｏｎ＃１を有する符号化ブロックをソフトコンバインしてチャネルデコーディング(channel decoding)を遂行する。前記ｖｅｒｓｉｏｎ＃０を有する符号化ブロックとｖｅｒｓｉｏｎ＃１を有する符号化ブロックのソフトコンバインによて生成された符号化ブロックは、前記ｖｅｒｓｉｏｎ＃０を有する符号化ブロックより高いチャネルコーディング率(channel coding rate)を有するので、エラー訂正確率(error correction rate)も高い。前述したようにｍ最初伝送及び再伝送に異なるバージョンが使用されるので、前記ＨＳ−ＰＤＳＣＨ送信器及び受信器は、前記符号化ブロックのバージョン情報をＨＳ−ＳＣＣＨを通して送受信すべきである。
【０１１３】
以下、前記ＨＣ１６４０の動作をより詳細に説明する。
第１に、前記ＨＣ１６４０が任意の時点で受信したＨＡＲＱチャネル番号に対応するＨＡＲＱバッファに符号化ブロックが貯蔵されていない場合に関して説明する。
【０１１４】
前記ＲＶ情報及びＮＤＩ情報が、伝送される符号化ブロックが最初伝送の符号化ブロックであることを指示する場合、つまり、ＮＤＩ情報及びＲＶ情報が全部０に設定されている場合、前記ＨＣ１６４０は、何の動作も遂行しない。さらに、前記ＮＤＩ情報が、再伝送の符号化ブロックを示し、前記ＲＶ情報が最初伝送の符号化ブロックを示す場合も、前記ＨＣ１６４０は、何の動作も遂行しない。
しかしながら、前記ＮＤＩ情報に関係なく前記ＲＶ情報が０である場合、前記ＨＣ１６４０は、ＨＳ−ＰＤＳＣＨを通して受信される符号化ブロックを廃棄することをＨＳ−ＰＤＳＣＨ受信器に指示する。
【０１１５】
第２に、前記ＨＣ１６４０が任意の時点で受信したＨＡＲＱチャネル番号に対するＨＡＲＱバッファに符号化ブロックが貯蔵されている場合に関して説明する。前記ＮＤＩ情報が１であり、ＲＶ情報が前記ＨＡＲＱバッファに貯蔵されているＲＶ情報より１だけ大きい場合、前記ＨＣ１６４０は、前記ＨＳ−ＰＤＳＣＨ受信器に現在受信された符号化ブロックと予め貯蔵されている符号化ブロックをソフトコンバインすることを命令する(１６１４)。しかしながら、前記ＮＤＩ情報が０である場合は、前記ＨＳ−ＰＤＳＣＨ受信器は、予め貯蔵されている符号化ブロックを廃棄(refresh)することを命令する(１６１４)。
【０１１６】
前記ＨＣ１６４０は、前記ＨＳ−ＰＤＳＣＨ受信器が現在受信された符号化ブロックのＣＲＣ演算結果を出力すると、そのＣＲＣ演算値を受信し(１６０２)、前記受信されたＣＲＣ演算値を分析することによって前記受信された符号化ブロックに対するＡＣＫ／ＮＡＣＫ信号をSecondary DPCH送信器に伝達する(１６１５)。
【０１１７】
前記ＤＳ／ＳＣ１６５０は、ＨＳ−ＳＣＣＨ受信器からｃｏｄｅ＿ｉｎｆｏ、ＴＢＳ情報、及びＭＳ情報を受信し(１６０４)、前記ＨＳ−ＳＣＣＨ受信器から受信されたｃｏｄｅ＿ｉｎｆｏ、ＴＢＳ情報、及びＭＳ情報を利用してＨＳ−ＰＤＳＣＨ伝送を制御する。つまり、ｚンケイＤＳ／ＳＣ１６５０は、ｃｏｄｅ＿ｉｎｆｏをＨＳ−ＰＤＳＣＨ受信器の逆拡散部(図示せず)に伝達して(１６０７)、前記逆拡散器が受信されるＨＳ−ＰＤＳＣＨ信号に対する逆拡散を遂行するように制御し、前記ＴＢＳ情報を前記ＨＳ−ＰＤＳＣＨ受信器のレートマッチング部に伝達して(１６０６)、前記レートマッチング部が受信されるＨＳ−ＰＤＳＣＨ信号に対するレートマッチングを遂行するように制御し、前記ＭＳ情報を復調部に伝達して(１６０５)、復調部が前記受信されるＨＳ−ＰＤＳＣＨ信号に対する復調を遂行するように制御する。さらに、前記ＤＳ／ＳＣ１６５０は、ＨＳ−ＳＣＣＨ受信器からＨＳ−ＳＣＣＨのＣＲＣ＃１及び ＣＲＣ＃２演算結果を受信し、対応するＨＳ−ＰＤＳＣＨ信号が受信されているか否かを決定する。前記ＣＲＣ＃１またはＣＲＣ＃２のうちいずれか１つにエラーが発生したと判断される場合、前記ＨＳ−ＰＤＳＣＨ受信器は、ＨＩを受信したとしてもＨＳ−ＰＤＳＣＨ信号を受信しない可能性がある。前記ＤＳ／ＳＣ１６５０は、前記associated DPCH受信器から伝達されたＨＳ−ＳＣＣＨ識別子(ＩＤ)に基づいて前記ＨＳ−ＳＣＣＨの受信を制御する。つまり、前記ＤＳ／ＳＣ１６５０は、前記associated DPCH受信器から受信されたＨＩ値とＨＳ−ＳＣＣＨ識別子を対応させた値、つまり、ＯＶＳＦコードを前記ＨＳ−ＳＣＣＨ受信器に伝達して、前記ＨＳ−ＳＣＣＨ受信器が逆拡散されるべきＨＳ−ＳＣＣＨのＯＶＳＦコードを指定するようにする。
【０１１８】
前記ＣＣ１６６０は、無線資源制御(Radio Resource Control: 以下、ＲＲＣと称する)階層が伝達する構成情報(１６１２)を利用してＭＡＣ−ｈｓ階層及び物理階層を構成する。前記ＭＡＣ−ｈｓ階層及び物理階層の構成は、例えば、ＨＡＲＱプロセッサの設定、ＨＡＲＱ再伝送バッファの割り当て、優先順位キュウーの構成を含む。さらに、前記ＣＣ１６６０は、serving HS-SCCH setの設定を制御し、ＨＳ−ＳＣＣＨセット関連情報及びserving HS-SCCH setの識別子を前記ＲＲＣから受信すると(１６１２)、前記受信された情報をＨＳ−ＳＣＣＨ受信器に伝達する(１６０９)。そうすると、前記ＨＳ−ＳＣＣＨ受信器は、前記ＣＣ１６６０から伝達されたＨＳ−ＳＣＣセット関連情報及びserving HS-SCCH setの識別子情報を貯蔵し、その後、前記ＤＳ／ＳＣ１６５０から伝達されたＨＳ−ＳＣＣＨ ＩＤ及び前記貯蔵されているserving HS-SCCH setのＩＤに対応するＯＶＳＦコードを利用してＨＳ−ＳＣＣＨを逆拡散する。
【０１１９】
ノードＢが任意のＵＥのserving HS-SCCH setを再設定すると決定し、前記ｃｏｄｅ＿ｉｎｆｏを通してSERVING HS-SCCH SET MODIFYメッセージインジケータ及びSERVING HS-SCCH SET MODIFYメッセージを伝送した場合、前記ＤＳ／ＳＣ１６５０は、前記受信されたｃｏｄｅ＿ｉｎｆｏが“１１１ ００００”であるので、前記ＨＣ１６４０に受信されたＨＡＲＱチャネル番号、ＲＶ情報、及びＮＤＩ情報を伝達し、以前に貯蔵されていたＨＡＲＱチャネル番号、ＲＶ情報、及びＮＤＩ情報を無視することを指示する(１６１６)。そうすると、前記ＨＣ１６４０は、前記serving HS-SCCH setの再設定によりＨＡＲＱチャネル番号、ＲＶ情報、及びＮＤＩ情報を前記ＤＳ／ＳＣ１６５０に伝達する(１６１７)。前記ＤＳ／ＳＣ１６５０は、前記再設定されたＨＡＲＱチャネル番号、ＲＶ情報、及びＮＤＩ情報して利用した新しいserving HS-SCCH set IDを前記ＣＣ１６６０に伝達する(１６１０)。前記ＣＣ１６６０は、前記ＤＳ／ＳＣ１６５０から受信されたserving HS-SCCH set IDをＨＳ−ＳＣＣＨ受信器にすることにで、serving HS-SCCH setを新しく設定する。
【０１２０】
ここで、前記ＣＣ１６６０の動作過程を図２９を参照して説明する。
図２９は、図１６のＣＣ１６６０の動作過程を示す信号のフローチャートである。
【０１２１】
図２９を参照すると、前記ＤＳ／ＳＣ１６５０は、ＨＳ−ＳＣＣＨ受信器からｃｏｄｅ＿ｉｎｆｏが 伝達されると、前記伝達されたｃｏｄｅ＿ｉｎｆｏを分析し、SERVING HS-SCCH SET MODIFYメッセージインジケータが受信されているか否かを判断する。例えば、前記ｃｏｄｅ＿ｉｎｆｏが表３に示すように前記SERVING HS-SCCH SET MODIFYメッセージインジケータ示す論理的識別子“１１１ ００００”である場合、前記ＤＳ／ＳＣ１６５０は、前記SERVING HS-SCCH SET MODIFYメッセージインジケータが受信されたと判断する。この場合、前記受信されたＨＳ−ＳＣＣＨ信号のＰａｒｔ＃２フィールド１２１５にSERVING HS-SCCH SET MODIFYメッセージが含まれているので、前記ＤＳ／ＳＣ１６５０は、前記Ｐａｒｔ＃２フィールド１２１５に含まれているSERVING HS-SCCH SET MODIFYメッセージをＣＣ１６６０に伝達する(段階３１０１)。前記ＣＣ１６６０は、前記ＤＳ／ＳＣ１６５０から伝達されたSERVING HS-SCCH SET MODIFYメッセージを分析して新しいserving HS-SCCH set IDを検出し(段階３１０２)、前記検出された新しいserving HS-SCCH set IDをＨＳ−ＳＣＣＨ受信器に伝達する(段階３１０３)。
前記ＨＳ−ＳＣＣＨ受信器は、前記ＣＣ１６６０から伝達される前記新しいserving HS-SCCH set IDを受信することによって、次のＴＴＩから前記新しいserving HS-SCCH set IDに対応するserving HS-SCCH setに適用する(段階３１０４)。
前記SERVING HS-SCCH SET MODIFYメッセージを含む受信データが変更されたserving HS-SCCH setを適用する時点に関する時間情報を含む場合、前記ＨＳ−ＳＣＣＨ受信器は、その時点から変更されたＨＳ−ＳＣＣＨを受信する。つまり、段階３１０４で、ノードＢ及びＵＥは次のＴＴＩからserving HS-SCCH setを適用することを予め約束している。しかながら、これと異なって、ノードＢが、変更されるＨＳ−ＳＣＣＨセット情報を含むメッセージをＵＥに送信しながら、前記変更されるＨＳ−ＳＣＣＨセットを適用する時点に対する時間情報を含むメッセージを定義することもできる。この場合、前記ＨＳ−ＳＣＣＨ受信器は、前記時間情報に対応する時点からの前記時間情報を含むメッセージを受信する。前記ＨＳ−ＳＣＣＨ受信器は、新しいserving HS-SCCH set IDに対応するＯＶＳＦコードを上位階層信号フロー(signaling flow)、つまり、RADIO BEARER SETUP過程を通して予め認識している。
【０１２２】
次に、図１７を参照してＨＳ−ＳＣＣＨ受信器の構造を説明する。
図１７は、本発明の第１実施形態によるＨＳ−ＳＣＣＨ受信器の構造を示す図である。
【０１２３】
図１７を参照すると、アンテナ１７２２を通してエア上で受信されたＲＦ帯域信号は、ＲＦ処理部１７２１に伝達され、前記ＲＦ処理部１７２１は、前記アンテナ１７２２から伝達された帯域信号を基底帯域(baseband)信号に変換し、前記基底帯域信号を復調器１７２０に出力する。前記復調器１７２０は、前記ＲＦ処理部１７２１から出力された信号を送信器、つまり、ノードＢにおいて使用された変調方式に対応する復調方式によって復調して逆スクランブラ(de-scrambler)１７１９に出力する。前記逆スクランブラ１７１９は、前記復調器１７２０から出力された信号を前記ノードＢにおいて使用されたスクランブリング符号と同一のスクランブリング符号で逆スクランブリング(de-scrambling)して逆拡散器(de-spreader)１７１８に出力する。前記逆拡散器１７１８は、前記逆スクランブラ１７１９から出力された信号を前記ノードＢにおいて使用した拡散コードと同一の拡散コードで逆拡散(de-spreading)して逆多重化器(ＤＥＭＵＸ)１７１７に出力する。前記逆拡散器１７１８は、前記コード選択部１７２３によって指示された拡散コードに対応するＯＶＳＦコードで逆拡散を遂行する。前記コード選択部１７２３は、ＨＳＤＰＡ呼設定過程においてＭＡＣ−ｈｓ制御器１７０１(図１６のＭＡＣ−ｈｓ制御器１６３０と同一の構成)によって伝達されるＨＳ−ＳＣＣセット関連情報を予め貯蔵しており、associated DPCHを通して受信されるＨＩ値を得ると、serving HS-SCCH setから前記ＨＩに対応するＨＳ−ＳＣＣＨのＯＶＳＦコードを検出し、前記検出されたＯＶＳＦコードを前記逆拡散器１７１８に伝達する。
【０１２４】
前記逆多重化器１７１７は、前記逆拡散器１７１８から出力された信号をＰａｒｔ＃１フィールド、ＣＲＣ＃１フィールド、Ｐａｒｔ＃２フィールド、及びＣＲＣ＃２フィールドに逆多重化し、前記Ｐａｒｔ＃１フィールド及びＣＲＣ＃１フィールド信号をレートマッチング部１７１４に出力し、前記Ｐａｒｔ＃２フィールド及びＣＲＣ＃２フィールド信号をレートマッチング部１７１６に出力する。前記レートマッチング部１７１４は、前記逆多重化器１７１７から出力されたＰａｒｔ＃１フィールドとＣＲＣ＃１フィールド信号をレートマッチングした後、チャネルデコーディング部１７１３に出力する。前記チャネルデコーディング部１７１３は、前記レートマッチング部１７１４から出力された信号を前記ノードＢにおいて使用されたチャネルコーディング方式に対応するチャネルデコーディング方式によってチャネルデコーディングした後、逆多重化器１７１１に出力する。前記逆多重化器１７１１は、前記チャネルデコーディング部１７１３から出力された信号を前記Ｐａｒｔ＃１フィールドとＣＲＣ＃１フィールドに逆多重化し、前記Ｐａｒｔ＃１フィールド及びＣＲＣ＃１フィールド信号をＣＲＣ演算部１７０９に出力し、前記Ｐａｒｔ＃１フィールドのＭＳ情報をＭＳ情報伝達部１７０３甥呼び前記ＣＲＣ演算部１７１０に出力し、前記Ｐａｒｔ＃１フィールドのｃｏｄｅ＿ｉｎｆｏをコード情報伝達部１７０４及びＣＲＣ演算部１７１０に出力する。前記ＭＳ情報伝達部１７０３は、前記逆多重化器１７１１から出力されたＭＳ情報を前記ＭＡＣ−ｈｓ制御器１７０１に出力し、前記コード情報伝達部１７０４は、前記逆多重化器１７１１から出力されたｃｏｄｅ＿ｉｎｆｏを前記ＭＡＣ−ｈｓ制御器１７０１に出力する。特に、本発明の第１実施形態において、前記コード情報伝達部１７０４は、ＭＡＣ−ｈｓ制御器１７０１に伝達されるｃｏｄｅ＿ｉｎｆｏに属しない情報、つまり、ｃｏｄｅ＿ｉｎｆｏを示す論理的識別子のうち“１１１ ００００”を受信する場合、この情報を前記ＭＡＣ−ｈｓ制御器１７０１に送信して、前記ＭＡＣ−ｈｓ制御器１７０１が前記受信された情報がSERVING HS-SCCH SET MODIFY インジケータであることを認知するようにする。前記SERVING HS-SCCH SET MODIFYメッセージが受信されたことは、現在受信されたＨＳ−ＳＣＣＨのＰａｒｔ＃２フィールド１２１５にSERVING HS-SCCH SET MODIFYメッセージが含まれていることを意味する。ＵＥ ＩＤ貯蔵部１７０２は、前記ＭＡＣ−ｈｓ制御器１７０１から伝達されたＵＥ識別子(ＵＥ ＩＤ)を貯蔵し、前記ＣＲＣ演算部１７０９がＣＲＣ演算を遂行度に前記貯蔵されているＵＥ識別子を前記ＣＲＣ演算部１７０９に出力して、ＵＥ識別子が前記前記ＣＲＣ＃１演算のために使用されるようにする。
【０１２５】
一方、前記レートマッチング部１７１６は、前記逆多重化器１７１７から出力されたＰａｒｔ＃２フィールドとＣＲＣ＃２フィールド信号をレートマッチングし、前記レートマッチングされた信号をチャネルデコーディング部１７１５に出力する。前記チャネルデコーディング部１７１５は、前記レートマッチング部１７１６から出力された信号を前記ノードＢにおいて使用されたチャネルコーディング方式に対応するチャネルデコーディング方式によってチャネルデコーディングして逆多重化器１７１２に出力する。前記逆多重化器１７１２は、前記チャネルデコーディング部１７１５から出力された信号をＰａｒｔ＃２フィールド信号とＣＲＣ2 フィールド信号に逆多重化し、前記Ｐａｒｔ＃２フィールド及びＣＲＣ＃２フィールド信号をＣＲＣ演算部１７１０に出力し、前記Ｐａｒｔ＃２フィールド信号のＨＡＲＱチャネル番号をチャネル番号伝達部１７０５に、ＮＤＩ情報をＮＤＩ伝達部１７０６に、ＲＶ情報をＲＶ伝達部１７０７に、ＴＢＳ情報をＴＢＳ伝達部１７０８に出力する。特に、本発明の第１実施形態において、前記コード情報伝達部１７０４から出力されたｃｏｄｅ＿ｉｎｆｏが論理的識別子のうち“１１１ ００００”を示す場合、つまり、SERVING HS-SCCH SET MODIFYメッセージインジケータを示す場合、前記ＭＡＣ−ｈｓ制御器１７０１は、前記チャネル番号伝達部１７０５、ＮＤＩ伝達部１７０６、ＲＶ伝達部１７０７、及びＴＢＳ伝達部１７０８から受信された情報をSERVING HS-SCCH SET MODIFYメッセージとして認識することによって、新しいserving HS-SCCH set IDを認識し、前記新しいserving HS-SCCH set IDを貯蔵する。前記serving HS-SCCH set IDは、受信されたＨＳ−ＳＣＣＨに対するＡＣＫ信号を伝送した直後、なたは、予め決定された遅延時間の後に適用される。前記変更されたserving HS-SCCH set IDは、ノードＢとＵＥとの間に同期を合わせて適用すべきであり、適用時点は、ＡＣＫ信号が送信された後の次のＴＴＩにすることを原則にする。これと違って、状況によって必要な場合に、ノードＢとＵＥとの間に予め遅延時間を決定し、前記遅延時間を遅延した後に前記変更されたserving HS-SCCH set IDを適用することもできる。前記ＣＲＣ演算部１７１０は、前記Ｐａｒｔ＃２フィールド、ＣＲＣ＃２フィールド信号、前記ＭＳ情報伝達部１７０３から出力されるＭＳ情報、及びコード情報伝達部１７０４から出力されたｃｏｄｅ＿ｉｎｆｏを利用してＣＲＣ＃２演算を遂行し、そのＣＲＣ＃２演算結果を前記ＭＡＣ−ｈｓ制御器１７０１に出力する。前記チャネル番号伝達部１７０５は、前記逆多重化器１７１２から出力されたＨＡＲＱチャネル番号を前記ＭＡＣ−ｈｓ制御器１７０１に出力する。前記ＲＶ伝達部１７０７は、前記逆多重化器１７１２から出力されたＲＶ情報を前記ＭＡＣ−ｈｓ制御器１７０１に出力し、前記ＮＤＩ伝達部１７０６は、前記逆多重化器１７１２から出力されたＮＤＩ情報を前記ＭＡＣ−ｈｓ制御器１７０１に出力し、前記ＴＢＳ伝達部１７０８は、前記逆多重化器１７１２から出力されたＴＢＳ情報を前記ＭＡＣ−ｈｓ制御器１７０１に出力する。
【０１２６】
次に、図１８を参照してＨＳ−ＰＤＳＣＨ受信器の構造を説明する。
図１８は、本発明の第１実施形態によるＨＳ−ＰＤＳＣＨ受信器の構造を示す図である。
【０１２７】
図１８を参照すると、アンテナ１８１３を通してエア上で受信されたＲＦ帯域信号は、ＲＦ処理部１８１２に伝達され、前記ＲＦ処理部１８１２は、前記アンテナ１８１３から伝達されたＲＦ帯域信号を基底帯域信号に変換し、前記基底帯域信号を復調器１８１０に出力する。前記復調器１８１０は、前記ＲＦ処理部１８１２から出力された信号を送信器、つまり、ノードＢにおいて使用された変調方式に対応する復調方式によって復調して逆スクランブラ１８０９に出力する。前記逆スクランブラ１８０９は、前記復調器１８１０から出力された信号を前記ノードＢにおいて使用されたスクランブリング符号と同一のスクランブリング符号で逆スクランブルして逆拡散器１８０８に出力する。前記逆拡散器１８０８は、前記逆スクランブラ１８０９から出力された信号を前記ノードＢにおいて使用された拡散コードと同一の拡散コードで逆拡散する。前記復調器１８１０に適用される復調方式及び前記逆拡散器１８０８によって遂行される逆拡散に対する逆拡散コードは、ＭＡＣ−ｈｓ制御器１８００(図１６のＭＡＣ−ｈｓ制御器１６３０及び図１７のＭＡＣ−ｈｓ制御器１７０１と同一の構成)によって決定される。
【０１２８】
前記逆拡散器１８０８は、前記逆拡散された信号をＨＡＲＱバッファ１８０７−１乃至１８０７−ｎのうち対応するＨＡＲＱバッファに出力し、レートマッチング部１８０６に出力する。前記レートマッチング部１８０６は、前記逆拡散器１８０８から出力された信号を前記ＭＡＣ−ｈｓ制御器１８００から出力されたＴＢＳ情報に基づいてレートマッチングしてターボデコーダ１８０５に出力する。前記逆拡散器１８０８から出力される信号が再伝送される符号化ブロックである場合、前記ＨＡＲＱバッファ１８０７−１乃至１８０７−ｎのうち対応するＨＡＲＱバッファは、前記再伝送された符号化ブロックと予め貯蔵されている符号化ブロックをソフトコンバインして前記レートマッチング部１８０６に出力する。前記ターボデコーダ１８０５は、前記レートマッチング部１８０６から出力された信号をターボデコーディングして逆多重化器１８０４に出力する。前記逆多重化器１８０４は、前記ターボデコーダ１８０５から出力された信号を逆多重化してＣＲＣ演算部１８０３及びＭＡＣ−ｈｓヘッダ判読部１８０２に出力する。
【０１２９】
前記ＣＲＣ演算部１８０３は、前記逆多重化器１８０４から出力された信号に対してＣＲＣ演算を遂行し、その結果を前記ＭＡＣ−ｈｓヘッダ判読部１８０２及びＭＡＣ−ｈｓ制御器１８００に伝達する。前記ＭＡＣ−ｈｓ制御器１８００は、前記ＣＲＣ演算部１８０３から出力されたＣＲＣ演算結果が現在受信された符号化ブロックにエラーが発生したことを示す場合、Secondary DPCHを通してノードＢにＮＡＣＫ信号を伝送し、前記現在受信された符号化ブロックを廃棄する。しかしながら前記ＣＲＣ演算結果、現在受信された符号化ブロックにエラーが発生していない場合、前記ＭＡＣ−ｈｓ制御器１８００は、Secondary DPCHを通してノードＢにＡＣＫを伝送し、対応するＨＡＲＱバッファに貯蔵されている符号化ブロックを廃棄することを指示する。さらに、前記ＭＡＣ−ｈｓ制御器１８００は、前記受信された信号のＭＡＣ−ｈｓヘッダの優先順位部分の情報を利用して、前記受信された符号化ブロックを再整列バッファ(reordering buffer)１８０１−１乃至１８０１−ｍのうち対応する再整列バッファに出力する。前記再整列バッファ(reordering buffer)１８０１−１乃至１８０１−ｍは、前記受信されたＭＡＣ−ｈｓ ＰＤＵのＭＡＣ−ｈｓヘッダのＴＳＮを利用して前記貯蔵されているＭＡＣ−ｈｓ ＳＤＵを再整列する。前記再整列されたＭＡＣ−ｈｓ ＳＤＵは、各ヘッダのＳＩＤ及びＮ値を利用してＭＡＣ−ｄ ＰＤＵに分割された後、上位階層に伝達される。
【０１３０】
以上、新しいserving HS-SCCH set関連情報を示すSERVING HS-SCCH SET MODIFYメッセージをＨＳ−ＳＣＣＨのＰａｒｔ＃２フィールドを利用して伝送する本発明の第１実施形態を説明した。次に、新しいserving HS-SCCH set関連情報を示すSERVING HS-SCCH SET MODIFYメッセージをＭＡＣ−ｈｓ ＰＤＵを通して伝送する本発明の第２実施形態を説明する。
【０１３１】
２．第２実施形態
本発明の第２実施形態は、SERVING HS-SCCH SET MODIFYメッセージをＭＡＣ−ｈｓ ＰＤＵの形態で伝送することによってserving HS-SCCH setを再設定する方式を提供する。前記ＭＡＣ−ｈｓ ＰＤＵの構造を図１９及び図２７を参照して説明する。
【０１３２】
図１９は、本発明の第２実施形態によるＭＡＣ−ｈｓ ＰＤＵの構造を示す図である。
【０１３３】
図１９を参照すると、前記ＭＡＣ−ｈｓ ＰＤＵは、ＭＡＣ−ｈｓヘッダ１９１１フィールド、ＭＡＣ−ｈｓ ＳＤＵ＋ＭＡＣ−ｈｓ制御メッセージ１９１３フィールド、及びＣＲＣ１９１５フィールドから構成される。前記ＭＡＣ−ｈｓヘッダ１９１１に含まれる情報は、下記のようである。
(１)優先順位(Priority): ＭＡＣ−ｈｓ ＳＤＵ１９１３の優先順位キュウー(Priority Queue)の識別子であり、３ビットが割り当てられる。
(２)伝送シーケンス番号(Transmission Sequence Number: ＴＳＮ): 優先順位キュウーにおいてＭＡＣ−ｈｓ ＳＤＵ１９１３が再整列される時に使用される一連番号であり、５ビット乃至６ビットが割り当てられる。
(３)ＳＩＤ＿ｘ: ＭＡＣ−ｈｓ ＳＤＵ１９１３を構成するＭＡＣ−ｄ ＰＤＵの集合のうちｘ番目のＭＡＣ−ｄ ＰＤＵ集合に属するＭＡＣ−ｄ ＰＤＵのサイズを示し、２ビット乃至３ビットが割り当てられる
(４)Ｎ＿ｘ: ｘ番目のＭＡＣ−ｄ ＰＤＵ集合に属するＭＡＣ−ｄ ＰＤＵの個数を示し、７ビットが割り当てられる。
(５)Ｆ(Ｆｌａｇ) : 前記Ｆ値が１に設定される場合、次のフィールドがＭＡＣ−ｈｓ ＳＤＵであることを示し、前記Ｆ値が０に設定される場合は、次のフィールドがＳＩＤであることを示す。１ビットが割り当てられる。
(６)ＳＩＤ＿ＭＡＣ＿Ｃ６０１: ＳＩＤ＿ｘと同一のサイズを有し、何の意味もない情報である。送信器及び受信器は両方とも前記ＳＩＤ＿ＭＡＣ＿Ｃ値を無視する。
(７)Ｃ＿Ｉ６０２: Ｎ＿ｘとＦを加算したサイズと同一のサイズを有し、ＭＡＣ−ｈｓ ＰＤＵにＭＡＣ−ｈｓ制御メッセージが存在するか否かを示す。前記Ｃ＿Ｉ６０２において、Ｎ＿ｘに対する部分は、Ｎ＿ｘにおいて使用されない値を利用して常に同一の値にコーディングされる。受信器は、ＭＡＣ−ｈｓヘッダの最後のＮ＿ｘ部分に予め設定された値を受信すると、ＭＡＣ−ｈｓ ＰＤＵにＭＡＣ−ｈｓ制御メッセージが含まれていると判断する。本発明において、前記最後のＮ＿ｘ 部分に設定される値を‘０００００００’に固定する。従って、Ｃ＿Ｉは、常に‘０００００００１’に設定される。
(８)ＭＡＣ＿ｈｓ制御メッセージ: ＭＡＣ−ｈｓ ＳＤＵの次に位置し、ＭＡＣ−ｈｓ制御パートヘッダ(control part header)、フラッグ(Ｆｌａｇ)６０６及びＭＡＣ−ｈｓ制御ペイロード(control payload )部分から構成される。前記ＭＡＣ−ｈｓ制御パートヘッダは、タイプ(TYPE)フィールド６０４及びサイズ(SIZE)フィールド６０５から構成される。前記ＴＹＰＥフィールド６０４は、前記ＭＡＣ−ｈｓ制御メッセージの種類を示し、３ビットから構成される。さらに、前記ＴＹＰＥフィールド６０４は、表６に示すような意味を有する。
【０１３４】
【表６】
0003872438.tif 000007
【０１３５】
前記ＳＩＺＥフィールド６０５は、ＭＡＣ−ｈｓ制御メッセージのサイズをビット(bit)単位で示し、１３ビットが割り当てられる。前記Ｆｌａｇ６０６は、対応するＭＡＣ−ｈｓ制御メッセージの次にまた他のＭＡＣ−ｈｓ制御メッセージが存在するか否かを示す。前記ＭＡＣ−ｈｓ制御ペイロード６０７は、ＭＡＣ−ｈｓ制御メッセージの実際データ、つまり、SERVING HS-SCCH SET MODIFYメッセージを示す部分である。前記本発明の第２実施形態において、前記ＭＡＣ−ｈｓ制御ペイロード、つまり、SERVING HS-SCCH SET MODIFYメッセージが伝送されるフィールドの伝送ビットの数は、実際物理チャネルの容量によって拡張できる。従って、前述したように、前記変更されたserving HS-SCCH setに関する情報は、変更されたserving HS-SCCH set ID、前記変更されたserving HS-SCCH set ID及び対応するＯＶＳＦコード、または、前記ノードＢにおいてＨＳ−ＳＣＣＨセットが全般的に再設定された時、前記ＨＳ−ＳＣＣＨセットに含まれるserving HS-SCCH setのＩＤ及び対応するＯＶＳＦコードのリストを含むことができる。さらに、前記本発明の第２実施形態において、前記ＯＶＳＦコードのリストをＭＡＣ−ｈｓ ＰＤＵを通して伝送する場合、対応するＵＥに伝送するだけでなく、前記ＵＥに連結されているＳＲＮＣにも伝送する必要がある。
【０１３６】
図１９のＭＡＣ−ｈｓ ＰＤＵの構造を変形した他のＭＡＣ−ｈｓ ＰＤＵの構造を図２７を参照して説明する。
図２７は、本発明の第２実施形態によるまた他のＭＡＣ−ｈｓ ＰＤＵの構造を示す図である。
【０１３７】
図２７を参照すると、ＳＩＤ＿ＭＡＣ＿Ｃ６０１及びＣ＿Ｉ６０２情報を使用せずに伝送されるＭＡＣ−ｈｓ ＰＤＵにＭＡＣ−ｈｓ制御メッセージが存在するか否かを示すＣ＿Ｆ ｆｌａｇ６０８フィールドが新しく設定される。前記Ｃ＿Ｆ ｆｌａｇ６０８は、１ビットで表現され、図２７に示すように、前記ＭＡＣ−ｈｓヘッダ１９１１フィールドの最前の部分に位置することができ、ＰｒｉｏｒｉｔｙフィールドまたはＴＳＮフィールドの直後の部分に位置することもできる。Ｃ＿Ｆ ｆｌａｇ６０８が前記ＭＡＣ−ｈｓ ＰＤＵに前記ＭＡＣ−ｈｓ制御メッセージが存在することを示す場合、前記ＭＡＣ−ｈｓ制御メッセージは、図２７に示すように、前記ＭＡＣ−ｈｓ ＳＤＵ＋ＭＡＣ−ｈｓ制御メッセージ１９１３フィールドの最前の部分に位置するか、または、図１９に示すように、前記ＭＡＣ−ｈｓ ＳＤＵ１９１３フィールドの最後の部分に位置する。
【０１３８】
ここで、前記ＭＡＣ−ｈｓ制御ペイロード６０７のフォーマットを説明する。
前記ＭＡＣ−ｈｓ制御ペイロード６０７は、前記ＭＡＣ−ｈｓ制御メッセージの種類によって決定される。例えば、前記ＭＡＣ−ｈｓ制御ペイロード６０７のフォーマットは、図２０Ａ及び図２０Ｂに示すようである。図２０Ａ及び図２０Ｂを参照してＭＡＣ−ｈｓ制御ペイロード６０７のフォーマットを説明する。
【０１３９】
図２０Ａ及び図２０Ｂは、本発明の第１実施形態によるＭＡＣ−ｈｓ制御ペイロードのフォーマットを示す図である。
【０１４０】
まず、図２０Ａを参照すると、SERVING HS-SCCH SET MODIFYメッセージのＴｙｐｅフィールドがSERVING HS-SCCH SET MODIFY TYPE ＃１に設定され、前記SERVING HS-SCCH SET MODIFY TYPE ＃１は、本発明の第１実施形態において説明したSERVING HS-SCCH SET MODIFYメッセージと同一の用途として使用される。つまり、ＵＥ及びノードＢが全てのＨＳ−ＳＣＣＨセット情報を共有している状態において、前記ノードＢがserving HS-SCCH setを変更しようとする場合、前記ノードＢは、前記SERVING HS-SCCH SET MODIFYメッセージをserving HS-SCCH set ID情報と共にＵＥに伝送する。Ｓｉｚｅフィールドには、ＭＡＣ−ｈｓ制御ペイロードのサイズ４ビットを意味する‘０００００００００００１００’が挿入され、Ｆｌａｇフィールドには、ＭＡＣ−ｈｓ制御メッセージが存在するか否かを示す値が挿入される。さらに、前記ＭＡＣ−ｈｓ制御ペイロード部分には、新しいserving HS-SCCH set IDが挿入される。
【０１４１】
次に、図２０Ｂを参照すると、SERVING HS-SCCH SET MODIFYメッセージのＴｙｐｅフィールドがSERVING HS-SCCH SET MODIFY TYPE ＃２に設定される。前述したように、前記SERVING HS-SCCH SET MODIFYメッセージにＨＳ−ＳＣＣＨセットが全般的に再設定された場合、ノードＢは、前記SERVING HS-SCCH SET MODIFYメッセージを前記ＨＳ−ＳＣＣＨセットに含まれるserving HS-SCCH setのＩＤ及びそれぞれに対応するＯＶＳＦコードのリストと共にＵＥに伝送する。例えば、任意の時点ｔ０で任意のノードＢと任意のＵＥとの間に下記のようなＨＳ−ＳＣＣセット関連情報が構成されていると仮定する。
ＨＳ−ＳＣＣＨ関連情報＝[ＨＳ−ＳＣＣＨ ｓｅｔ １＝[Ｃ(１２８,１２４)＝０、Ｃ(１２８,１２５)＝１、Ｃ(１２８,１２６)＝２、Ｃ(１２８,１２７)＝３]、
ＨＳ−ＳＣＣＨ ｓｅｔ ２＝[Ｃ(１２８,０)＝０、Ｃ(１２８,１)＝1、Ｃ(１２８,２)＝２、Ｃ(１２８,３)＝３]、
ＨＳ−ＳＣＣＨ ｓｅｔ ３＝[Ｃ(１２８,４)＝０、Ｃ(１２８,５)＝１、Ｃ(１２８,６)＝２、Ｃ(１２８,７)＝３]、
Serving ＨＳ−ＳＣＣＨ ｓｅｔ＝ＨＳ−ＳＣＣＨ ｓｅｔ ２]
【０１４２】
ノードＢは、serving HS-SCCH setをＨＳ−ＳＣＣＨ ｓｅｔ ２＝[Ｃ(１２８,０)＝０、Ｃ(１２８,１)＝１、Ｃ(１２８,２)＝２]に変更しようとする時、SERVING HS-SCCH SET MODIFY TYPE #2メッセージを使用する。前記SERVING HS-SCCH SET MODIFY TYPE #2メッセージにおいて、Ｔｙｐｅフィールド及びＳｉｚｅフィールドは、前記SERVING HS-SCCH SET MODIFY TYPE #1メッセージと同様にコーディングされる。さらに、図２０Ｂに示す‘# of OVSF codes' フィールドは、新しいserving HS-SCCH setにいくつのＯＶＳＦコードが含まれるかを示す。前述したように、serving HS-SCCH setは最初１つから最大４つのＯＶＳＦコードから構成されることができるので、前記# of OVSF codes' フィールドによって前記serving HS-SCCH setを構成するＯＶＳＦコードの個数を示す。
【０１４３】
前記ＨＳ−ＳＣＣセット関連情報が前述したように設定され、serving HS-SCCH setがＨＳ−ＳＣＣＨ ｓｅｔ ２＝[Ｃ(１２８,０)＝０、Ｃ(１２８,１)＝１、Ｃ(１２８,２)＝２]に変更される場合、前記‘# of OVSF codes’には３が挿入される。‘New serving HS-SCCH set ID’フィールドには前記新しく変更されたserving HS-SCCH setの識別子(ＩＤ)、つまり、SERVING HS-SCCH SET #2を示す２が挿入される。以下、各ＨＳ−ＳＣＣＨのＯＶＳＦコードのコードツリー上の位置が順次に‘New HS-SCCH set ID’フィールドに挿入される。例えば、０、１、及び２が挿入される。
【０１４４】
次に、本発明の第２実施形態によるノードＢ側 ＭＡＣ−ｈｓ制御器の構造を図２１を参照して説明する。
図２１は、本発明の第２実施形態によるノードＢ側ＭＡＣ−ｈｓ制御器の構造を示す図である。
【０１４５】
特に、図２１は、ノードＢ ＭＡＣ−ｈｓ階層のＭＡＣ−ｈｓ制御器の構造を示す。ＨＳＤＰＡ通信システムにおいて、ＵＥ、ノードＢ及びＳＲＮＣは、図７において説明したようなＭＡＣ階層構造を有する。前記ＭＡＣ−ｈｓ制御器２１３０は、ＨＡＲＱ制御器／優先順位キュウー制御器(Priority queue controller: ＨＰＣ)２１４０、スケジューラ／優先順位処理器(Priority Handler: ＳＰＨ)２１５０、及び構成制御器(Configuration Controller: 以下、ＣＣと称する)２１６０から構成される。
【０１４６】
前記ＨＰＣ２１４０は、ＵＥが伝送するSecondary DPCHのＡＣＫ／ＮＡＣＫ信号２１０１を受信すると、ＨＡＲＱ再伝送バッファ(図示せず)に貯蔵されている符号化ブロックの除去を命令する。つまり、前記ＨＰＣ２１４０は、特定のチャネルｘに対するＡＣＫ信号を受信すると、前記チャネルｘのＨＡＲＱ再伝送バッファに貯蔵されている符号化ブロックを全て除去することを命令する(２１１６)。しかしながら、前記ＨＰＣ２１４０は、前記チャネルｘに対するＮＡＣＫ信号を受信すると、前記チャネルｘを通して伝送された符号化ブロックに対する再伝送が必要であるということを前記ＳＰＨ２１５０に知らせる(２１１４)。さらに、前記ＨＰＣ２１４０は、前記ＳＰＨ２１５０からの指示(２１１５)に従って、前記ＨＡＲＱ再伝送バッファまたは対応する使用者データを優先順位キュウーに伝送することを命令し(２１１６及び２１１７)、前記再伝送される使用者データに対応するＨＡＲＱチャネル番号情報、ＲＶ情報及びＮＤＩ情報をＨＳ−ＳＣＣＨ送信器(図示せず)に伝達する(２１１８)。
【０１４７】
前記ＳＰＨ２１５０は、前記Secondary DPCHを通して受信されるＣＱＲ２１０２、及び優先順位キュウーからのバッファ状態を受信し(２１０３)、前記ＨＰＣ２１４０からの対応する使用者データが再伝送されるか否かを示す情報に基づいて、次のＴＴＩにＨＳ−ＰＤＳＣＨを通してデータを伝送する優先順位キュウーを決定する。さらに、前記ＳＰＨ２１５０は、前記ＨＳ−ＰＤＳＣＨの伝送に使用されるＭＳ、前記ＨＳ−ＰＤＳＣＨの伝送に使用されるｃｏｄｅ＿ｉｎｆｏ、前記ＨＳ−ＰＤＳＣＨを通して伝送されるデータの量、つまり、ＴＢＳ、及びＨＳ−ＳＣＣＨセットのうちいずれか１つを、前記ＨＳ−ＰＤＳＣＨの伝送に使用されるＭＳ、前記ＨＳ−ＰＤＳＣＨの伝送に使用されるｃｏｄｅ＿ｉｎｆｏ、及び前記ＨＳ−ＰＤＳＣＨを通して伝送されるデータの量を示すＴＢＳのような制御情報を伝送するためのＨＳ−ＳＣＣＨのＨＳ−ＳＣＣＨセットとして決定する。前記ＳＰＨ２１５０は、前記決定されたＭＳ情報、ＴＢＳ情報、ｃｏｄｅ＿ｉｎｆｏ、ＨＳ−ＳＣＣＨの論理的識別子、つまり、ＨＳ−ＳＣＣＨ ＩＤをＨＳ−ＳＣＣＨ送信器に伝達する(２１０８、２１０９、２１１０、２１２０)。さらに、前記ＳＰＨ２１５０は、前記決定されたＭＳ情報、ＴＢＳ情報、ｃｏｄｅ＿ｉｎｆｏをＨＳ−ＰＤＳＣＨ送信器(図示せず)に伝達する(２１０５、２１０６、２１０７)。さらに、前記ＳＰＨ２１５０は、データを伝送する優先順位キュウーまたはＨＡＲＱ再伝送バッファの識別子及びＴＢＳを前記ＨＰＣ２１４０に伝達する(２１１５)。さらに、前記ＳＰＨ２１５０は、ＭＡＣ−ｈｓ制御メッセージが伝送された場合、前記ＭＡＣ−ｈｓ制御メッセージの伝送を示す情報をＣＣ２１６０に伝達する。
【０１４８】
次に、前記ＣＣ２１６０は、ＮＢＡＰ(図示せず)から構成情報を受信する受信することによって(２１１２)、ＭＡＣ−ｈｓ階層及び物理階層を構成する。前記“構成情報(configuration information)”は、ＨＡＲＱプロセッサの設定、ＨＡＲＱ再伝送バッファ割り当て、優先順位キュウー構成のために必要な情報、及び前記serving HS-SCCH setの設定のための情報である。前記ＣＣ２１６０は、前記ＨＳ−ＳＣＣセット関連情報及びserving HS-SCCH setの識別子を決定し、前記決定されたserving HS-SCCH setの識別子情報を前記ＮＢＡＰに伝達し(２１１９)、ＨＳ−ＳＣＣＨ送信器に伝達する(２１１１)。さらに、前記ＣＣ２１６０は、前記ＮＢＡＰから受信される前記構成情報のうちＵＥ識別子をＨＳ−ＳＣＣＨ送信器に伝達する(２１１１)。
【０１４９】
一方、前記ノードＢが任意のＵＥに対するserving HS-SCCH setを変更すること決定し、SERVING HS-SCCH SET MODIFY TYPE #1メッセージを伝送すると決定した場合、前記ＣＣ２１６０は、貯蔵されているＨＳ−ＳＣＣＨセットのうちいずれか１つを前記任意のＵＥに対する新しいserving HS-SCCH setとして決定し、前記決定された新しいserving HS-SCCH set IDをＨＳ−ＳＣＣＨ送信器に伝達する(２１２２)。その時から、前記ＨＳ−ＰＤＳＣＨ送信器は、前記ＣＣ２１６０の制御によって前記新しいserving HS-SCCH setを適用する。さらに、前記ＣＣ２１６０は、前記任意のＵＥに対するserving HS-SCCH setの再設定により、(i)SERVING HS-SCCH SET MODIFY TYPE #1メッセージを伝送すべきであること示す情報、(ii)図１９に示すＭＡＣ−ｈｓ ＰＤＵの場合のＳＩＤ＿ＭＡＣ＿Ｃ値６０１及びＣ＿Ｉ値６０２、または、(iii)図２７に示すＭＡＣ−ｈｓ ＰＤＵの場合のＣ＿Ｆ値６０８を、前記新しいserving HS-SCCH set IDとして前記ＳＰＨ２１５０に伝達する(２１１３)。そうすると、前記ＳＰＨ１３５０は、緊急に伝送するデータが存在しない時点で、前記SERVING HS-SCCH SET MODIFY TYPE 1メッセージ、ＳＩＤ＿ＭＡＣ＿Ｃ値６０１及びＣ＿Ｉ値６０２、または、Ｃ＿Ｆ値６０８を対応するＨＳ−ＰＤＳＣＨ送信器に出力する(２１２０)。次に、前記ＨＳ−ＰＤＳＣＨ送信器は、前記ＭＡＣ−ｈｓ ＰＤＵのＳＩＤ＿ＭＡＣ＿Ｃ６０１フィールド及びＣ＿Ｉ６０２フィールドを図１９において説明したように設定し、または、Ｃ＿Ｆ６０８フィールドを図２７において説明したように設定し、serving HS-SCCH set IDをＭＡＣ−ｈｓ制御ペイロード６０７に含めてＭＡＣ−ｈｓＰＤＵを対応するＵＥに伝送する。前記対応するＵＥから前記伝送されたSERVING HS-SCCH SET MODIFY TYPE #1メッセージが含まれたＭＡＣ−ｈｓ ＰＤＵに対するＡＣＫを受信する、前記ＨＰＣ２１４０は、SERVING HS-SCCH SET MODIFY TYPE #1メッセージが成功に伝送されたことを前記ＳＰＨ２１５０に通報する(２１１４)。前記ＣＣ２１６０は、前記ＳＰＨ２１５０からSERVING S-SCCH SET MODIFY TYPE #1メッセージの伝送が完了したことを示す情報を受信すると(２１２１)、ＨＳ−ＳＣＣＨ送信器に新しいserving HS-SCCH setを適用することを指示する(２１１１)。
【０１５０】
一方、前記ノードＢが任意のＵＥに対するserving HS-SCCH setを変更することを決定し、SERVING HS-SCCH SET MODIFY TYPE #2メッセージを伝送することを決定した場合、前記ＣＣ２１６０は、新しいserving HS-SCCH setに含まれるＨＳ−ＳＣＣＨのＯＶＳＦコードを決定し、新しいserving HS-SCCH setのＩＤを決定し、前記決定された情報を前記ＨＳ−ＰＤＳＣＨ送信器に伝達する(２１２２)。そうすると、前記ＨＳ−ＰＤＳＣＨ送信器は、前記ＣＣ２１６０から伝達された情報を貯蔵し、その後に、前記ＣＣ２１６０が新しいserving HS-SCCH setを適用することを指示すると、前記貯蔵されている新しいserving HS-SCCH setを適用する。さらに、前記ＣＣ２１６０は、(i)SERVING HS-SCCH SET MODIFY TYPE #2メッセージを伝送すべきであることを示す情報、(ii)SERVING HS-SCCH SET MODIFY TYPE #2メッセージ、及び(iii)前記SERVING HS-SCCH SET MODIFY TYPE #2メッセージを図１９に示すＭＡＣ−ｈｓ ＰＤＵの形態で伝送する場合におけるＳＩＤ＿ＭＡＣ＿Ｃ値６０１及びＣ＿Ｉ６０２値、または、(iv) 前記SERVING HS-SCCH SET MODIFY TYPE #2メッセージを図２７に示すＭＡＣ−ｈｓ ＰＤＵの形態で伝送する場合におけるＣ＿Ｆ６０８値を、前記ＳＰＨ２１５０に伝達する(２１１３)。前記ＳＰＨ２１５０は、緊急に伝送するデータが存在しない時点で、前記SERVING HS-SCCH SET MODIFY TYPE #2メッセージ、及び前記ＳＩＤ＿ＭＡＣ＿Ｃ値６０１及びＣ＿Ｉ値、またはＣ＿Ｆ６０８値をＨＳ−ＰＤＳＣＨ送信器に伝達する(２１２０)。次に、前記ＨＳ−ＰＤＳＣＨ送信器は、前記SERVING HS-SCCH SET MODIFY TYPE #2メッセージを伝送するためのＭＡＣ−ｈｓ ＰＤＵのＳＩＤ＿ＭＡＣ＿Ｃフィールド６０１及びＣ＿Ｉフィールド６０２を図１９において説明したように設定し、または、ＭＡＣ−ｈｓ ＰＤＵのＣ＿Ｆ６０８フィールドを図２７において説明したように設定し、前記SERVING HS-SCCH SET MODIFY TYPE #2メッセージが含まれたＭＡＣ−ｈｓ ＰＤＵを対応するＵＥに送信する。前記対応するＵＥから前記伝送されたＭＡＣ−ｈｓ ＰＤＵに対するＡＣＫを受信すると、前記ＨＰＣ２１４０は、SERVING HS-SCCH SET MODIFY TYPE #2メッセージが成功に伝送されたことを前記ＳＰＨ２１５０に通報する(２１１４)。さらに、前記ＣＣ２１６０は、前記ＳＰＨ２１５０からSERVING HS-SCCH SET MODIFY TYPE #2メッセージの伝送が完了したことを示す情報を受信すると(２１２１)、前記ＨＳ−ＳＣＣＨ送信器に新しいserving HS-SCCH setを適用することを指示する(２１１１)。
【０１５１】
ここで、図３０を参照して前記ＣＣ２１６０の動作過程を説明する。
図３０は、図２１のＣＣ２１６０の動作過程を示す信号のフローチャートである。
【０１５２】
図３０は、図２７において説明したＭＡＣ−ｈｓ ＰＤＵのフォーマットを使用してSERVING HS-SCCH SET MODIFYメッセージが伝送されることを説明する。図３０を参照すると、前記ＣＣ２１６０は、ノードＢのserving HS-SCCH setを使用するＵＥの状況によって資源を効率的に割り当てるために、管理しているserving HS-SCCH set状態を参照することによって任意のＵＥに対するserving HS-SCCH setの変更を決定する(段階３２０１)。任意のＵＥに対するserving HS-SCCH setの変更を決定した後、前記ＣＣ２１６０は、ＳＰＨ２１５０にSERVING HS-SCCH SET MODIFYメッセージを伝送すべきであることを通報する(段階３２０２)。
前記ＣＣ２１６０は、前記ＳＰＨ２１５０に前記SERVING HS-SCCH SET MODIFYメッセージのサイズ情報も伝達すべきである。その理由は、前記SERVING HS-SCCH SET MODIFYメッセージが図１９及び図２７において説明したようにＭＡＣ−ｈｓＰＤＵを通して伝達されるからである。
【０１５３】
前記ＳＰＨ２１５０は、前記ＣＣ２１６０から前記SERVING HS-SCCH SET MODIFYメッセージを伝送すべきであることを示す情報と共に、SERVING HS-SCCH SET MODIFYメッセージのサイズ情報を受信すると、前記SERVING HS-SCCH SET MODIFYメッセージを伝送する対応するＵＥに、現在伝送されているデータの量または優先順位を考慮して、前記現在のデータ伝送に影響を与えない適切な時点で、前記SERVING HS-SCCH SET MODIFYメッセージを含むＭＡＣ−ｈｓ ＰＤＵを伝送するようにスケジューリングし、前記スケジューリング結果を前記ＣＣ２１６０に通報する(段階３２０３)。次に、前記ＣＣ２１６０は、前記スケジューリングされた適切な時点で前記SERVING HS-SCCH SET MODIFYメッセージをＨＳ−ＰＤＳＣＨ送信器に伝達する(段階３２０４)。そうすると、前記ＨＳ−ＰＤＳＣＨ送信器は、前記SERVING HS-SCCH SET MODIFYメッセージを図２７に示すＭＡＣ−ｈｓ ＰＤＵのフォーマットに適するように生成して対応するＵＥに伝送する。前記ＨＳ−ＰＤＳＣＨ送信器がSERVING HS-SCCH SET MODIFYメッセージを含むＭＡＣ−ｈｓ ＰＤＵを対応するＵＥに伝送する場合、前記対応するＵＥは、前記ＭＡＣ−ｈｓ ＰＤＵを正常的に受信しているか否かを示すＡＣＫ／ＮＡＣＫ信号をSecondary DPCHを通してノードＢに伝送する。次に、前記ノードＢは、前記ＡＣＫ／ＮＡＣＫ信号を分析する。前記分析の結果、ＡＣＫ信号が受信された場合、前記ＡＣＫ信号が受信されたことを示す情報をＨＰＣ２１４０に伝達する。次に、前記ＨＰＣ２１４０は、前記SERVING HS-SCCH SET MODIFYメッセージを含むＭＡＣ−ｈｓ ＰＤＵに対するＡＣＫ信号を受信したことを示す情報を前記ＳＰＨ２１５０に伝達し、前記ＳＰＨ２１５０は、前記ＣＣ２１６０に前記ＡＣＫ信号の受信を通報する(段階３２０５)。前記ＣＣ２１６０は、新しいserving HS-SCCH set IDをＨＳ−ＳＣＣＨ送信器に伝達することによって、前記新しいserving HS-SCCH set IDに対応するserving ＨＳ−ＳＣＣＨ setを適用することを前記ＨＳ−ＳＣＣＨ送信器に指示する(段階３２０６)。前記SERVING HS-SCCH SET MODIFYメッセージを含む受信データ内に変更されたserving HS-SCCH setを適用する時点に対する時間情報が含まれている場合、データがその時点から変更されたＨＳ−ＳＣＣＨを通して受信される。つまり、段階３２０６で、ノードＢとＵＥは次のＴＴＩからserving HS-SCCH setを適用することを予め約束している。しかしながら、これと異なって、ノードＢは、変更されるＨＳ−ＳＣＣＨ Set情報を含むメッセージをＵＥに送信しながら、前記変更されるＨＳ−ＳＣＣＨ Setを適用する時点に対する時間情報を含むメッセージを定義することができる。この場合、前記ＨＳ−ＳＣＣＨ受信器は、前記時間情報に対応する時点から前記時間情報を含むメッセージを受信することができる。その後、前記ＣＣ２１６０は、管理しているserving HS-SCCH set statusを更新し、serving ＨＳ−ＳＣＣＨ set再設定過程を終了する(段階３２０７)。
【０１５４】
次に、前記本発明の第２実施形態によるＨＳ−ＳＣＣＨ送信器の構造を図２２を参照して説明する。
図２２は、本発明の第２実施形態によるＨＳ−ＳＣＣＨ送信器の構造を示す図である。
【０１５５】
図２２を参照すると、ＭＡＣ−ｈｓ制御器２２０１(図２１のＭＡＣ−ｈｓ制御器２１３０と同一の構造を有する)は、ＵＥ識別子(ＵＥ ＩＤ)をＵＥ ＩＤ貯蔵部２２０２に、ＨＳ−ＳＣＣＨの伝送に使用されるＭＳ情報をＭＳ情報伝達部２２０３に、ＨＳ−ＳＣＣＨに対応するｃｏｄｅ＿ｉｎｆｏをコード情報伝達部２２０４に出力する。さらに、前記ＭＡＣ−ｈｓ制御器２２０１は、伝送しようとするＨＳ−ＳＣＣＨ識別子(ＩＤ)をコード選択部２２２４に出力し、ＨＡＲＱチャネル番号情報をチャネル番号伝達部２２０５に、ＮＤＩ情報をＮＤＩ伝達部２２０６に、ＲＶ情報をＲＶ伝達部２２０７に、ＴＢＳ情報をＴＢＳ伝達部２２０８に伝達する。
【０１５６】
前記コード選択部２２２４は、前記ＭＡＣ−ｈｓ制御器２２０１から受信されて予め貯蔵しているserving HS-SCCH set ID及びＨＳ−ＳＣＣセット関連情報を利用して前記ＨＳ−ＳＣＣＨ ＩＤを実際ＯＶＳＦコードに変換して拡散器２２１８に出力する。前記コード選択部２２２４が前記ＨＳ−ＳＣＣＨ識別子を実際ＯＶＳＦコードに変換する過程は、図１４において説明した過程と同一であるので、ここでその詳細な説明は省略する。
【０１５７】
前記ＵＥ ＩＤ貯蔵部２２０２は、前記ＭＡＣ−ｈｓ制御器２２０１から出力されたＵＥ ＩＤを貯蔵し、前記ＨＳ−ＳＣＣＨのＣＲＣ＃１演算のために、任意のＵＥに対応するＨＳ−ＳＣＣＨが伝送される度に、前記任意のＵＥに対応するＵＥ ＩＤをＣＲＣ演算部２２０９に伝達する。前記ＭＳ情報伝達部２２０３は、前記ＭＡＣ−ｈｓ制御器２２０１から出力されたＨＳ−ＳＣＣＨの伝送に使用されるＭＳ情報を前記ＣＲＣ演算部２２０９、ＣＲＣ演算部２２１０及び 多重化器(ＭＵＸ)２２１１に出力する。前記コード情報伝達部２２０４は、ＭＡＣ−ｈｓ制御器２２０１から出力されたｃｏｄｅ＿ｉｎｆｏを前記ＣＲＣ演算部２２０９、多重化器２２１１及びＣＲＣ演算部２２１０に出力する。前記ＣＲＣ演算部２２０９は、前記ＵＥ ＩＤ貯蔵部２２０２、前記ＭＳ情報伝達部２２０３及びコード情報伝達部２２０４から出力されたＭＳ情報及びｃｏｄｅ＿ｉｎｆｏに対してＣＲＣ演算を遂行し、そのＣＲＣ演算結果を前記多重化器２２１１に出力する。前記ＣＲＣ演算部２２０９によって遂行されたＣＲＣ演算結果は、図４において説明したＣＲＣ＃１フィールド４１３を通して伝送されるＣＲＣビットである。一方、前記多重化器２２１１は、前記ＣＲＣ演算部２２０９から出力されたＣＲＣ演算結果、つまり、ＣＲＣ＃１、前記ＭＳ情報伝達部２２０３から出力されたＭＳ情報、及びコード情報伝達部２２０４から出力されたｃｏｄｅ＿ｉｎｆｏを、前記ＨＳ−ＳＣＣＨスロットフォーマットのＰａｒｔ＃１フィールド１２１１及びＣＲＣ＃１２２１３フィールドに相応するように多重化し、前記多重化された情報をチャネルコーディング部２２１３に出力する。
【０１５８】
前記チャネルコーディング部２２１３は、前記多重化器２２１１から出力されたビットストリーム(bit stream)を予め設定されているチャネルコーディング方式によってチャネルコーディングしてレートマッチング部２２１４に出力する。
前記チャネルコーディング部２２１３は、チャネルコーディング方式としてコンボルーションコーディング方式を使用すると仮定する。前記レートマッチング部２２１４は、前記チャネルコーディング部２２１３から出力された信号に対してレートマッチングを遂行して多重化器２２１７に出力する。
【０１５９】
前記チャネル番号伝達部２２０５は、前記ＭＡＣ−ｈｓ制御器２２０１から出力されたＨＡＲＱチャネル番号を前記ＣＲＣ演算部２２１０及び多重化器２２１２に出力する。前記ＮＤＩ伝達部２２０６は、前記ＭＡＣ−ｈｓ制御器２２０１から出力されたＮＤＩ情報を前記ＣＲＣ演算部２２１０及び多重化器２２１２に出力する。前記ＲＶ伝達部２２０７は、前記ＭＡＣ−ｈｓ制御器２２０１から出力されたＲＶ情報を前記ＣＲＣ演算部２２１０及び多重化器２２１２に出力する。前記ＴＢＳ伝達部２２０８は、前記ＭＡＣ−ｈｓ制御器２２０１から出力されたＴＢＳ情報を前記ＣＲＣ演算部２２１０及び多重化器２２１２に出力する。前記ＣＲＣ演算部２２１０は、前記ＭＳ情報伝達部２２０３から出力されたＭＳ情報、前記コード情報伝達部２２０４から出力されたｃｏｄｅ＿ｉｎｆｏ、前記チャネル番号伝達部２２０５から出力されたＨＡＲＱチャネル番号、前記ＮＤＩ伝達部２２０６から出力されたＮＤＩ情報、前記ＲＶ伝達部２２０７から出力されたＲＶ情報、及び前記ＴＢＳ伝達部２２０８から出力されたＴＢＳ情報に対してＣＲＣ演算を遂行し、そのＣＲＣ演算結果を前記多重化器２２１２に出力する。
前記ＣＲＣ演算部２２１０によって遂行されたＣＲＣ演算結果は、図４において説明したＣＲＣ＃２フィールド４１７を通して伝送されるＣＲＣビットである。
一方、前記多重化器２２１２は、前記ＣＲＣ演算部２２１０から出力されたＣＲＣ演算結果、つまり、ＣＲＣ＃２、前記チャネル番号伝達部２２０５から出力されたＨＡＲＱチャネル番号、ＮＤＩ伝達部２２０６から出力されたＮＤＩ情報、ＲＶ伝達部２２０７から出力されたＲＶ情報、及びＴＢＳ伝達部２２０８から出力されたＴＢＳ情報を、前記ＨＳ−ＳＣＣＨスロットフォーマットのＰａｒｔ＃２フィールド１２１５及びＣＲＣ＃２２２１７フィールドに相応するように多重化し、前記多重化された情報をチャネルコーディング部２２１５に出力する。
【０１６０】
前記チャネルコーディング部２２１５は、前記多重化器２２１２から出力されたビットストリームを予め設定されているチャネルコーディング方式によってチャネルコーディングしてレートマッチング部２２１６に出力する。前記チャネルコーディング部２２１５は、チャネルコーディング方式としてコンボルーションコーディング方式を使用すると仮定する。前記レートマッチング部２２１６は、前記チャネルコーディング部２２１５から出力された信号に対してレートマッチングを遂行して前記多重化器２２１７に出力する。前記多重化器２２１７は、前記レートマッチング部２２１４及びレートマッチング部２２１６から出力された信号を、図４に示すＨＳ−ＳＣＣＨスロットフォーマットに相応するように多重化し、前記多重化された信号を前記拡散器２２１８に出力する。
【０１６１】
前記拡散器２２１８は、前記多重化器２２１７から出力された信号を前記コード選択部２２２４から出力されたＯＶＳＦコードで拡散してスクランブラ２２１９に出力する。前記スクランブラ２２１９は、前記拡散器２２１８から出力された信号を予め設定されているスクランブリングコードでスクランブルして合計器２２２０に出力する。前記合計器２２２０は、前記スクランブラ２２１９から出力された信号を、ＨＳ−ＰＤＳＣＨ信号及びassociated DPCH信号のような他のチャネル(other channel)信号と合計して変調器２２２１に出力する。前記変調器２２２１は、前記合計器２２２０から出力された信号を予め設定されている変調方式によって変調してＲＦ処理部２２２２に出力する。前記ＲＦ処理部２２２２は、前記変調器２２２１から出力された信号をＲＦ帯域信号にＲＦ処理し、前記ＲＦ帯域信号をアンテナ２２２３を通してエア上に伝送する。
【０１６２】
次に、本発明の第２実施形態によるＨＳ−ＰＤＳＣＨ送信器の構造を図２３を参照して説明する。
図２３は、本発明の第２実施形態によるＨＳ−ＰＤＳＣＨ送信器の構造を示す図である。
【０１６３】
図２３を参照すると、ＭＡＣ−ｈｓ制御器２３００(図２１のＭＡＣ−ｈｓ制御器２１３及び 図２２のＭＡＣ−ｈｓ制御器２２０１と同一の構成を有する)は、図２１において説明したように、Secondary DPCHを通して受信されたＵＥのＣＱＲ、優先順位キュウー２３０１−１乃至２３０１−ｍに貯蔵されているデータの量、つまり、ＴＢＳ、及び再伝送データの量であるＨＡＲＱ再伝送バッファ２３０７−１乃至２３０７−ｎのサイズに基づいて、次のＴＴＩにデータを伝送する優先順位キュウーまたはＨＡＲＱ再伝送バッファを決定する。次のＴＴＩにデータを伝送する優先順位キュウーまたはＨＡＲＱ再伝送バッファを決定した後、前記ＭＡＣ−ｈｓ制御器２３００は、対応する優先順位キュウーまたはＨＡＲＱ再伝送バッファに次のＴＴＩに伝送するデータの量を通報する。図２３の説明において、前記ＭＡＣ−ｈｓ制御器２３００が次のＴＴＩで特定の優先順位キュウーに貯蔵されているデータを伝送することを決定したと仮定する。
【０１６４】
前記ＭＡＣ−ｈｓ制御器２３００によって次のＴＴＩに伝送するデータの量に対する通報を受けた優先順位キュウー２３０１−１乃至２３０１−ｍは、前記伝送するデータの量だけのＭＡＣ−ｄ ＰＤＵをＭＡＣ−ｈｓ ＳＤＵ組立部／ＭＡＣ−ｈｓヘッダ挿入部／ＭＡＣ−ｈｓ制御メッセージ挿入部２３０２に出力する。前記優先順位キュウー２３０１−１乃至２３０１−ｍから前記ＭＡＣ−ｈｓ ＳＤＵ組立部／ＭＡＣ−ｈｓヘッダ挿入部／ＭＡＣ−ｈｓ制御メッセージ挿入部２３０２に前記ＭＡＣ−ｄ ＰＤＵを出力する時、下記のような制御情報が共に出力される。
(１)優先順位キュウー識別子: 対応する優先順位キュウーの識別子
(２)ＴＳＮ: 対応する優先順位キュウーにおいて管理するシーケンス番号である。一回の伝送ごとにその値が１ずつ増加される。
【０１６５】
前記ＭＡＣ−ｄ ＰＤＵを生成する対応する優先順位キュウーは、異なるサイズのＭＡＣ−ｄ ＰＤＵを１つのＭＡＣ−ｈｓ ＳＤＵに連結する場合、同一のサイズを有するＭＡＣ−ｄ ＰＤＵ当たりに下記のような情報を前記ＭＡＣ−ｈｓ ＳＤＵ組立部／ＭＡＣ−ｈｓヘッダ挿入部／ＭＡＣ−ｈｓ制御メッセージ挿入部２３０２に出力する。
(１)ＳＩＤ: ＭＡＣ−ｄ ＰＤＵのサイズに対応する論理的識別子である。任意のＵＥとノードＢとの間にＨＳＤＰＡ呼が設定される時、伝送できるＭＡＣ−ｄ ＰＤＵのサイズは、設定された呼の種類によって制限され、サイズ及び種類に対応するＳＩＤが割り当てられる。
(２)Ｎ: ＭＡＣ−ｄ ＰＤＵの数
【０１６６】
前記ＭＡＣ−ｈｓ制御器２３００から優先順位キュウー識別子、ＴＳＮ、ＳＩＤ、及びＮ情報を受信したＭＡＣ−ｈｓ ＳＤＵ組立部／ＭＡＣ−ｈｓヘッダ挿入部／ＭＡＣ−ｈｓ制御メッセージ挿入部２３０２は、図６において説明したように、ＭＡＣ−ｈｓ ＳＤＵにＭＡＣ−ｈｓヘッダを挿入した後、ＣＲＣ演算部２３０３及び多重化器２３０４に出力する。特に、本発明の第２実施形態において、前記ＭＡＣ−ｈｓ制御器２３００は、SERVING HS-SCCH SET MODIFY TYPEメッセージをＭＡＣ−ｈｓ ＳＤＵ組立部／ＭＡＣ−ｈｓヘッダ挿入部／ＭＡＣ−ｈｓ制御メッセージ挿入部２３０２に伝達する。前記ＭＡＣ−ｈｓ ＳＤＵ組立部／ＭＡＣ−ｈｓヘッダ挿入部／ＭＡＣ−ｈｓ制御メッセージ挿入部２３０２は、前記SERVING HS-SCCH SET MODIFY TYPEメッセージのＳＩＤ＿ＭＡＣ＿Ｃフィールド及びＣ＿Ｉ フィールドを図１９において説明したように設定する。勿論、前記SERVING HS-SCCH SET MODIFY TYPEメッセージは、図２７において説明したようなフォーマットに設定されることもできる。前記ＣＲＣ演算部２３０３は、前記ＭＡＣ−ｈｓ ＳＤＵ組立部／ＭＡＣ−ｈｓヘッダ挿入部／ＭＡＣ−ｈｓ制御メッセージ挿入部２３０２から出力された信号に対してＣＲＣ演算を遂行し、そのＣＲＣ演算結果を前記多重化器２３０４に出力する。前記多重化器２３０４は、前記ＣＲＣ演算部２３０３から出力されたＣＲＣ演算結果及び前記ＭＡＣ−ｈｓ ＳＤＵ組立部／ＭＡＣ−ｈｓヘッダ挿入部／ＭＡＣ−ｈｓ制御メッセージ挿入部２３０２から出力されたＭＡＣ−ｈｓ ＳＤＵにＭＡＣ−ｈｓヘッダを挿入した信号を多重化することによってＭＡＣ−ｈｓ ＰＤＵを生成してターボエンコーダ２３０５に出力する。前記ターボエンコーダ２３０５は、前記多重化器２３０４から出力されたＭＡＣ−ｈｓ ＰＤＵをターボエンコーディングしてレートマッチング部２３０５に出力する。前記レートマッチング部２３０６は、前記ターボエンコーダ２３０５から出力された信号、つまり、符号化ブロック(coded block)に対して前記ＭＡＣ−ｈｓ制御器２３００から出力されたＴＢＳ情報に基づいてレートマッチングを遂行し、前記レートマッチングされた信号を前記ＭＡＣ−ｈｓ制御器２３００によって指示されたＨＡＲＱチャネル番号に対応するＨＡＲＱ再伝送バッファ及び拡散器２３０８に出力する。例えば、前記ＭＡＣ−ｈｓ制御器２３００によって指示されたＨＡＲＱチャネル番号が１である場合、前記レートマッチング部２３０６は、前記レートマッチングされた信号をＨＡＲＱ再伝送バッファ２３０７−１に出力する。
【０１６７】
前記拡散器２３０８は、前記レートマッチング部２３０６または対応するＨＡＲＱ再伝送バッファから出力された信号を前記ＭＡＣ−ｈｓ制御器２３００から出力されたｃｏｄｅ＿ｉｎｆｏを利用して拡散してスクランブラ２３０９に出力する。前記ＭＡＣ−ｈｓ制御器２３００から出力されたｃｏｄｅ＿ｉｎｆｏが多数のＯＶＳＦコードを利用する場合、前記拡散器２３０８は、前記レートマッチング部２３０６または前記対応するＨＡＲＱ再伝送バッファから出力された信号を１つのＯＶＳＦコード長さに対応するサイズに分割する機能をさらに有する。前記スクランブラ２３０９は、前記拡散器２３０８から出力された信号を予め設定されているスクランブリングコードでスクランブルして合計器２３１０に出力する。前記合計器２３１０は、前記スクランブラ２３０９から出力された信号をＨＳ−ＳＣＣＨ信号及びassociated DPCH信号のような他のチャネル(other channel)信号と合計して変調器２３１１に出力する。前記変調器２３１１は、前記合計器２３１０から出力された信号を予め設定されている変調方式によって変調し、前記変調された信号をＲＦ処理部２３１２に出力する。前記ＲＦ処理部２３１２は、前記変調器２３１１から出力された信号をＲＦ帯域信号にＲＦ処理し、前記ＲＦ帯域信号をアンテナ２３１３を通してエア上に伝送する。
【０１６８】
図２３において、前記ＨＡＲＱ再伝送バッファ２３０７−１乃至２３０７−ｎに貯蔵されている符号化ブロックは、対応するＨＡＲＱチャネルに対するＡＣＫ信号が受信されると、前記ＭＡＣ−ｈｓ制御器２３００の指示に従って廃棄される。しかしながら、前記ＨＡＲＱ再伝送バッファ２３０７−１乃至２３０７−ｎに貯蔵されている符号化ブロックは、対応するＨＡＲＱチャネルに対するＮＡＣＫ信号が受信されると、前記ＭＡＣ−ｈｓ制御器２３００の指示に従って再伝送される。前記再伝送される符号化ブロックは、優先順位キュウー２３０１−１乃至２３０１−ｍによって初期伝送と同一の過程を通してエア上に伝送される。
【０１６９】
次に、本発明の第２実施形態によるＵＥ側 ＭＡＣ−ｈｓ制御器の構造を図２４を参照して説明する。
図２４は、本発明の第２実施形態によるＵＥ側 ＭＡＣ−ｈｓ制御器の構造を示す図である。
【０１７０】
図２４を参照すると、ＵＥ側 ＭＡＣ−ｈｓ制御器２３４０は、ＨＡＲＱ制御器(HARQ controller: ＨＣ)２４４０、ＨＳ−ＰＤＳＣＨ制御器／ＨＳ−ＳＣＣＨ制御器(HS-PDSCH controller/HS-SCCH controller: ＤＳ／ＳＣ)２４５０、及び構成制御器(Configuration Controller: ＣＣ)２４６０から構成される。さらに、前記ＨＣ２４４０の動作は、図１６において説明した方法と同一であるので、その詳細な説明は省略する。
【０１７１】
前記ＤＳ／ＳＣ２４５０は、ＨＳ−ＳＣＣＨ受信器からｃｏｄｅ＿ｉｎｆｏ、ＴＢＳ情報、及びＭＳ情報を受信し(２４０４)、前記ＨＳ−ＳＣＣＨ受信器から受信されたｃｏｄｅ＿ｉｎｆｏ、ＴＢＳ情報、及びＭＳ情報を利用してＨＳ−ＰＤＳＣＨ伝送を制御する。つまり、前記ＤＳ／ＳＣ２４５０は、ｃｏｄｅ＿ｉｎｆｏをＨＳ−ＰＤＳＣＨ受信器の逆拡散部(図示せず)に伝達して(２４０７)、受信されるＨＳ−ＰＤＳＣＨ信号に対する逆拡散を遂行するように制御し、前記ＴＢＳ情報を前記ＨＳ−ＰＤＳＣＨ受信器のレートマッチング部に伝達して(２４０６)、受信されるＨＳ−ＰＤＳＣＨ信号に対するレートマッチングを遂行するように制御し、前記ＭＳ情報を復調部に伝達して(２４０５)、受信されるＨＳ−ＰＤＳＣＨ信号に対する復調を遂行するように制御する。さらに、前記ＤＳ／ＳＣ２４５０は、ＨＳ−ＳＣＣＨ受信器からＨＳ−ＳＣＣＨのＣＲＣ＃１及びＣＲＣ＃２演算結果を受信し、対応するＨＳ−ＰＤＳＣＨ信号が受信されているか否かを決定する。前記ＣＲＣ＃１またはＣＲＣ＃２のうち１つでもエラーを有する場合、前記ＨＳ−ＳＣＣＨ受信器は、ＨＩを受信したとしてもＨＳ−ＰＤＳＣＨ信号を受信しないこともある。前記ＤＳ／ＳＣ２４５０は、associated DPCH受信器から伝達されたＨＳ−ＳＣＣＨ識別子(ＩＤ)に基づいて前記ＨＳ−ＳＣＣＨ受信を制御する(２４０３)。つまり、associated DPCH受信器から受信されたＨＩ値とＨＳ−ＳＣＣＨ識別子をマッチングさせた値、つまり、ＯＶＳＦコードを前記ＨＳ−ＳＣＣＨ受信器に伝達して、前記ＨＳ−ＳＣＣＨ受信器が逆拡散されるＨＳ−ＳＣＣＨのＯＶＳＦコードを指定するようにする(２４０８)。
【０１７２】
前記ＣＣ２４６０は、ＲＲＣ階層によって伝達される構成情報(２４１２)を利用してＭＡＣ−ｈｓ階層及び物理階層を構成する。前記ＭＡＣ−ｈｓ階層及び物理階層を構成することは、例えば、ＨＡＲＱプロセッサの設定、ＨＡＲＱ再伝送バッファの割り当て、優先順位キュウーの構成を含む。前記ＣＣ２４６０は、serving HS-SCCH setの設定を制御し、ＨＳ−ＳＣＣセット関連情報及びserving HS-SCCH setの識別子を前記ＲＲＣから受信すると(２４１２)、前記受信された情報をＨＳ−ＳＣＣＨ受信器に伝達する(２４１９)。次に、前記ＨＳ−ＳＣＣＨ受信器は、前記ＣＣ２４６０から伝達されたＨＳ−ＳＣＣＨ se関連情報及びserving HS-SCCH setの識別子情報を貯蔵し、その後、前記ＤＳ／ＳＣ２４５０から伝達されるＨＳ−ＳＣＣＨ ＩＤ及び前記貯蔵されているserving HS-SCCH setのＩＤに対応するＯＶＳＦコードを利用してＨＳ−ＳＣＣＨを逆拡散する。
【０１７３】
ノードＢが任意のＵＥのserving HS-SCCH setを再設定することを決定し、前記SERVING HS-SCCH SET MODIFYメッセージを含むＭＡＣ−ｈｓ ＰＤＵを前記ＵＥに伝送した場合、ＨＳ−ＰＤＳＣＨ受信器はＭＡＣ−ｈｓ制御メッセージを前記ＣＣ２４６０に伝達し(２４１８)、前記ＣＣ２４６０が図１９において説明したＴＹＰＥフィールド６０４を分析することによって、前記ＭＡＣ−ｈｓ制御メッセージがSERVING HS-SCCH SET MODIFY TYPE #1メッセージであることを認知することができる。前記ＣＣ２４６０は、前記ＭＡＣ−ｈｓ制御メッセージのＭＡＣ−ｈｓ制御ペイロードのserving HS-SCCH set IDを新しいserving HS-SCCH setとして貯蔵し、ＨＳ−ＳＣＣＨ受信器に新しいserving HS-SCCH setを伝達する(２４１９)。前記ノードＢが任意のＵＥのserving HS-SCCH setを変更することを決定し、SERVING HS-SCCH SET MODIFY TYPE #2メッセージを伝送した場合、前記ＨＳ−ＰＤＳＣＨ受信器は、ＭＡＣ−ｈｓ制御メッセージを前記ＣＣ２４６０に伝達し(２４１８)、前記ＣＣ２４６０は、前記ＴＹＰＥフィールド６０４を分析することによって前記ＭＡＣ−ｈｓ制御メッセージがSERVING HS-SCCH SET MODIFY TYPE #2メッセージであることを認知することができる。前記ＣＣ２４６０は、前記ＭＡＣ−ｈｓ制御メッセージのＭＡＣ−ｈｓ制御ペイロード 部分を利用して新しいserving HS-SCCH set識別子及びＯＶＳＦコードを貯蔵し、前記情報をＨＳ−ＳＣＣＨ受信器に伝達することによって(２４１９)、serving HS-SCCH setを新しく設定する。
【０１７４】
次に、図３１を参照してＣＣ２４６０の動作過程を説明する。
図３１は、図２４のＣＣ２４６０の動作過程を示す信号のフローチャートである。
【０１７５】
図３１を参照すると。ＨＳ−ＰＤＳＣＨ受信器は、受信されたＭＡＣ−ｈｓ ＰＤＵのＭＡＣ−ｈｓ制御メッセージをＣＣ２４６０に伝達する(段階３３０１)。前記ＣＣ２４６０は、前記ＨＳ−ＰＤＳＣＨ受信器から伝達された ＭＡＣ−ｈｓ制御メッセージのＴｙｐｅフィールドに含まれている情報を分析し、前記ＭＡＣ−ｈｓ制御メッセージの種類及び対応する情報を分析判断する(段階３３０２)。前記ＭＡＣ−ｈｓ制御メッセージの種類がSERVING HS-SCCH SET MODIFY TYPE #1である場合、前記ＭＡＣ−ｈｓ制御メッセージのＭＡＣ−ｈｓ制御ペイロードに含まれるSERVING HS-SCCH SET MODIFYメッセージが新しく設定されるserving HS-SCCH setのＩＤを含む。前記ＭＡＣ−ｈｓ制御メッセージの種類がSERVING HS-SCCH SET MODIFY TYPE #2である場合は、前記ＭＡＣ−ｈｓ制御メッセージのＭＡＣ−ｈｓ制御ペイロードに含まれるSERVING HS-SCCH SET MODIFYメッセージが新しく設定されるserving HS-SCCH setのＩＤ及び前記新しく設定されるserving HS-SCCH setに含まれる実際ＯＶＳＦコードに対する情報を含む。前記ＣＣ２４６０は、前記SERVING HS-SCCH SET MODIFYメッセージに含まれた情報をＨＳ−ＳＣＣＨ受信器に伝達して、前記ＨＳ−ＳＣＣＨ受信器が新しいserving HS-SCCH setを適用することによって信号を受信するように制御する(段階３３０３)。
【０１７６】
次に、本発明の第２実施形態によるＨＳ−ＳＣＣＨ受信器の構造を図２５を参照して説明する。
図２５は、本発明の第２実施形態によるＨＳ−ＳＣＣＨ受信器の構造を示す図である。
【０１７７】
図２５を参照すると、アンテナ２５２２を通してエア上で受信されたＲＦ帯域信号は、ＲＦ処理部２５２１に伝達され、前記ＲＦ処理部２５２１は、前記アンテナ２５２２から伝達されたＲＦ帯域信号を基底帯域信号に変換し、前記基底帯域信号を復調器２５２０に出力する。前記復調器２５２０は、前記ＲＦ処理部２５２１から出力された信号を送信器、つまり、ノードＢにおいて使用された変調方式に対応する復調方式によって復調して逆スクランブラ２５１９に出力する。
前記逆スクランブラ２５１９は、前記復調器２５２０から出力された信号を前記ノードＢにおいて使用されたスクランブリング符号と同一のスクランブリング符号で逆スクランブルして逆拡散器２５１８に出力する。前記逆拡散器２５１８は、前記逆スクランブラ２５１９から出力された信号を前記ノードＢにおいて使用された拡散コードと同一の拡散コードで逆拡散して逆多重化器(ＤＥＭＵＸ)２５１７に出力する。前記逆拡散器２５１８は、前記コード選択部２５２３によって指示された拡散コードに対応するＯＶＳＦコードで逆拡散を遂行する。前記コード選択部２５２３は、ＨＳＤＰＡ呼設定過程においてＭＡＣ−ｈｓ制御器２５０１(図２４のＭＡＣ−ｈｓ制御器２４３０と同一の構造を有する)によって伝達されるＨＳ−ＳＣＣセット関連情報を予め貯蔵しており、associated DPCHを通して受信するＨＩ値が取得すると、serving HS-SCCH setから前記ＨＩに対応するＨＳ−ＳＣＣＨのＯＶＳＦコードを検出し、前記検出されたＯＶＳＦコードを前記逆拡散器２５１８に伝達する。
【０１７８】
前記逆多重化器２５１７は、前記逆拡散器２５１８から出力された信号をＰａｒｔ＃１フィールド、ＣＲＣ＃１フィールド、Ｐａｒｔ＃２フィールド、及びＣＲＣ＃２フィールドに逆多重化し、前記Ｐａｒｔ＃１フィールド及びＣＲＣ＃１フィールド信号をレートマッチング部２５１４に出力し、前記Ｐａｒｔ＃２フィールド及びＣＲＣ＃２フィールド信号をレートマッチング部２５１６に出力する。前記レートマッチング部２５１４は、前記逆多重化器２５１７から出力されたＰａｒｔ＃１フィールド及びＣＲＣ＃１フィールド信号をレートマッチングしてチャネルデコーディング部２５１３に出力する。前記チャネルデコーディング部２５１３は、前記レートマッチング部２５１４から出力された信号を前記ノードＢにおいて使用されたチャネルコーディング方式に対応するチャネルデコーディング方式によってチャネルデコーディングして逆多重化器２５１１に出力する。
前記逆多重化器２５１１は、前記チャネルデコーディング部２５１３から出力された信号を前記Ｐａｒｔ＃１フィールドとＣＲＣ＃１フィールドに逆多重化し、前記Ｐａｒｔ＃１フィールド及びＣＲＣ＃１フィールド信号をＣＲＣ演算部２５０９に出力し、前記Ｐａｒｔ＃１フィールドのＭＳ情報をＭＳ情報伝達部２５０３及び前記ＣＲＣ演算部２５１０に出力し、前記Ｐａｒｔ＃１フィールドのｃｏｄｅ＿ｉｎｆｏをコード情報伝達部２５０４及びＣＲＣ演算部２５１０に出力する。前記ＭＳ情報伝達部２５０３は、前記逆多重化器２５１１から出力されたＭＳ情報を前記ＭＡＣ−ｈｓ制御器２５０１に出力し、前記コード情報伝達部２５０４は、前記逆多重化器２５１１から出力されたｃｏｄｅ＿ｉｎｆｏを前記ＭＡＣ−ｈｓ制御器２５０１に出力する。ＵＥ ＩＤ貯蔵部２５０２は、前記ＭＡＣ−ｈｓ制御器２５０１から伝達されたＵＥ識別子(ＵＥ ＩＤ)を貯蔵し、前記ＣＲＣ演算部２５０９がＣＲＣ演算を遂行する度に前記貯蔵されているＵＥ識別子を前記ＣＲＣ演算部２５０９に出力して、前記識別子がＣＲＣ＃１演算に使用されるようにする。
【０１７９】
一方、前記レートマッチング部２５１６は、前記逆多重化器２５１７から出力されたＰａｒｔ＃２フィールド及びＣＲＣ＃２フィールド信号をレートマッチングし、前記レートマッチングされた信号をチャネルデコーディング部２５１５に出力する。前記チャネルデコーディング部２５１５は、前記レートマッチング部２５１６から出力された信号を前記ノードＢにおいて使用されたチャネルコーディング方式に対応するチャネルデコーディング方式によってチャネルデコーディングして逆多重化器２５１２に出力する。前記逆多重化器２５１２は、前記チャネルデコーディング部２５１５から出力された信号をＰａｒｔ＃２フィールド信号とＣＲＣ＃２フィールド信号に逆多重化して、前記Ｐａｒｔ＃２フィールド及びＣＲＣ＃２フィールド信号をＣＲＣ演算部２５１０に出力し、前記Ｐａｒｔ＃２フィールド信号のＨＡＲＱチャネル番号はチャネル番号伝達部２５０５に、ＮＤＩ情報はＮＤＩ伝達部２５０６に、ＲＶ情報はＲＶ伝達部２５０７に、ＴＢＳ情報はＴＢＳ伝達部２５０８に出力する。前記ＣＲＣ演算部２５１０は、前記Ｐａｒｔ＃２フィールド及びＣＲＣ＃２フィールド信号、前記ＭＳ情報伝達部２５０３から出力されたＭＳ情報、及びコード情報伝達部２５０４から出力されたｃｏｄｅ＿ｉｎｆｏを利用してＣＲＣ＃２演算を遂行し、そのＣＲＣ＃２演算結果を前記ＭＡＣ−ｈｓ制御器２５０１に出力する。前記チャネル番号伝達部２５０５は、前記逆多重化器２５１２から出力されたＨＡＲＱチャネル番号を前記ＭＡＣ−ｈｓ制御器２５０１に出力し、前記ＲＶ伝達部２５０７は、前記逆多重化器２５１２から出力されたＲＶ情報を前記ＭＡＣ−ｈｓ制御器２５０１に出力する。前記ＮＤＩ伝達部２５０６は、前記逆多重化器２５１２から出力されたＮＤＩ情報を前記ＭＡＣ−ｈｓ制御器２５０１に出力し、前記ＴＢＳ伝達部２５０８は、前記逆多重化器２５１２から出力されたＴＢＳ情報を前記ＭＡＣ−ｈｓ制御器２５０１に出力する。
【０１８０】
次に、本発明の第２実施形態によるＨＳ−ＰＤＳＣＨ受信器の構造を図２６を参照して説明する。
図２６は、本発明の第２実施形態によるＨＳ−ＰＤＳＣＨ受信器の構造を示す図である。
【０１８１】
図２６を参照すると、アンテナ２６１３を通してエア上で受信されたＲＦ帯域信号はＲＦ処理部２６１２に伝達され、前記ＲＦ処理部２６１２は、前記アンテナ２６１３から伝達されたＲＦ帯域信号を基底帯域信号に変換し、前記基底帯域信号を復調器２６１０に出力する。前記復調器２６１０は、前記ＲＦ処理部２６１２から出力された信号を、送信器、つまり、ノードＢにおいて使用された変調方式に対応する復調方式によって復調して逆スクランブラ２６０９に出力する。
前記逆スクランブラ２６０９は、前記復調器２６１０から出力された信号を前記ノードＢによって使用されたスクランブリング符号と同一のスクランブリング符号で逆スクランブルして逆拡散器２６０８に出力する。前記逆拡散器２６０８は、前記逆スクランブラ２６０９から出力された信号を前記ノードＢにおいて使用された拡散コードと同一の拡散コードで逆拡散する。前記復調器２６１０に適用される復調方式及び前記逆拡散器２６０８によって遂行される逆拡散に対する逆拡散コードは、ＭＡＣ−ｈｓ制御器２６００(図２４のＭＡＣ−ｈｓ制御器２４３０及び図２５のＭＡＣ−ｈｓ制御器２５０１と同一の構造を有する)によって決定される。
【０１８２】
前記逆拡散器２６０８は、前記逆拡散された信号をＨＡＲＱバッファ２６０７−１乃至２６０７−ｎのうち対応するＨＡＲＱバッファ及びレートマッチング部２６０６に出力する。前記レートマッチング部２６０６は、前記逆拡散器２６０８から出力された信号を前記ＭＡＣ−ｈｓ制御器２６００から出力されたＴＢＳ情報に基づいてレートマッチングし、ターボ デコーダ２６０５に出力する。前記逆拡散器２６０８から出力された信号は再伝送される符号化ブロックである場合、前記ＭＡＣ−ｈｓ制御器２６００の制御によって、前記ＨＡＲＱバッファ２６０７−１乃至２６０７−２のうち対応するＨＡＲＱバッファは、前記再伝送された符号化ブロックと予め貯蔵されている符号化ブロックをソフトコンバインして前記レートマッチング部２６０６に出力する。前記ターボデコーダ２６０５は、記レートマッチング部２６０６から出力された信号をターボデコーディングして逆多重化器１６０４に出力する。前記逆多重化器２６０４は、前記ターボ デコーダ２６０５から出力された信号を逆多重化してＣＲＣ演算部２６０３及びＭＡＣ−ｈｓヘッダ判読部／ＭＡＣ−ｈｓ制御メッセージ伝達部２６０２に出力する。
【０１８３】
前記ＣＲＣ演算部２６０３は、前記逆多重化器２６０４から出力された信号に対してＣＲＣ演算を遂行し、そのＣＲＣ演算結果を前記ＭＡＣ−ｈｓヘッダ判読部／ＭＡＣ−ｈｓ制御メッセージ伝達部２６０２及びＭＡＣ−ｈｓ制御器２６００に伝達する。前記ＭＡＣ−ｈｓ制御器２６００は、前記ＣＲＣ演算部２６０３から出力されたＣＲＣ演算結果が現在受信された符号化ブロックにエラーが発生したことを示す場合、Secondary DPCHを通してノードＢにＮＡＣＫを伝送し、前記現在受信された符号化ブロックを廃棄することを指示する。しかしながら、前記ＣＲＣ演算結果、現在受信された符号化ブロックにエラーが発生していない場合、前記ＭＡＣ−ｈｓ制御器２６００は、Secondary DPCHを通してノードＢにＡＣＫを伝送し、対応するＨＡＲＱバッファに貯蔵されている符号化ブロックを廃棄することを指示する。さらに、前記ＭＡＣ−ｈｓ制御器２６００は、前記受信された信号のＭＡＣ−ｈｓヘッダの優先順位フィールドの情報によって、前記受信された符号化ブロックを再整列バッファ２６０１−１乃至２６０１−ｍのうち対応する再整列バッファに出力する。特に、本発明の第２実施形態において、前記ＭＡＣ−ｈｓヘッダ判読部／ＭＡＣ−ｈｓ制御メッセージ伝達部２６０２は、SERVING HS-SCCH SET MODIFYメッセージを受信すると、対応するＭＡＣ−ｈｓ制御メッセージをＭＡＣ−ｈｓ制御器２６００に伝送し、前記ＭＡＣ−ｈｓ制御器２６００は、前記SERVING HS-SCCH SET MODIFYメッセージに含まれているserving HS-SCCH set関連情報を貯蔵する。前記新しいserving HS-SCCH set情報は、前記ＡＣＫを送信した時点かた適用されることを原則とする。さらに、対応するノードＢも、前記serving HS-SCCH set情報を受信した場合、対応するＡＣＫを受信した時点から新しいserving HS-SCCH setを適用することができる。しかしながら、ノードＢとＵＥとの間に予め遅延時間値を定義する場合、前記定義された遅延時間の後に新しいserving HS-SCCH setが適用される。前記再整列バッファ２６０１−１乃至２６０１−ｍは、前記受信されたＭＡＣ−ｈｓ ＰＤＵのＭＡＣ−ｈｓヘッダのＴＳＮを利用して前記貯蔵されたＭＡＣ−ｈｓ ＳＤＵを再整列する。前記再整列されたＭＡＣ−ｈｓ ＳＤＵは、各ヘッダのＳＩＤ及びＮ値を利用してＭＡＣ−ｄ ＰＤＵに分割された後、上位階層に伝達される。
【０１８４】
次に、ＭＡＣ−ｈｓ制御メッセージを利用して再整列バッファを管理する本発明の第３実施形態に関して説明する。
図３２Ａは、本発明の第３実施形態によるノードＢ優先順位キュウー、ＨＡＲＱ再伝送バッファ、及びＵＥ側再整列バッファを概略的に示す図である。
【０１８５】
図３２Ａを参照すると、ノードＢ３２５０は、任意のＵＥ３２００へＨＳＤＰＡデータの伝送を開始し、優先順位ｙを有する優先順位キュウーに対してＴＳＮが９から始まると仮定する。前記ＴＳＮは、優先順位キュウー別に管理される。
前記ノードＢ３２５０は、ＴＳＮ＝９を有するＭＡＣ−ｈｓ ＰＤＵ(以下、ＴＳＮ＝ｎを有するＭＡＣ−ｈｓ ＰＤＵを“ＴＳＮ＝ｎ ＭＡＣ−ｈｓ ＰＤＵ”と称する)３２０１及びＴＳＮ＝１０ ＭＡＣ−ｈｓ ＰＤＵ３２０２を成功に伝送し、前記ＵＥ３２００は、前記ＴＳＮ＝９ ＭＡＣ−ｈｓ ＰＤＵ３２０１及びＴＳＮ＝１０ ＭＡＣ−ｈｓ ＰＤＵ３２０２を順次に正常受信したので、前記再整列バッファは、前記受信されたＭＡＣ−ｈｓ ＰＤＵをすぐに上位階層に伝達する。その後、ノードＢ３２５０から伝送されたＴＳＮ＝１１ ＭＡＣ−ｈｓ ＰＤＵ３２７１にエラーが発生したため、前記ＴＳＮ＝１１ ＭＡＣ−ｈｓ ＰＤＵ３２７１が前記ＵＥ３２００のＨＡＲＱバッファ(図示せず)に貯蔵され、前記ノードＢ３２５０のＨＡＲＱ再伝送バッファ３２７０にも貯蔵されると仮定する。次に、ＴＳＮ＝１２ ＭＡＣ−ｈｓ ＰＤＵが成功に受信された場合、ＴＳＮ＝１１ＭＡＣ−ｈｓ ＰＤＵが受信されるべきであるが、ＴＳＮ＝１２ ＭＡＣ−ｈｓ ＰＤＵが受信されるので、前記再整列バッファ３２１０にＴＳＮ Ｇａｐが発生する。前記“Ｇａｐ”は、上位階層に伝達されたＭＡＣ−ｈｓ ＰＤＵのＴＳＮのうち連続しないＴＳＮが存在することを意味する。その後、ＴＳＮ＝１３ ＭＡＣ−ｈｓ ＰＤＵ ３２０５及びＴＳＮ＝１４ ＭＡＣ−ｈｓ ＰＤＵ ３２０６が成功に伝送されても、前記ＴＳＮ＝１１ ＭＡＣ−ｈｓ ＰＤＵの異常送受信動作によって発生したＧａｐが解消できないと、つまり、ＴＳＮ＝１１ ＭＡＣ−ｈｓ ＰＤＵが成功に再伝送されないと、前記ＴＳＮ＝１２ ＭＡＣ−ｈｓ ＰＤＵ、ＴＳＮ＝１３ ＭＡＣ−ｈｓ ＰＤＵ、及びＴＳＮ＝１４ ＭＡＣ−ｈｓ ＰＤＵは上位階層に伝達できない。つまり、図３２Ａに示すように、前記Ｇａｐを解消するＭＡＣ−ｈｓ ＰＤＵとＨＡＲＱ再伝送バッファ３２７０に貯蔵されているＭＡＣ−ｈｓ ＰＤＵのＴＳＮは同一である。
【０１８６】
勿論、前述したような状況と異なる状況が発生する可能性もある。例えば、前記ＵＥ３２００はＴＳＮ＝１１ ＭＡＣ−ｈｓ ＰＤＵを最初受信する過程において、エラーが発生したことによりＮＡＣＫ信号をノードＢ３２５０に伝送したのだが、前記ノードＢ３２５０が前記ＮＡＣＫ信号をＡＣＫ信号誤認する場合が発生する可能性がある。この場合 前記ＴＳＮ＝１１ ＭＡＣ−ｈｓ ＰＤＵは、ＨＡＲＱ再伝送バッファ３２７０から除去される。その後、前記ＵＥ３２００は、ＴＳＮ＝１１ ＭＡＣ−ｈｓ ＰＤＵが再伝送されることを待機するが、前記ノードＢ３２５０は、前記ＵＥ３２００が前記ＴＳＮ＝１１ ＭＡＣ−ｈｓ ＰＤＵを正常受信したことを認知したので、前記ＴＳＮ＝１１ ＭＡＣ−ｈｓ ＰＤＵを再伝送しない。実際ＡＣＫ信号がＮＡＣＫ信号に誤認される確率、または、ＮＡＣＫ信号がＡＣＫ信号に誤認される確率は、ＵＬ Secondary DPCHの信頼度によって決定されることができ、ＨＳＤＰＡ標準規格において、前記確率は、０乃至０．１％程度を最大値として設定される。前述したように、前記ＡＣＫ信号がＮＡＣＫ信号に誤認されるか、または、ＮＡＣＫ信号がＡＣＫ信号に誤認される場合、前記ＨＡＲＱ再伝送バッファ３２７０はデータを不要に貯蔵する。従って、前記ＨＡＲＱ再伝送バッファが不要のデータを貯蔵することを防止するために、ノードＢ３２５０は、現在優先順位キュウーの状態、つまりバッファ 状態(Buffer Status)を前記ＭＡＣ−ｈｓ制御メッセージを利用してＵＥ３２００に伝送する。前記BUFFER STATUS伝送時点は、ノードＢ３２５０によって決定され、前記ノードＢ３２５０は、以下のような場合にBUFFER STATUSを伝送する。特定の優先順位キュウーに対して予め決定された量のデータを伝送する間にBUFFER STATUSが伝送されない場合、前記特定の優先順位キュウーから伝送されたＭＡＣ−ｈｓＰＤＵがＨＡＲＱ再伝送バッファから再伝送されることを待機していることを示すBUFFER STATUSを伝送する。つまり、再整列バッファ３１００にＧａｐが発生した場合、前記BUFFER STATUSをＭＡＣ−ｈｓ制御メッセージを通して伝送する。
【０１８７】
図３２Ｂを参照して前記BUFFER STATUSを伝送するＭＡＣ−ｈｓ制御メッセージのＭＡＣ−ｈｓ制御ペイロードフォーマットを説明する。
図３２Ｂは、本発明の第３実施形態によるＭＡＣ−ｈｓ制御ペイロードフォーマットを示す図である。
【０１８８】
図３２Ｂを参照すると、Ｔｙｐｅフィールド３２８１は、特定の値、例えば、“０１０”に設定され、Ｓｉｚｅフィールド３２８２は、ＭＡＣ−ｈｓ制御ペイロード３２８５のサイズを含む。図３２Ｂにおいて、キュウーＩＤ(Queue ID)フィールド３２８３が３ビットであり、キュウー状態(Queue STATUS)フィールド３２８４がＸビットであるので、前記ＭＡＣ−ｈｓ制御ペイロード３２８５のサイズはＸ＋３ビットになる。前記ＭＡＣ−ｈｓ制御ペイロード フィールド３２８５は、図示されたように、キュウーＩＤフィールド３２８３及びキュウー状態フィールド３２８４から構成され、前記キュウーＩＤフィールド３２８３は、前記キュウー状態フィールド３２８４によって示される優先順位キュウーのＩＤを示す。前記キュウー状態フィールド３２８４は、次に伝送されるＭＡＣ−ｈｓ ＰＤＵのＴＳＮ(Ｎｅｘｔ ＴＳＮ)及び対応する優先順位キュウーで伝送され、ＨＡＲＱ再伝送バッファに貯蔵されているＭＡＣ−ｈｓ ＰＤＵのＴＳＮ(以下、優先順位キュウーから伝送されてＨＡＲＱ再伝送バッファに貯蔵されているＭＡＣ−ｈｓ ＰＤＵのＴＳＮを再伝送ＴＳＮ、つまり、“ＲＴＸ ＴＳＮ”と称する)を含む。例えば、図３２Ｂの前記キュウー状態フィールド３２８４において、Ｎｅｘｔ ＴＳＮは１５に設定され、ＲＴＸ ＴＳＮは１１に設定される。前記ＭＡＣ−ｈｓ制御ペイロードにおいて、前記キュウーＩＤフィールド３２８３及びュウー状態フィールド３２８４を通して伝送される情報は、BUFFER STATUS情報になる。
【０１８９】
前記BUFFER STATUSが含まれているＭＡＣ−ｈｓ制御メッセージを受信したＵＥは、下記のような動作を遂行する。
【０１９０】
第１に、前記ＵＥは、前記受信されたＮｅｘｔ ＴＳＮ値を再整列バッファに貯蔵されているＭＡＣ−ｈｓ ＰＤＵのＴＳＮのうち最大のＴＳＮと比較する。
前記比較結果、(１)前記受信されたＮｅｘｔ ＴＳＮ値が再整列バッファに貯蔵されているＭＡＣ−ｈｓ ＰＤＵのＴＳＮのうち最大のＴＳＮ以下である場合、前記ＵＥは、再整列バッファ管理にエラーが発生したと判断して、前記再整列バッファに貯蔵されている全てのＭＡＣ−ｈｓ ＰＤＵを上位階層に伝達し、変数“ｈｉｇｈｅｓｔ＿ＴＳＮ”に前記Ｎｅｘｔ ＴＳＮより１だけ小さい値を貯蔵する(ｈｉｇｈｅｓｔ＿ＴＳＮ＝Ｎｅｘｔ ＴＳＮ−１)。前記変数ｈｉｇｈｅｓｔ＿ＴＳＮは、対応する時点で対応する再整列バッファに貯蔵されているＭＡＣ−ｈｓ ＰＤＵのうち最近受信されたＭＡＣ−ｈｓ ＰＤＵのＴＳＮが貯蔵される変数である。しかしながら、前記比較結果、(２)前記受信されたＮｅｘｔ ＴＳＮ値が再整列バッファに貯蔵されているＭＡＣ−ｈｓ ＰＤＵのＴＳＮのうち最大のＴＳＮより２以上大きい場合、前記ＵＥは、再整列バッファにＧａｐが発生したと判断して、前記受信されたＮｅｘｔ ＴＳＮを変数“ＴＳＮ＿ＧＡＰ”に貯蔵する(ＴＳＮ＿ＧＡＰ＝Ｎｅｘｔ ＴＳＮ)。前記変数ＴＳＮ＿ＧＡＰは、前記再整列バッファによって管理され、前記再整列バッファにおいて生成されたＧａｐに対するＴＳＮを貯蔵する。
【０１９１】
第２に、前記ＵＥは、前記ＲＴＸ ＴＳＮ値とＴＳＮ＿ＧＡＰ値を比較する。
(１)前記ＲＴＸ ＴＳＮ値及びＴＳＮ＿ＧＡＰ値の全てに存在するＴＳＮに対応するＧａｐに対して、前記ＵＥは、再伝送を通して前記Ｇａｐが解除できるこいとを期待する。
(２)前記ＴＳＮ＿ＧＡＰには存在するが、ＲＴＸ ＴＳＮには存在しないＴＳＮに対して、前記ＵＥは、対応するＧａｐが解除されたと判断して、次の動作を遂行する。つまり、前記ＵＥは、前記Ｇａｐが解除されたＭＡＣ−ｈｓ ＰＤＵを上位階層に伝達する。
(３)ＲＴＸ ＴＳＮには存在するが、ＴＳＮ＿ＧＡＰには存在しないＴＳＮに対して、前記ＵＥは、前記再整列バッファ管理にエラーが発生したと判断して、前記再整列バッファに貯蔵されている全てのデータを上位階層に伝達する。前記ＴＳＮは、０〜６３の整数であるり、任意のＴＳＮは、６３まで１ずつ増加された後、０にリセットされる。
【０１９２】
次に、図３３を参照して前記本発明の第３実施形態によるノードＢ側ＭＡＣ−ｈｓ制御器の構造を説明する。
図３３は、本発明の第３実施形態によるノードＢ側ＭＡＣ−ｈｓ制御器の構造を示す図である。
【０１９３】
図３３の説明において、前記本発明の第３実施形態を支援するＭＡＣ−ｈｓ制御器３３３は本発明の第２実施形態を支援するＭＡＣ−ｈｓ制御器２１３と同一の動作を遂行し、ただ、ＭＡＣ−ｈｓ制御ペイロードを通して伝送される情報がBUFFER STATUSであるということは異なる。従って、ＭＡＣ−ｈｓ制御器３３３０の説明において、図２１乃至図３３を通して説明した前記ＭＡＣ−ｈｓ制御器２１３０の動作と同一の動作に対して同一の参照番号を与え、動作に関する別の説明はしない。
【０１９４】
ＨＰＣ２１４０は、ＳＰＨ２１５０から優先順位キュウーの状態情報を受信する(２１１５)。前記優先順位キュウーの状態情報は、前記優先順位キュウーのＮｅｘｔ ＴＳＮ値を含む。前記ＨＰＣ２１４０は、Ｎｅｘｔ ＴＳＮ値を、前記優先順位キュウー別に管理されている変数BUFFER_STATUSの変数Ｎｅｘｔ ＴＳＮに継続的に更新する。さらに、前記ＨＰＣ２１４０は、ＵＥによって伝送されたＡＣＫ／ＮＡＣＫ信号(２１０１)によってＨＡＲＱ再伝送バッファを制御する。つまり、前記ＵＥからＡＣＫ信号が受信されたＨＡＲＱ再伝送バッファに対して、貯蔵されているＭＡＣ−ｈｓ ＰＤＵを廃棄することを指示し、前記ＵＥからＮＡＣＫ信号が受信されたＨＡＲＱ再伝送バッファに対しては、貯蔵されているＭＡＣ−ｈｓ ＰＤＵを続いて貯蔵することを指示する。その後、前記ＨＰＣ２１４０は、対応するＭＡＣ−ｈｓ ＰＤＵのＴＳＮを対応する優先順位キュウーの変数BUFFER_STATUSの変数ＲＴＸ ＴＳＮに貯蔵する。その後、前記ＨＰＣ２１４０は、BUFFER STATUS情報を伝送すべき時点になると、前記BUFFER_STATUS 変数に貯蔵されている情報を利用してＭＡＣ−ｈｓ制御メッセージを生成し、前記生成されたＭＡＣ−ｈｓ制御メッセージをＳＰＨ２１５０に伝達する(３１１４)。
【０１９５】
前記ＳＰＨ２１５０は、前記BUFFER STATUS情報が含まれたＭＡＣ−ｈｓ制御メッセージをＨＳ−ＰＤＳＣＨ送信器に伝達し(３１２０)、ＨＳ−ＰＤＳＣＨ送信器は、本発明の第２実施形態における説明と同様に前記ＭＡＣ−ｈｓ制御メッセージをＭＡＣ−ｈｓ ＰＤＵに含めて伝送する。
【０１９６】
次に、図３４を参照して本発明の第３実施形態を支援するＵＥ側ＭＡＣ−ｈｓ制御器３４３０構造を説明する。
図３４は、本発明の第３実施形態によるＵＥ側ＭＡＣ−ｈｓ制御器の構造を示す図である。
【０１９７】
図３４の説明において、本発明の第３実施形態を支援するＭＡＣ−ｈｓ制御器３４３０は、図２４の本発明の第２実施形態を支援するＭＡＣ−ｈｓ制御器２４３０と同一の動作を遂行し、ただ、ＭＡＣ−ｈｓ制御ペイロードを通して受信される情報がBUFFER STATUSであるということだけが異なる。従って、ＭＡＣ−ｈｓ制御器３４３０の説明において、前記ＭＡＣ−ｈｓ制御器２４３０と同一の動作に対しては同一の参照番号を与え、その動作に関する別の説明はしていない。
【０１９８】
受信されたＭＡＣ−ｈｓ ＰＤＵがBUFFER STATUS情報を含む場合、ＨＳ−ＰＤＳＣＨ受信器は、前記BUFFER STATUS情報をＨＡＲＱ制御器２４４０に伝達する(３４０１)。前記ＨＡＲＱ制御器２４４０は、再整列バッファ別に変数ＴＳＮ＿ＧＡＰ及び変数Ｈｉｇｈｅｓｔ＿ＴＳＮを管理する。ＴＳＮ＿ＧＡＰは、対応する再整列バッファにＧａｐが発生する度に対応するＧａｐを構成するＴＳＮが貯蔵される変数であり、Ｈｉｇｈｅｓｔ＿ＴＳＮは、対応する時点で対応する再整列バッファに貯蔵されているＭＡＣ−ｈｓ ＰＤＵのうち最近受信されたＭＡＣ−ｈｓ ＰＤＵのＴＳＮが貯蔵される変数である。ＨＡＲＱ制御器２４４０は、前記BUFFER STATUS情報が提供されると、前記BUFFER STATUS情報のキュウーＩＤに対応する変数ＴＳＮ＿ＧＡＰに貯蔵されているＴＳＮ及び変数Ｈｉｇｈｅｓｔ＿ＴＳＮに貯蔵されているＴＳＮ値を利用することによって対応する動作を遂行する。前記BUFFER STATUS情報を受信した後の動作は、前述したように動作と同様に遂行されるので、詳細な説明は省略する。前記BUFFER STATUS情報受信による動作を遂行されることにつれて前記再整列バッファにおいて発生した最初Ｇａｐが解消される場合、前記ＨＡＲＱ制御器２４４０は、２番目のＧａｐ以前までのＭＡＣ−ｈｓ ＰＤＵを上位階層に伝達するために、廃棄(refresh)命令を対応する再整列バッファに伝達する(３４３０)。
【０１９９】
次に、図３５を参照して図３３のＣＣ２１６０の動作過程を説明する。
図３５は、図３３のＣＣ２１６０の動作過程を示す信号のフローチャートである。
【０２００】
図３５を参照すると、ＣＣ２１６０は、再整列バッファに対するrefresh 命令を伝送することを決定する(段階３５０１)。その後、前記ＣＣ２１６０は、ＳＰＨ２１５０に再整列バッファrefresh命令を伝送する(段階３５０２)。前記ＳＰＨ１３５０は、再整列バッファrefresh命令が含まれているＭＡＣ−ｈｓ ＰＤＵに対して伝送スケジューリングを遂行する(段階３５０３)。その後、前記ＣＣ２１６０は、ＨＳ−ＰＤＳＣＨ送信器に前記再整列バッファrefresh命令を含むＭＡＣ−ｈｓ ＰＤＵを伝達して過程を終了する(段階３５０４)。
【０２０１】
次に、図３６を参照してＣＣ２４６０の動作過程を説明する。
図３６は、図３４のＣＣ２４６０の動作過程を示す信号のフローチャートである。
【０２０２】
図３６を参照すると。ＨＳ−ＰＤＳＣＨ受信器は、受信されたＭＡＣ−ｈｓ ＰＤＵのＭＡＣ−ｈｓ制御メッセージをＣＣ２４６０に伝達する(段階３６０１)。前記ＣＣ２４６０は、前記ＨＳ−ＰＤＳＣＨ受信器から伝達されたＭＡＣ−ｈｓ制御メッセージに含まれているBUFFER STATUS情報を分析し、前記BUFFER STATUS情報に対応する処理命令を対応する優先順位キュウーに伝達した後、前記過程を終了する(段階３６０２)。
【０２０３】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【０２０４】
【発明の効果】
前述してきたように、本発明は、高速順方向パケット接続方式を使用する通信システムにおいて、任意のＵＥに割り当てられているserving HS-SCCH setのようなＨＳ−ＳＣＣＨ関連情報を、ノードＢとＵＥとの間に直接伝送を可能にする。さらに、前記ノードＢとＵＥとの間にＨＳ−ＳＣＣＨ関連情報を直接伝送することによって、ノードＢとＵＥとの間の信号遅延を低減し、Ｉｕｂ伝送資源を節約することができることにより、システム性能が向上する。また、使用者データを伝送または再伝送するキュウーの状態情報をノードＢとＵＥとの間に直接伝送することによって、不要の再伝送を防止し、不要の再伝送による伝送遅延を除去することはできる。
【図面の簡単な説明】
【図１】  一般的な移動通信システムの構造を概略的に示す図である。
【図２】  一般的な高速順方向パケット接続通信システムにおいてＯＶＳＦコードを割り当てる方法の例を示す図である。
【図３】  一般的な高速順方向パケット接続方式を使用する通信システムにおいて順方向及び逆方向チャネルを示す図である。
【図４】  一般的な高速順方向接続方式を使用する通信システムの高速共通制御チャネル構造を示す図である。
【図５】  高速順方向パケット接続方式を使用する通信システムにおいて高速順方向共通チャネルのチャネル化コード情報を論理的識別子にマッチングする方式を概略的に示す図である。
【図６】  高速順方向物理共通チャネルを通して伝送される高速媒体接続制御プロトコルデータユニットの構造を示す図である。
【図７】  一般的な高速順方向パケット接続方式を使用する通信システムのＭＡＣ階層の構造を示す図である。
【図８】  一般的な高速順方向パケット接続方式を使用する通信システムにおいてノードＢ側ＭＡＣ−ｈｓ階層の構造を示す図である。
【図９】  一般的な高速順方向パケット接続方式を使用する通信システムにおいて使用者端末機ＭＡＣ−ｈｓ階層の構造を示す図である。
【図１０】  一般的な高速順方向パケット接続方式を使用する通信システムにおいてＭＡＣ−ｄマルチプレクサ構造を概略的に示す図である。
【図１１】  一般的な高速順方向パケット接続方式を使用する通信システムにおいてサービング高速共通制御チャネルセットを伝送する過程を示す信号のフローチャートである。
【図１２】  本発明の第１実施形態による高速順方向パケット接続方式を使用する通信システムにおいてサービング高速共通制御チャネルセット修正メッセージを伝送する高速共通制御チャネル構造を示す図である。
【図１３】  本発明の第１実施形態によるノードＢ側高速媒体接続制御階層制御器の構造を示す図である。
【図１４】  本発明の第１実施形態による高速共通制御チャネル送信器の構造を示す図である。
【図１５】  本発明の第１実施形態による高速順方向物理共通チャネル送信器の構造を示す図である。
【図１６】  本発明の第１実施形態による使用者端末機側ＭＡＣ−ｈｓ制御器の構造を示す図である。
【図１７】  本発明の第１実施形態による高速共通制御チャネル受信器の構造を示す図である。
【図１８】  本発明の第１実施形態による高速順方向物理共通チャネル受信器の構造を示す図である。
【図１９】  本発明の第２実施形態による高速媒体接続制御パケットデータユニット構造を示す図である。
【図２０Ａ】  本発明の第２実施形態によるＭＡＣ−ｈｓ制御ペイロード(control payload)構造を示す図である。
【図２０Ｂ】  本発明の第２実施形態によるＭＡＣ−ｈｓ制御ペイロード(control payload)構造を示す図である。
【図２１】  本発明の第２実施形態によるノードＢ側高速媒体接続制御階層制御器の構造を示す図である。
【図２２】  本発明の第２実施形態による高速共通制御チャネル送信器の構造を示す図である。
【図２３】  本発明の第２実施形態による高速順方向物理共通チャネル送信器の構造を示す図である。
【図２４】  本発明の第２実施形態による使用者端末機側ＭＡＣ−ｈｓ制御器の構造を示す図である。
【図２５】  本発明の第２実施形態による高速共通制御チャネル受信器の構造を示す図である。
【図２６】  本発明の第２実施形態による高速順方向物理共通チャネル受信器の構造を示す図である。
【図２７】  本発明の第２実施形態による高速媒体接続制御パケットデータユニットの構造を示す図である。
【図２８】  図１３の構成制御器１３６０の動作過程を示す信号のフローチャートである。
【図２９】  図１６の構成制御器１６６０の動作過程を示す信号のフローチャートである。
【図３０】  図２１の構成制御器２１６０の動作過程を示す信号のフローチャートである。
【図３１】  図２４の構成制御器２４６０の動作過程を示す信号のフローチャートである。
【図３２Ａ】  本発明の第３実施形態によるノードＢ優先順位キュウー、ＨＡＲＱ再伝送バッファ、及びＵＥ側再整列バッファ状態を概略的に示す図である。
【図３２Ｂ】  本発明の第３実施形態によるＭＡＣ−ｈｓ制御ペイロード フォーマットを示す図である。
【図３３】  本発明の第３実施形態によるノードＢ側ＭＡＣ−ｈｓ制御器の構造を示す図である。
【図３４】  本発明の第３実施形態によるＵＥ側ＭＡＣ−ｈｓ制御器の構造を示す図である。
【図３５】  図３３のＣＣ２１６０の動作過程を示す信号のフローチャートである。
【図３６】  図３４のＣＣ２４６０の動作過程を示す信号のフローチャートである。
【図１】
0003872438.tif 000008
【図２】
0003872438.tif 000009
【図３】
0003872438.tif 000010
【図４】
0003872438.tif 000011
【図５】
0003872438.tif 000012
【図６】
0003872438.tif 000013
【図７】
0003872438.tif 000014
【図８】
0003872438.tif 000015
【図９】
0003872438.tif 000016
【図１０】
0003872438.tif 000017
【図１１】
0003872438.tif 000018
【図１２】
0003872438.tif 000019
【図１３】
0003872438.tif 000020
【図１４】
0003872438.tif 000021
【図１５】
0003872438.tif 000022
【図１６】
0003872438.tif 000023
【図１７】
0003872438.tif 000024
【図１８】
0003872438.tif 000025
【図１９】
0003872438.tif 000026
【図２０Ａ】
0003872438.tif 000027
【図２０Ｂ】
0003872438.tif 000028
【図２１】
0003872438.tif 000029
【図２２】
0003872438.tif 000030
【図２３】
0003872438.tif 000031
【図２４】
0003872438.tif 000032
【図２５】
0003872438.tif 000033
【図２６】
0003872438.tif 000034
【図２７】
0003872438.tif 000035
【図２８】
0003872438.tif 000036
【図２９】
0003872438.tif 000037
【図３０】
0003872438.tif 000038
【図３１】
0003872438.tif 000039
【図３２Ａ】
0003872438.tif 000040
【図３２Ｂ】
0003872438.tif 000041
【図３３】
0003872438.tif 000042
【図３４】
0003872438.tif 000043
【図３５】
0003872438.tif 000044
【図３６】
0003872438.tif 000045